(57)【要約】  本発明は、チャネル状態情報フィードバック方法、ユーザ機器、および基地局を提供する。方法は、ユーザ機器により、フィードバックされる必要があるCSI−RSリソースの、基地局によって構成された数Nに応じてN個のCSI−RSリソースを決定し、N個のCSI−RSリソースに含まれるポートに対してチャネル推定を実施し、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックする。基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされる問題が解決される。
2018530274.tif 000002
【特許請求の範囲】
【請求項１】
チャネル状態情報フィードバック方法であって、
ユーザ機器UEにより、N個の構成されたチャネル状態情報基準信号CSI−RSリソースを受信するステップであって、前記CSI−RSリソースが少なくとも1つのポートを備え、N≧2であり、Nが整数である、ステップと、
前記UEにより、前記N個のCSI−RSリソースに対してチャネル測定を実施して、前記N個のCSI−RSリソースのチャネル状態情報CSIを取得するステップと、
前記UEにより、前記N個のCSI−RSリソースからM個のCSI−RSリソースを選択するステップであって、前記M個のCSI−RSリソースが様々なCSIプロセスに属するか、または前記M個のCSI−RSリソースが1つのCSIプロセスの様々な構成に属する、ステップと、
前記UEにより、前記M個のCSI−RSリソースに応じて、前記N個のCSI−RSリソースの前記チャネル状態情報CSIから前記M個のCSI−RSリソースのCSIを決定するステップと、
前記UEにより、前記M個のCSI−RSリソースの前記CSIおよび前記M個のCSI−RSリソースの指示情報を基地局にフィードバックするステップと
を備える、方法。
【請求項２】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項1に記載の方法。
【請求項３】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記UEにより、前記M個のCSI−RSリソースの前記CSIおよび前記M個のCSI−RSリソースの指示情報を基地局にフィードバックする前記ステップが、
前記UEにより、フィードバックモードおよびフィードバックタイプに従って、前記M個のCSI−RSリソースの前記CSIおよび前記M個のCSI−RSリソースの前記指示情報を前記基地局にフィードバックするステップであって、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、ステップ
を備える、
請求項1または2に記載の方法。
【請求項４】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項3に記載の方法。
【請求項５】
前記第1のフィードバック期間＞前記第2のフィードバック期間＞前記第3のフィードバック期間である、請求項4に記載の方法。
【請求項６】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、ならびに、前記M個のCSI−RSリソースに従って測定によって取得されたRIおよびPMI1を備え、前記第5のフィードバックタイプのフィードバックパラメータが、前記M個のCSI−RSリソースに従って測定によって取得されたPMI2およびCQIを備える、
請求項3に記載の方法。
【請求項７】
前記第4のフィードバック期間＞前記第5のフィードバック期間である、請求項6に記載の方法。
【請求項８】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項3に記載の方法。
【請求項９】
前記第6のフィードバック期間＞前記第7のフィードバック期間＞前記第8のフィードバック期間である、請求項8に記載の方法。
【請求項１０】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項3に記載の方法。
【請求項１１】
前記第9のフィードバック期間＞前記第10のフィードバック期間である、請求項10に記載の方法。
【請求項１２】
前記M個のCSI−RSリソースの前記RIが、前記M個のCSI−RSリソースに従って測定によって取得される、請求項3から11のいずれか一項に記載の方法。
【請求項１３】
前記第1のフィードバックモードにおいてMが1である、請求項4から11のいずれか一項に記載の方法。
【請求項１４】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記MPI2がM個のPMI2である、
請求項3に記載の方法。
【請求項１５】
前記第11の期間＞前記第12の期間＞前記第13の期間である、請求項14に記載の方法。
【請求項１６】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバック期間のフィードバックパラメータが、前記M個のCSI−RSリソースのうちの残りのリソースに従って測定によって取得されたPMI2を備え、前記第18のフィードバック期間のフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項3に記載の方法。
【請求項１７】
前記第14のフィードバック期間＞前記第15のフィードバック期間＞前記第16のフィードバック期間＞前記第17のフィードバック期間＞前記第18のフィードバック期間である、請求項16に記載の方法。
【請求項１８】
Mが前記基地局によって前記UEに通知されるか、または前記UEによって決定される、請求項1から17のいずれか一項に記載の方法。
【請求項１９】
前記UEにより、Mに応じて前記フィードバックモードを決定するステップをさらに備える、
請求項3から17のいずれか一項に記載の方法。
【請求項２０】
前記UEにより、前記M個のCSI−RSリソースの指示情報を基地局にフィードバックする前記ステップが、
前記UEにより、様々なフィードバックタイプにおいて前記第1の指示情報および前記第2の指示情報をフィードバックするステップ
を備える、請求項3に記載の方法。
【請求項２１】
前記UEにより、前記M個のCSI−RSリソースの指示情報を基地局にフィードバックする前記ステップが、
前記UEにより、前記基地局によるトリガリングに従って前記M個のCSI−RSリソースの前記指示情報を前記基地局に非周期的にフィードバックするステップ
を備える、請求項1に記載の方法。
【請求項２２】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つである：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
請求項3に記載の方法。
【請求項２３】
チャネル状態情報フィードバック方法であって、
基地局により、ユーザ機器UEによってフィードバックされたM個のCSI−RSリソースのCSIおよび前記M個のCSI−RSリソースの指示情報を受信するステップであって、前記M個のCSI−RSリソースがN個のCSI−RSリソースから前記UEによって選択され、前記N個のCSI−RSリソースが前記基地局によって構成され、前記UEによって受信され、前記CSI−RSリソースが少なくとも1つのポートを備え、N≧2であり、Nが整数である、ステップと、
前記基地局により、前記M個のCSI−RSリソースに従ってプリコーディングを実施するステップと
を備える、方法。
【請求項２４】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項23に記載の方法。
【請求項２５】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記基地局により、ユーザ機器UEによってフィードバックされたM個のCSI−RSリソースのCSIおよび前記M個のCSI−RSリソースの指示情報を受信する前記ステップが、
前記基地局により、フィードバックモードおよびフィードバックタイプに従って、前記UEによってフィードバックされた前記M個のCSI−RSリソースの前記CSIおよび前記M個のCSI−RSリソースの前記指示情報を受信するステップであって、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、ステップ
を備える、
請求項23または24に記載の方法。
【請求項２６】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項25に記載の方法。
【請求項２７】
前記第1のフィードバック期間＞前記第2のフィードバック期間＞前記第3のフィードバック期間である、請求項26に記載の方法。
【請求項２８】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、ならびに、前記M個のCSI−RSリソースに従って測定によって取得されたRIおよびPMI1を備え、前記第5のフィードバックタイプのフィードバックパラメータが、前記M個のCSI−RSリソースに従って測定によって取得されたPMI2およびCQIを備える、
請求項25に記載の方法。
【請求項２９】
前記第4のフィードバック期間＞前記第5のフィードバック期間である、請求項28に記載の方法。
【請求項３０】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項25に記載の方法。
【請求項３１】
前記第6のフィードバック期間＞前記第7のフィードバック期間＞前記第8のフィードバック期間である、請求項30に記載の方法。
【請求項３２】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項25に記載の方法。
【請求項３３】
前記第9のフィードバック期間＞前記第10のフィードバック期間である、請求項32に記載の方法。
【請求項３４】
前記M個のCSI−RSリソースの前記RIが、前記M個のCSI−RSリソースに従って測定によって取得される、請求項25から33のいずれか一項に記載の方法。
【請求項３５】
前記第1のフィードバックモードにおいてMが1である、請求項26から33のいずれか一項に記載の方法。
【請求項３６】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記MPI2がM個のPMI2である、
請求項25に記載の方法。
【請求項３７】
前記第11の期間＞前記第12の期間＞前記第13の期間である、請求項36に記載の方法。
【請求項３８】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバック期間のフィードバックパラメータが、前記M個のCSI−RSリソースのうちの残りのリソースに従って測定によって取得されたPMI2を備え、前記第18のフィードバック期間のフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項25に記載の方法。
【請求項３９】
前記第14のフィードバック期間＞前記第15のフィードバック期間＞前記第16のフィードバック期間＞前記第17のフィードバック期間＞前記第18のフィードバック期間である、請求項38に記載の方法。
【請求項４０】
Mが前記UEによって前記基地局に通知されるか、または前記基地局によって決定される、
請求項23から39のいずれか一項に記載の方法。
【請求項４１】
前記基地局により、前記UEによってフィードバックされた前記M個のCSI−RSリソースの指示情報を受信する前記ステップが、
前記基地局により、様々なフィードバックタイプにおいて前記UEによってフィードバックされた前記第1の指示情報および前記第2の指示情報を受信するステップ
を備える、請求項25に記載の方法。
【請求項４２】
前記基地局により、前記UEによってフィードバックされた前記M個のCSI−RSリソースの指示情報を受信する前記ステップが、
前記基地局により、前記基地局によるトリガリングに従って前記UEによって非周期的にフィードバックされた前記M個のCSI−RSリソースの前記指示情報を受信するステップ
を備える、請求項23に記載の方法。
【請求項４３】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つであり：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
前記基地局が、前記UEによって非周期的にフィードバックされた前記M個のCSI−RSリソースの前記指示情報を受信する、
請求項25に記載の方法。
【請求項４４】
チャネル状態情報フィードバック方法であって、
ユーザ機器UEにより、X個のアンテナポートを備える基準信号リソースに従ってチャネル測定を実施して、チャネル状態情報CSIを取得するステップと、
前記ユーザ機器により、基地局に前記チャネル状態情報CSIをフィードバックするステップであって、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、ステップと
を備える、方法。
【請求項４５】
前記X個のアンテナポート用のプリコーディングマトリクスがW＝W1×W2であり、
前記第1のコードワードW1が
【数１】
2018530274.tif 000141
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数２】
2018530274.tif 000142
であり、
【数３】
2018530274.tif 000143
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数４】
2018530274.tif 000144
であり、
【数５】
2018530274.tif 000145
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数６】
2018530274.tif 000146
である、
請求項44に記載の方法。
【請求項４６】
前記UEにより、二重コードブック構造に従って基地局に前記チャネル状態情報をフィードバックする前記ステップの前に、
前記UEにより、Ma×Na×2個のポートに対応する前記アンテナアレイのランクを決定するステップと、
前記UEにより、前記アンテナアレイの前記水平次元内の固定ビームグループ
【数７】
2018530274.tif 000147
のグループ番号kを決定するステップと、
前記UEにより、前記アンテナアレイの前記垂直次元内の固定ビームグループ
【数８】
2018530274.tif 000148
のグループ番号lを決定するステップと、
前記UEにより、k、l、および前記第2のコードワードW2に従ってプリコーディングマトリクスを生成し、前記プリコーディングマトリクスに従ってチャネル品質インジケータCQIを決定するステップと
をさらに備え、
前記チャネル状態情報が、前記ランク、k、l、前記CQI、および前記第2のコードワードW2に対応するプリコーディングマトリクスインジケータPMI2を備え、
前記ユーザ機器により、基地局に前記CSIをフィードバックする前記ステップが、
前記UEにより、フィードバックタイプに従って、前記基地局に前記ランク、k、l、および前記CQIをフィードバックするステップであって、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、ステップ
を備える、請求項45に記載の方法。
【請求項４７】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項46に記載の方法。
【請求項４８】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項47に記載の方法。
【請求項４９】
W＝W1×W3であり、
前記第1のコードワードW1が
【数９】
2018530274.tif 000149
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数１０】
2018530274.tif 000150
であり、
【数１１】
2018530274.tif 000151
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数１２】
2018530274.tif 000152
であり、
【数１３】
2018530274.tif 000153
は前記アンテナアレイの前記水平次元に対応する第1のプリコーディングマトリクスであり、kは前記垂直次元に対応する前記第1のプリコーディングマトリクスのインデックスPMI＿H1であり、Kは前記水平次元に対応する第1のプリコーディングマトリクスの総数であり、
【数１４】
2018530274.tif 000154
が前記水平次元内の第2のプリコーディングマトリクスであり、
【数１５】
2018530274.tif 000155
に対する列選択を実施するために使用され、
【数１６】
2018530274.tif 000156
が前記垂直次元内の第2のプリコーディングマトリクスであり、
【数１７】
2018530274.tif 000157
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項44に記載の方法。
【請求項５０】
チャネル状態情報フィードバック方法であって、
基地局により、ユーザ機器UEによってフィードバックされたチャネル状態情報CSIを受信するステップであって、前記CSIが、X個のアンテナポートを備える基準信号リソースに従ってチャネル測定により前記ユーザ機器によって取得され、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、ステップと、
前記基地局により、前記チャネル状態情報に従ってプリコーディングを実施するステップと
を備える、方法。
【請求項５１】
前記X個のアンテナポート用のプリコーディングマトリクスがW＝W1×W2であり、
前記第1のコードワードW1が
【数１８】
2018530274.tif 000158
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数１９】
2018530274.tif 000159
であり、
【数２０】
2018530274.tif 000160
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数２１】
2018530274.tif 000161
であり、
【数２２】
2018530274.tif 000162
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数２３】
2018530274.tif 000163
である、
請求項50に記載の方法。
【請求項５２】
前記チャネル状態情報が、前記UEによって決定されたMa×Na×2個のポートに対応する前記アンテナアレイのランクと、前記UEによって決定された前記アンテナアレイの前記水平次元内の固定ビームグループ
【数２４】
2018530274.tif 000164
のグループ番号kと、前記UEによって決定された前記アンテナアレイの前記垂直次元内の固定ビームグループ
【数２５】
2018530274.tif 000165
のグループ番号lと、前記UEによって決定されたチャネル品質インジケータCQIとを備え、
基地局により、ユーザ機器UEによってフィードバックされたチャネル状態情報CSIを受信する前記ステップが、
前記基地局により、フィードバックタイプに従って、前記UEによってフィードバックされた前記ランク、k、l、前記CQI、および前記第2のコードワードW2に対応するプリコーディングマトリクスインジケータPMI2を受信するステップであって、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、ステップ
を備える、請求項51に記載の方法。
【請求項５３】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項52に記載の方法。
【請求項５４】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項53に記載の方法。
【請求項５５】
W＝W1×W3であり、
前記第1のコードワードW1が
【数２６】
2018530274.tif 000166
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数２７】
2018530274.tif 000167
であり、
【数２８】
2018530274.tif 000168
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数２９】
2018530274.tif 000169
であり、
【数３０】
2018530274.tif 000170
は前記アンテナアレイの前記水平次元に対応する第1のプリコーディングマトリクスであり、kは前記垂直次元に対応する前記第1のプリコーディングマトリクスのインデックスPMI＿H1であり、Kは前記水平次元に対応する第1のプリコーディングマトリクスの総数であり、
【数３１】
2018530274.tif 000171
が前記水平次元内の第2のプリコーディングマトリクスであり、
【数３２】
2018530274.tif 000172
に対する列選択を実施するために使用され、
【数３３】
2018530274.tif 000173
が前記垂直次元内の第2のプリコーディングマトリクスであり、
【数３４】
2018530274.tif 000174
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項50に記載の方法。
【請求項５６】
ユーザ機器であって、
N個の構成されたチャネル状態情報基準信号CSI−RSリソースを受信するように構成された受信モジュールであって、前記CSI−RSリソースが少なくとも1つのポートを備え、N≧2であり、Nが整数である、受信モジュールと、
前記N個のCSI−RSリソースに対してチャネル測定を実施して、前記N個のCSI−RSリソースのチャネル状態情報CSIを取得するように構成されたチャネル測定モジュールと、
前記N個のCSI−RSリソースからM個のCSI−RSリソースを選択するように構成された選択モジュールであって、前記M個のCSI−RSリソースが様々なCSIプロセスに属するか、または前記M個のCSI−RSリソースが1つのCSIプロセスの様々な構成に属する、選択モジュールと、
前記M個のCSI−RSリソースに応じて、前記N個のCSI−RSリソースの前記チャネル状態情報CSIから前記M個のCSI−RSリソースのCSIを決定するように構成された決定モジュールと、
前記M個のCSI−RSリソースの前記CSIおよび前記M個のCSI−RSリソースの指示情報を基地局にフィードバックするように構成されたフィードバックモジュールと
を備える、ユーザ機器。
【請求項５７】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項56に記載のユーザ機器。
【請求項５８】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記フィードバックモジュールが、具体的に、フィードバックモードおよびフィードバックタイプに従って、前記M個のCSI−RSリソースの前記CSIおよび前記M個のCSI−RSリソースの前記指示情報を前記基地局にフィードバックするように構成され、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、
請求項56または57に記載のユーザ機器。
【請求項５９】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項58に記載のユーザ機器。
【請求項６０】
前記第1のフィードバック期間＞前記第2のフィードバック期間＞前記第3のフィードバック期間である、請求項59に記載のユーザ機器。
【請求項６１】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、前記M個のCSI−RSリソースのRI、および前記M個のCSI−RSリソースのPMI1を備え、前記第5のフィードバックタイプのフィードバックパラメータが、前記M個のCSI−RSリソースに従って測定によって取得されたPMI2およびCQIを備える、
請求項58に記載のユーザ機器。
【請求項６２】
前記第4のフィードバック期間＞前記第5のフィードバック期間である、請求項61に記載のユーザ機器。
【請求項６３】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項58に記載のユーザ機器。
【請求項６４】
前記第6のフィードバック期間＞前記第7のフィードバック期間＞前記第8のフィードバック期間である、請求項63に記載のユーザ機器。
【請求項６５】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、
請求項58に記載のユーザ機器。
【請求項６６】
前記第9のフィードバック期間＞前記第10のフィードバック期間である、請求項65に記載のユーザ機器。
【請求項６７】
前記M個のCSI−RSリソースの前記RIが、前記M個のCSI−RSリソースに従って測定によって取得される、請求項58から66のいずれか一項に記載のユーザ機器。
【請求項６８】
前記第1のフィードバックモードにおいてMが1である、請求項59から66のいずれか一項に記載のユーザ機器。
【請求項６９】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記MPI2がM個のPMI2である、
請求項58に記載のユーザ機器。
【請求項７０】
前記第11の期間＞前記第12の期間＞前記第13の期間である、請求項69に記載のユーザ機器。
【請求項７１】
M≧2であり、前記CSI−RSリソースのPMI1が同じであるかまたは異なり、前記CSI−RSリソースのPMI2が異なり、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバック期間のフィードバックパラメータが、前記M個のCSI−RSリソースのうちの残りのリソースに従って測定によって取得されたPMI2を備え、前記第18のフィードバック期間のフィードバックパラメータが、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項58に記載のユーザ機器。
【請求項７２】
前記第14のフィードバック期間＞前記第15のフィードバック期間＞前記第16のフィードバック期間＞前記第17のフィードバック期間＞前記第18のフィードバック期間である、請求項71に記載のユーザ機器。
【請求項７３】
Mが前記基地局によって前記UEに通知されるか、または前記UEによって決定される、請求項56から72のいずれか一項に記載のユーザ機器。
【請求項７４】
前記決定モジュールが、Mに応じて前記フィードバックモードを決定するようにさらに構成される、請求項58から72のいずれか一項に記載のユーザ機器。
【請求項７５】
前記フィードバックモジュールが、様々なフィードバックタイプにおいて前記第1の指示情報および前記第2の指示情報をフィードバックするように構成される、請求項58に記載のユーザ機器。
【請求項７６】
前記フィードバックモジュールが、具体的に、前記M個のCSI−RSリソースの前記指示情報を前記基地局に非周期的にフィードバックするように構成される、請求項56に記載のユーザ機器。
【請求項７７】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つである：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
請求項58に記載のユーザ機器。
【請求項７８】
基地局であって、
ユーザ機器UEによってフィードバックされたM個のCSI−RSリソースのCSIおよび前記M個のCSI−RSリソースの指示情報を受信するように構成された受信モジュールであって、前記M個のCSI−RSリソースがN個のCSI−RSリソースから前記UEによって選択され、前記N個のCSI−RSリソースが前記基地局によって構成され、前記UEによって受信され、前記CSI−RSリソースが少なくとも1つのポートを備え、N≧2であり、Nが整数である、受信モジュールと、
前記M個のCSI−RSリソースに従ってプリコーディングを実施するように構成されたプリコーディングモジュールと
を備える、基地局。
【請求項７９】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項78に記載の基地局。
【請求項８０】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記受信モジュールが、具体的に、フィードバックモードおよびフィードバックパラメータに従って、前記UEによってフィードバックされた前記M個のCSI−RSリソースの前記CSIおよび前記M個のCSI−RSリソースの前記指示情報を受信するように構成され、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、
請求項77または78に記載の基地局。
【請求項８１】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項80に記載の基地局。
【請求項８２】
前記第1のフィードバック期間＞前記第2のフィードバック期間＞前記第3のフィードバック期間である、請求項81に記載の基地局。
【請求項８３】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、前記M個のCSI−RSリソースのRI、および前記M個のCSI−RSリソースに従って測定によって取得されたPMI1を備え、前記第5のフィードバックタイプのフィードバックパラメータが、前記M個のCSI−RSリソースに従って測定によって取得されたPMI2およびCQIを備える、
請求項80に記載の基地局。
【請求項８４】
前記第4のフィードバック期間＞前記第5のフィードバック期間である、請求項83に記載の基地局。
【請求項８５】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項80に記載の基地局。
【請求項８６】
前記第6のフィードバック期間＞前記第7のフィードバック期間＞前記第8のフィードバック期間である、請求項85に記載の基地局。
【請求項８７】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項80に記載の基地局。
【請求項８８】
前記第9のフィードバック期間＞前記第10のフィードバック期間である、請求項87に記載の基地局。
【請求項８９】
前記M個のCSI−RSリソースの前記RIが、前記M個のCSI−RSリソースに従って測定によって取得される、請求項80から88のいずれか一項に記載の基地局。
【請求項９０】
前記第1のフィードバックモードにおいてMが1である、請求項81から88のいずれか一項に記載の基地局。
【請求項９１】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記MPI2がM個のPMI2である、
請求項80に記載の基地局。
【請求項９２】
前記第11の期間＞前記第12の期間＞前記第13の期間である、請求項91に記載の基地局。
【請求項９３】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバック期間のフィードバックパラメータが、前記M個のCSI−RSリソースのうちの残りのリソースに従って測定によって取得されたPMI2を備え、前記第18のフィードバック期間のフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項80に記載の基地局。
【請求項９４】
前記第14のフィードバック期間＞前記第15のフィードバック期間＞前記第16のフィードバック期間＞前記第17のフィードバック期間＞前記第18のフィードバック期間である、請求項93に記載の基地局。
【請求項９５】
M≧2であり、前記CSI−RSリソースのPMI1が同じであるかまたは異なり、前記CSI−RSリソースのPMI2が異なり、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバック期間のフィードバックパラメータが、前記M個のCSI−RSリソースのうちの残りのリソースに従って測定によって取得されたPMI2を備え、前記第18のフィードバック期間のフィードバックパラメータが、前記M個のCSI−RSリソースに従って測定によって取得されたCQIを備え、前記CSI−RSリソースの前記PMI1が同じである場合、前記PMI1の数が1であり、または前記CSI−RSリソースの前記PMI1が異なる場合、前記PMI1がM個の異なるPMI1である、
請求項80に記載の基地局。
【請求項９６】
前記第14のフィードバック期間＞前記第15のフィードバック期間＞前記第16のフィードバック期間＞前記第17のフィードバック期間＞前記第18のフィードバック期間である、請求項95に記載の基地局。
【請求項９７】
Mが前記UEによって前記基地局に通知されるか、または前記基地局によって決定される、
請求項78から96のいずれか一項に記載の基地局。
【請求項９８】
前記基地局により、前記UEによってフィードバックされた前記M個のCSI−RSリソースの指示情報を前記受信することが、
前記基地局により、様々なフィードバックタイプにおいて前記UEによってフィードバックされた前記第1の指示情報および前記第2の指示情報を受信すること
を備える、請求項80に記載の基地局。
【請求項９９】
前記基地局により、前記UEによってフィードバックされた前記M個のCSI−RSリソースの指示情報を前記受信することが、
前記基地局により、前記基地局によるトリガリングに従って前記UEによって非周期的にフィードバックされた前記M個のCSI−RSリソースの前記指示情報を受信すること
を備える、請求項78に記載の基地局。
【請求項１００】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つであり：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
前記基地局が、前記UEによって非周期的にフィードバックされた前記M個のCSI−RSリソースの前記指示情報を受信する、
請求項80に記載の基地局。
【請求項１０１】
ユーザ機器であって、
X個のアンテナポートを備える基準信号リソースに従ってチャネル測定を実施して、チャネル状態情報CSIを取得するように構成された決定モジュールと、
基地局に前記チャネル状態情報CSIをフィードバックするように構成されたフィードバックモジュールであって、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、フィードバックモジュールと
を備える、ユーザ機器。
【請求項１０２】
前記X個のアンテナポート用のプリコーディングマトリクスがW＝W1×W2であり、
前記第1のコードワードW1が
【数３５】
2018530274.tif 000175
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数３６】
2018530274.tif 000176
であり、
【数３７】
2018530274.tif 000177
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数３８】
2018530274.tif 000178
であり、
【数３９】
2018530274.tif 000179
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数４０】
2018530274.tif 000180
である、
請求項101に記載のユーザ機器。
【請求項１０３】
前記決定モジュールが、Ma×Na×2個のポートに対応する前記アンテナアレイのランク、前記アンテナアレイの前記水平次元内の固定ビームグループ
【数４１】
2018530274.tif 000181
のグループ番号k、および前記アンテナアレイの前記垂直次元内の固定ビームグループ
【数４２】
2018530274.tif 000182
のグループ番号lを決定するようにさらに構成され、その結果、前記UEが、k、l、および前記第2のコードワードW2に従ってプリコーディングマトリクスを生成し、前記プリコーディングマトリクスに従ってチャネル品質インジケータCQIを決定し、前記チャネル状態情報が、前記ランク、k、l、前記CQI、および前記第2のコードワードW2に対応するプリコーディングマトリクスインジケータPMI2を備え、
前記フィードバックモジュールが、具体的に、フィードバックタイプに従って、前記基地局に前記ランク、k、l、および前記CQIをフィードバックするように構成され、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、
請求項102に記載のユーザ機器。
【請求項１０４】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項103に記載のユーザ機器。
【請求項１０５】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項104に記載のユーザ機器。
【請求項１０６】
W＝W1×W3であり、
前記第1のコードワードW1が
【数４３】
2018530274.tif 000183
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数４４】
2018530274.tif 000184
であり、
【数４５】
2018530274.tif 000185
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数４６】
2018530274.tif 000186
であり、
【数４７】
2018530274.tif 000187
は前記アンテナアレイの前記水平次元に対応する第1のプリコーディングマトリクスであり、kは前記垂直次元に対応する前記第1のプリコーディングマトリクスのインデックスPMI＿H1であり、Kは前記水平次元に対応する第1のプリコーディングマトリクスの総数であり、
【数４８】
2018530274.tif 000188
が前記水平次元内の第2のプリコーディングマトリクスであり、
【数４９】
2018530274.tif 000189
に対する列選択を実施するために使用され、
【数５０】
2018530274.tif 000190
が前記垂直次元内の第2のプリコーディングマトリクスであり、
【数５１】
2018530274.tif 000191
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項101に記載のユーザ機器。
【請求項１０７】
基地局であって、
ユーザ機器UEによってフィードバックされたチャネル状態情報CSIを受信するように構成された受信モジュールであって、前記CSIが、X個のアンテナポートを備える基準信号リソースに従ってチャネル測定により前記ユーザ機器によって取得され、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、受信モジュールと、
前記チャネル状態情報に従ってプリコーディングを実施するように構成されたプリコーディングモジュールと
を備える、基地局。
【請求項１０８】
前記X個のアンテナポート用のプリコーディングマトリクスがW＝W1×W2であり、
前記第1のコードワードW1が
【数５２】
2018530274.tif 000192
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数５３】
2018530274.tif 000193
であり、
【数５４】
2018530274.tif 000194
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数５５】
2018530274.tif 000195
であり、
【数５６】
2018530274.tif 000196
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数５７】
2018530274.tif 000197
である、
請求項107に記載の基地局。
【請求項１０９】
前記チャネル状態情報が、前記UEによって決定されたMa×Na×2個のポートに対応する前記アンテナアレイのランクと、前記UEによって決定された前記アンテナアレイの前記水平次元内の固定ビームグループ
【数５８】
2018530274.tif 000198
のグループ番号kと、前記UEによって決定された前記アンテナアレイの前記垂直次元内の固定ビームグループ
【数５９】
2018530274.tif 000199
のグループ番号lと、前記UEによって決定されたチャネル品質インジケータCQIとを備え、
前記受信モジュールが、具体的に、前記二重コードブック構造およびフィードバックタイプに従って、前記UEによってフィードバックされた前記ランク、k、l、前記CQI、および前記第2のコードワードW2に対応するプリコーディングマトリクスインジケータPMI2を受信するように構成され、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、
請求項108に記載の基地局。
【請求項１１０】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項109に記載の基地局。
【請求項１１１】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項110に記載の基地局。
【請求項１１２】
W＝W1×W3であり、
前記第1のコードワードW1が
【数６０】
2018530274.tif 000200
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数６１】
2018530274.tif 000201
であり、
【数６２】
2018530274.tif 000202
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数６３】
2018530274.tif 000203
であり、
【数６４】
2018530274.tif 000204
は前記アンテナアレイの前記水平次元に対応する第1のプリコーディングマトリクスであり、kは前記垂直次元に対応する前記第1のプリコーディングマトリクスのインデックスPMI＿H1であり、Kは前記水平次元に対応する第1のプリコーディングマトリクスの総数であり、
【数６５】
2018530274.tif 000205
が前記水平次元内の第2のプリコーディングマトリクスであり、
【数６６】
2018530274.tif 000206
に対する列選択を実施するために使用され、
【数６７】
2018530274.tif 000207
が前記垂直次元内の第2のプリコーディングマトリクスであり、
【数６８】
2018530274.tif 000208
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項107に記載の基地局。
【請求項１１３】
プロセッサおよびメモリを備え、前記メモリが実行命令を記憶し、前記端末デバイスが動作するときに前記プロセッサが前記メモリと通信し、前記プロセッサが前記実行命令を実行して、前記端末デバイスが請求項1から22のいずれか一項に記載の方法を実施することを可能にする、ユーザ機器。
【請求項１１４】
プロセッサおよびメモリを備え、前記メモリが実行命令を記憶し、前記端末デバイスが動作するときに前記プロセッサが前記メモリと通信し、前記プロセッサが前記実行命令を実行して、前記端末デバイスが請求項23から43のいずれか一項に記載の方法を実施することを可能にする、基地局。
【請求項１１５】
プロセッサおよびメモリを備え、前記メモリが実行命令を記憶し、前記ネットワークデバイスが動作するときに前記プロセッサが前記メモリと通信し、前記プロセッサが前記実行命令を実行して、前記ネットワークデバイスが請求項44から49のいずれか一項に記載の方法を実施することを可能にする、ユーザ機器。
【請求項１１６】
プロセッサおよびメモリを備え、前記メモリが実行命令を記憶し、前記ネットワークデバイスが動作するときに前記プロセッサが前記メモリと通信し、前記プロセッサが前記実行命令を実行して、前記ネットワークデバイスが請求項50から55のいずれか一項に記載の方法を実施することを可能にする、基地局。
【発明の詳細な説明】
【技術分野】
【０００１】
本発明の実施形態は通信技術に関し、詳細には、チャネル状態情報フィードバック方法、ユーザ機器、および基地局に関する。
【背景技術】
【０００２】
ロングタームエボリューション（Long Term Evolution、LTE）システムでは、従来のアンテナアレイは、垂直方向に固定された下向きの傾きを有し、すなわち、垂直方向のセル内のユーザ機器ごとに固定ビームを供給する。セルエッジユーザのスループット率およびセルの平均スループット率を改善するために、3次元（3 Dimension、3D）ビームフォーミング（Beaming Forming、BF）技術が導入されている。3Dビームフォーミング技術では、アクティブアンテナシステム（Active Antenna System、AAS）に基づいて、ユーザ機器の位置に応じて垂直方向のユーザ機器ごとに異なる下向きの傾きを有するビームを生成することができ、その結果、水平方向と垂直方向の両方にビームフォーミングが実施される。3Dビームフォーミング技術をサポートするためには、対応するチャネル状態情報がフィードバックされる必要がある。チャネル状態情報には、チャネル品質インジケータ（Channel Quality Indicator、CQI）、プリコーディングマトリクスインジケータ（Precoding Matrix Indicator、PMI）、およびランク指示（Rank Indication、RI）が含まれる。
【０００３】
チャネル状態情報は、通常、チャネル推定によりユーザ機器によって取得される。従来のチャネル推定プロセスでは、ユーザ機器は、チャネル状態情報基準信号（Channel State Information−Reference Signals、CSI−RS）などの、パイロット信号とも呼ばれる基準信号（Reference Signal、RS）を測定し、次いで、推定によって水平次元内のチャネル状態情報を取得し、基地局にチャネル状態情報を報告する。しかしながら、3Dビームフォーミング技術の場合、水平次元内のチャネルに対してチャネル推定を実施することに加えて、ユーザ機器は、垂直次元内のチャネルに対してチャネル推定を実施する必要がある。明らかに、水平次元内のみのチャネル推定をサポートする従来のチャネル推定方法は、3Dビームフォーミング技術に適用することができない。したがって、チャネル状態情報フィードバック方法をどのように提案するかが当業界で緊急に解決されるべき問題になっている。
【発明の概要】
【課題を解決するための手段】
【０００４】
本発明の実施形態は、従来のチャネル推定中に水平次元内のみのチャネル状態情報がフィードバックされるという問題を解決するために、チャネル状態情報フィードバック方法、ユーザ機器、および基地局を提供する。
【０００５】
第1の態様によれば、本発明の一実施形態は、
ユーザ機器UEにより、N個の構成されたチャネル状態情報基準信号CSI−RSリソースを受信することであって、CSI−RSリソースが少なくとも1つのポートを含み、N≧2であり、Nが整数である、受信することと、
UEにより、N個のCSI−RSリソースに対してチャネル測定を実施して、N個のCSI−RSリソースのチャネル状態情報CSIを取得することと、
UEにより、N個のCSI−RSリソースからM個のCSI−RSリソースを選択することであって、M個のCSI−RSリソースが様々なCSIプロセスに属するか、またはM個のCSI−RSリソースが1つのCSIプロセスの様々な構成に属する、選択することと、
UEにより、M個のCSI−RSリソースに応じて、N個のCSI−RSリソースのチャネル状態情報CSIからM個のCSI−RSリソースのCSIを決定することと、
UEにより、M個のCSI−RSリソースのCSIおよびM個のCSI−RSリソースの指示情報を基地局にフィードバックすることと
を含む、チャネル状態情報フィードバック方法を提供する。
【０００６】
第1の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【０００７】
第1の態様または第1の態様の第1の可能な実装形態を参照して、第1の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
UEにより、M個のCSI−RSリソースのCSIおよびM個のCSI−RSリソースの指示情報を基地局にフィードバックすることは、
UEにより、フィードバックモードおよびフィードバックタイプに従って、M個のCSI−RSリソースのCSIおよびM個のCSI−RSリソースの指示情報を基地局にフィードバックすることであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、フィードバックすること
を含む。
【０００８】
第1の態様の第2の可能な実装形態を参照して、第1の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０００９】
第1の態様の第3の可能な実装形態を参照して、第1の態様の第4の可能な実装形態では、第1のフィードバック期間＞第2のフィードバック期間＞第3のフィードバック期間である。
【００１０】
第1の態様の第2の可能な実装形態を参照して、第1の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００１１】
第1の態様の第5の可能な実装形態を参照して、第1の態様の第6の可能な実装形態では、第4のフィードバック期間＞第5のフィードバック期間である。
【００１２】
第1の態様の第2の可能な実装形態を参照して、第1の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００１３】
第1の態様の第7の可能な実装形態を参照して、第1の態様の第8の可能な実装形態では、第6のフィードバック期間＞第7のフィードバック期間＞第8のフィードバック期間である。
【００１４】
第1の態様の第2の可能な実装形態を参照して、第1の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００１５】
第1の態様の第9の可能な実装形態を参照して、第1の態様の第10の可能な実装形態では、第9のフィードバック期間＞第10のフィードバック期間である。
【００１６】
第1の態様の第2から第10の可能な実装形態のうちのいずれか1つを参照して、第1の態様の第11の可能な実装形態では、M個のCSI−RSリソースのRIは、M個のCSI−RSリソースに従って測定によって取得される。
【００１７】
第1の態様の第3から第10の可能な実装形態のうちのいずれか1つを参照して、第1の態様の第12の可能な実装形態では、第1のフィードバックモードにおいてMは1である。
【００１８】
第1の態様の第2の可能な実装形態を参照して、第1の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【００１９】
第1の態様の第13の可能な実装形態を参照して、第1の態様の第14の可能な実装形態では、第11の期間＞第12の期間＞第13の期間である。
【００２０】
第1の態様の第2の可能な実装形態を参照して、第1の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００２１】
第1の態様の第15の可能な実装形態を参照して、第1の態様の第16の可能な実装形態では、第14のフィードバック期間＞第15のフィードバック期間＞第16のフィードバック期間＞第17のフィードバック期間＞第18のフィードバック期間である。
【００２２】
第1の態様または第1の態様の第1から第16の可能な実装形態のうちのいずれか1つを参照して、第1の態様の第17の可能な実装形態では、Mは基地局によってUEに通知されるか、またはUEによって決定される。
【００２３】
第1の態様の第2から第16の可能な実装形態のうちのいずれか1つを参照して、第1の態様の第18の可能な実装形態では、方法は、
UEにより、Mに応じてフィードバックモードを決定すること
をさらに含む。
【００２４】
第1の態様の第3の可能な実装形態を参照して、第1の態様の第19の可能な実装形態では、UEにより、M個のCSI−RSリソースの指示情報を基地局にフィードバックすることは、
UEにより、様々なフィードバックタイプにおいて第1の指示情報および第2の指示情報をフィードバックすること
を含む。
【００２５】
第1の態様を参照して、第1の態様の第20の可能な実装形態では、UEにより、M個のCSI−RSリソースの指示情報を基地局にフィードバックすることは、
UEにより、基地局によるトリガリングに従ってM個のCSI−RSリソースの指示情報を基地局に非周期的にフィードバックすること
を含む。
【００２６】
第1の態様の第3の可能な実装形態を参照して、第1の態様の第21の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【００２７】
第2の態様によれば、本発明の一実施形態は、
基地局により、ユーザ機器UEによってフィードバックされたM個のCSI−RSリソースのCSIおよびM個のCSI−RSリソースの指示情報を受信することであって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信することと、
基地局により、M個のCSI−RSリソースに従ってプリコーディングを実施することと
を含む、チャネル状態情報フィードバック方法を提供する。
【００２８】
第2の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００２９】
第1の態様または第2の態様の第1の可能な実装形態を参照して、第2の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
基地局により、ユーザ機器UEによってフィードバックされたM個のCSI−RSリソースのCSIおよびM個のCSI−RSリソースの指示情報を受信することは、
基地局により、フィードバックモードおよびフィードバックタイプに従って、UEによってフィードバックされたM個のCSI−RSリソースのCSIおよびM個のCSI−RSリソースの指示情報を受信することであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、受信すること
を含む。
【００３０】
第2の態様の第2の可能な実装形態を参照して、第2の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００３１】
第2の態様の第3の可能な実装形態を参照して、第4の態様の第4の可能な実装形態では、第1のフィードバック期間＞第2のフィードバック期間＞第3のフィードバック期間である。
【００３２】
第2の態様の第2の可能な実装形態を参照して、第2の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００３３】
第2の態様の第5の可能な実装形態を参照して、第2の態様の第6の可能な実装形態では、第4のフィードバック期間＞第5のフィードバック期間である。
【００３４】
第2の態様の第2の可能な実装形態を参照して、第2の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００３５】
第2の態様の第7の可能な実装形態を参照して、第2の態様の第8の可能な実装形態では、第6のフィードバック期間＞第7のフィードバック期間＞第8のフィードバック期間である。
【００３６】
第2の態様の第2の可能な実装形態を参照して、第2の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００３７】
第2の態様の第9の可能な実装形態を参照して、第2の態様の第10の可能な実装形態では、第9のフィードバック期間＞第10のフィードバック期間である。
【００３８】
第2の態様の第2から第10の可能な実装形態のうちのいずれか1つを参照して、第2の態様の第11の可能な実装形態では、M個のCSI−RSリソースのRIは、M個のCSI−RSリソースに従って測定によって取得される。
【００３９】
第2の態様の第3から第10の可能な実装形態のうちのいずれか1つを参照して、第2の態様の第12の可能な実装形態では、第1のフィードバックモードにおいてMは1である。
【００４０】
第2の態様の第2の可能な実装形態を参照して、第2の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【００４１】
第2の態様の第13の可能な実装形態を参照して、第2の態様の第14の可能な実装形態では、第11の期間＞第12の期間＞第13の期間である。
【００４２】
第2の態様の第2の可能な実装形態を参照して、第2の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００４３】
第2の態様の第15の可能な実装形態を参照して、第2の態様の第16の可能な実装形態では、第14のフィードバック期間＞第15のフィードバック期間＞第16のフィードバック期間＞第17のフィードバック期間＞第18のフィードバック期間である。
【００４４】
第2の態様または第2の態様の第1から第16の可能な実装形態のうちのいずれか1つを参照して、第2の態様の第17の可能な実装形態では、MはUEによって基地局に通知されるか、または基地局によって決定される。
【００４５】
第2の態様の第2の可能な実装形態を参照して、第2の態様の第18の可能な実装形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【００４６】
第2の態様を参照して、第2の態様の第19の可能な実装形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【００４７】
第2の態様の第2の可能な実装形態を参照して、第2の態様の第20の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つであり：
PTIおよび指示情報が同時にフィードバックされる、PTIが最初にフィードバックされ、次いで指示情報がフィードバックされる、または指示情報が最初にフィードバックされ、次いでPTIがフィードバックされる、
基地局は、UEによって非周期的にフィードバックされたM個のCSI−RSリソースの指示情報を受信する。
【００４８】
第3の態様によれば、本発明の一実施形態は、
ユーザ機器UEにより、X個のアンテナポートを含む基準信号リソースに従ってチャネル測定を実施して、チャネル状態情報CSIを取得することと、
ユーザ機器により、基地局にチャネル状態情報CSIをフィードバックすることであって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックすることと
を含む、チャネル状態情報フィードバック方法を提供する。
【００４９】
第3の態様の第1の可能な実装形態では、X個のアンテナポート用のプリコーディングマトリクスはW＝W1×W2であり、
第1のコードワードW1は
【数１】
2018530274.tif 000003
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数２】
2018530274.tif 000004
であり、
【数３】
2018530274.tif 000005
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数４】
2018530274.tif 000006
であり、
【数５】
2018530274.tif 000007
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数６】
2018530274.tif 000008
である。
【００５０】
第3の態様の第1の可能な実装形態を参照して、第3の態様の第2の可能な実装形態では、UEにより、二重コードブック構造に従って基地局にチャネル状態情報をフィードバックすることの前に、方法は、
UEにより、Ma×Na×2個のポートに対応するアンテナアレイのランクを決定することと、
UEにより、アンテナアレイの水平次元内の固定ビームグループ
【数７】
2018530274.tif 000009
のグループ番号kを決定することと、
UEにより、アンテナアレイの垂直次元内の固定ビームグループ
【数８】
2018530274.tif 000010
のグループ番号lを決定することと、
UEにより、k、l、および第2のコードワードW2に従ってプリコーディングマトリクスを生成し、プリコーディングマトリクスに従ってチャネル品質インジケータCQIを決定することと
をさらに含み、
チャネル状態情報は、ランク、k、l、CQI、および第2のコードワードW2に対応するプリコーディングマトリクスインジケータPMI2を含み、
ユーザ機器により、基地局にCSIをフィードバックすることは、
UEにより、フィードバックタイプに従って、基地局にランク、k、l、およびCQIをフィードバックすることであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、フィードバックすること
を含む。
【００５１】
第3の態様の第2の可能な実装形態を参照して、第3の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【００５２】
第3の態様の第3の可能な実装形態を参照して、第4の態様の第2の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【００５３】
第3の態様の第5の可能な実装形態では、W＝W1×W3であり、
第1のコードワードW1は
【数９】
2018530274.tif 000011
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１０】
2018530274.tif 000012
であり、
【数１１】
2018530274.tif 000013
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１２】
2018530274.tif 000014
であり、
【数１３】
2018530274.tif 000015
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数１４】
2018530274.tif 000016
は水平次元内の第2のプリコーディングマトリクスであり、
【数１５】
2018530274.tif 000017
に対する列選択を実施するために使用され、
【数１６】
2018530274.tif 000018
は垂直次元内の第2のプリコーディングマトリクスであり、
【数１７】
2018530274.tif 000019
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【００５４】
第4の態様によれば、本発明の一実施形態は、
基地局により、ユーザ機器UEによってフィードバックされたチャネル状態情報CSIを受信することであって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信することと、
基地局により、チャネル状態情報に従ってプリコーディングを実施することと
を含む、チャネル状態情報フィードバック方法を提供する。
【００５５】
第4の態様の第1の可能な実装形態では、X個のアンテナポート用のプリコーディングマトリクスはW＝W1×W2であり、
第1のコードワードW1は
【数１８】
2018530274.tif 000020
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１９】
2018530274.tif 000021
であり、
【数２０】
2018530274.tif 000022
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数２１】
2018530274.tif 000023
であり、
【数２２】
2018530274.tif 000024
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数２３】
2018530274.tif 000025
である。
【００５６】
第4の態様の第1の可能な実装形態を参照して、第4の態様の第2の可能な実装形態では、チャネル状態情報は、UEによって決定されたMa×Na×2個のポートに対応するアンテナアレイのランクと、UEによって決定されたアンテナアレイの水平次元内の固定ビームグループ
【数２４】
2018530274.tif 000026
のグループ番号kと、UEによって決定されたアンテナアレイの垂直次元内の固定ビームグループ
【数２５】
2018530274.tif 000027
のグループ番号lと、UEによって決定されたチャネル品質インジケータCQIとを含み、
基地局により、ユーザ機器UEによってフィードバックされたチャネル状態情報CSIを受信することは、
基地局により、フィードバックタイプに従って、UEによってフィードバックされたランク、k、l、CQI、および第2のコードワードW2に対応するプリコーディングマトリクスインジケータPMI2を受信することであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、受信すること
を含む。
【００５７】
第4の態様の第2の可能な実装形態を参照して、第4の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【００５８】
第4の態様の第3の可能な実装形態を参照して、第4の態様の第4の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【００５９】
第4の態様の第5の可能な実装形態では、W＝W1×W3であり、
第1のコードワードW1は
【数２６】
2018530274.tif 000028
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数２７】
2018530274.tif 000029
であり、
【数２８】
2018530274.tif 000030
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数２９】
2018530274.tif 000031
であり、
【数３０】
2018530274.tif 000032
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数３１】
2018530274.tif 000033
は水平次元内の第2のプリコーディングマトリクスであり、
【数３２】
2018530274.tif 000034
に対する列選択を実施するために使用され、
【数３３】
2018530274.tif 000035
は垂直次元内の第2のプリコーディングマトリクスであり、
【数３４】
2018530274.tif 000036
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【００６０】
第5の態様によれば、本発明の一実施形態は、
N個の構成されたチャネル状態情報基準信号CSI−RSリソースを受信するように構成された受信モジュールであって、CSI−RSリソースが少なくとも1つのポートを含み、N≧2であり、Nが整数である、受信モジュールと、
N個のCSI−RSリソースに対してチャネル測定を実施して、N個のCSI−RSリソースのチャネル状態情報CSIを取得するように構成されたチャネル測定モジュールと、
N個のCSI−RSリソースからM個のCSI−RSリソースを選択するように構成された選択モジュールであって、M個のCSI−RSリソースが様々なCSIプロセスに属するか、またはM個のCSI−RSリソースが1つのCSIプロセスの様々な構成に属する、選択モジュールと、
M個のCSI−RSリソースに応じて、N個のCSI−RSリソースのチャネル状態情報CSIからM個のCSI−RSリソースのCSIを決定するように構成された決定モジュールと、
M個のCSI−RSリソースのCSIおよびM個のCSI−RSリソースの指示情報を基地局にフィードバックするように構成されたフィードバックモジュールと
を含む、ユーザ機器を提供する。
【００６１】
第5の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００６２】
第5の態様または第5の態様の第1の可能な実装形態を参照して、第5の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
フィードバックモジュールは、具体的に、フィードバックモードおよびフィードバックタイプに従って、M個のCSI−RSリソースのCSIおよびM個のCSI−RSリソースの指示情報を基地局にフィードバックするように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【００６３】
第5の態様の第2の可能な実装形態を参照して、第5の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００６４】
第5の態様の第3の可能な実装形態を参照して、第5の態様の第4の可能な実装形態では、第1のフィードバック期間＞第2のフィードバック期間＞第3のフィードバック期間である。
【００６５】
第5の態様の第2の可能な実装形態を参照して、第5の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００６６】
第5の態様の第5の可能な実装形態を参照して、第5の態様の第6の可能な実装形態では、第4のフィードバック期間＞第5のフィードバック期間である。
【００６７】
第5の態様の第2の可能な実装形態を参照して、第5の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００６８】
第5の態様の第7の可能な実装形態を参照して、第5の態様の第8の可能な実装形態では、第6のフィードバック期間＞第7のフィードバック期間＞第8のフィードバック期間である。
【００６９】
第5の態様の第2の可能な実装形態を参照して、第5の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００７０】
第5の態様の第9の可能な実装形態を参照して、第5の態様の第10の可能な実装形態では、第9のフィードバック期間＞第10のフィードバック期間である。
【００７１】
第5の態様の第2から第10の可能な実装形態のうちのいずれか1つを参照して、第5の態様の第11の可能な実装形態では、M個のCSI−RSリソースのRIは、M個のCSI−RSリソースに従って測定によって取得される。
【００７２】
第5の態様の第3から第10の可能な実装形態のうちのいずれか1つを参照して、第5の態様の第12の可能な実装形態では、第1のフィードバックモードにおいてMは1である。
【００７３】
第5の態様の第2の可能な実装形態を参照して、第5の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【００７４】
第5の態様の第13の可能な実装形態を参照して、第5の態様の第14の可能な実装形態では、第11の期間＞第12の期間＞第13の期間である。
【００７５】
第5の態様の第2の可能な実装形態を参照して、第5の態様の第15の可能な実装形態では、M≧2であり、CSI−RSリソースのPMI1は同じであるかまたは異なり、CSI−RSリソースのPMI2は異なり、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００７６】
第5の態様の第15の可能な実装形態を参照して、第5の態様の第16の可能な実装形態では、第14のフィードバック期間＞第15のフィードバック期間＞第16のフィードバック期間＞第17のフィードバック期間＞第18のフィードバック期間である。
【００７７】
第5の態様または第5の態様の第1から第16の可能な実装形態のうちのいずれか1つを参照して、第5の態様の第17の可能な実装形態では、Mは基地局によってUEに通知されるか、またはUEによって決定される。
【００７８】
第5の態様の第2から第16の可能な実装形態のうちのいずれか1つを参照して、第5の態様の第18の可能な実装形態では、決定モジュールは、Mに応じてフィードバックモードを決定するようにさらに構成される。
【００７９】
第5の態様の第3の可能な実装形態を参照して、第5の態様の第19の可能な実装形態では、フィードバックモジュールは、様々なフィードバックタイプにおいて第1の指示情報および第2の指示情報をフィードバックするように構成される。
【００８０】
第5の態様を参照して、第5の態様の第20の可能な実装形態では、フィードバックモジュールは、具体的に、M個のCSI−RSリソースの指示情報を基地局に非周期的にフィードバックするように構成される。
【００８１】
第5の態様の第3の可能な実装形態を参照して、第5の態様の第21の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【００８２】
第6の態様によれば、本発明の一実施形態は、
ユーザ機器UEによってフィードバックされたM個のCSI−RSリソースのCSIおよびM個のCSI−RSリソースの指示情報を受信するように構成された受信モジュールであって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信モジュールと、
M個のCSI−RSリソースに従ってプリコーディングを実施するように構成されたプリコーディングモジュールと
を含む、基地局を提供する。
【００８３】
第2の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００８４】
第1の態様または第6の態様の第1の可能な実装形態を参照して、第6の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
受信モジュールは、具体的に、フィードバックモードおよびフィードバックパラメータに従って、UEによってフィードバックされたM個のCSI−RSリソースのCSIおよびM個のCSI−RSリソースの指示情報を受信するように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【００８５】
第6の態様の第2の可能な実装形態を参照して、第6の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００８６】
第6の態様の第3の可能な実装形態を参照して、第6の態様の第4の可能な実装形態では、第1のフィードバック期間＞第2のフィードバック期間＞第3のフィードバック期間である。
【００８７】
第6の態様の第2の可能な実装形態を参照して、第6の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００８８】
第6の態様の第5の可能な実装形態を参照して、第6の態様の第6の可能な実装形態では、第4のフィードバック期間＞第5のフィードバック期間である。
【００８９】
第6の態様の第2の可能な実装形態を参照して、第6の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００９０】
第6の態様の第7の可能な実装形態を参照して、第6の態様の第8の可能な実装形態では、第6のフィードバック期間＞第7のフィードバック期間＞第8のフィードバック期間である。
【００９１】
第6の態様の第2の可能な実装形態を参照して、第6の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００９２】
第6の態様の第9の可能な実装形態を参照して、第6の態様の第10の可能な実装形態では、第9のフィードバック期間＞第10のフィードバック期間である。
【００９３】
第6の態様の第2から第10の可能な実装形態のうちのいずれか1つを参照して、第6の態様の第11の可能な実装形態では、M個のCSI−RSリソースのRIは、M個のCSI−RSリソースに従って測定によって取得される。
【００９４】
第6の態様の第3から第10の可能な実装形態のうちのいずれか1つを参照して、第6の態様の第12の可能な実装形態では、第1のフィードバックモードにおいてMは1である。
【００９５】
第6の態様の第2の可能な実装形態を参照して、第16の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【００９６】
第6の態様の第13の可能な実装形態を参照して、第6の態様の第14の可能な実装形態では、第11の期間＞第12の期間＞第13の期間である。
【００９７】
第6の態様の第2の可能な実装形態を参照して、第6の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００９８】
第6の態様の第15の可能な実装形態を参照して、第6の態様の第16の可能な実装形態では、第14のフィードバック期間＞第15のフィードバック期間＞第16のフィードバック期間＞第17のフィードバック期間＞第18のフィードバック期間である。
【００９９】
第6の態様または第6の態様の第1から第16の可能な実装形態のうちのいずれか1つを参照して、第6の態様の第17の可能な実装形態では、M≧2であり、CSI−RSリソースのPMI1は同じであるかまたは異なり、CSI−RSリソースのPMI2は異なり、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1はM個の異なるPMI1である。
【０１００】
第6の態様または第6の態様の第1から第16の可能な実装形態のうちのいずれか1つを参照して、第6の態様の第17の可能な実装形態では、第14のフィードバック期間＞第15のフィードバック期間＞第16のフィードバック期間＞第17のフィードバック期間＞第18のフィードバック期間である。
【０１０１】
第6の態様または第6の態様の第1から第16の可能な実装形態のうちのいずれか1つを参照して、第6の態様の第17の可能な実装形態では、MはUEによって基地局に通知されるか、または基地局によって決定される。
【０１０２】
第6の態様の第2の可能な実装形態を参照して、第6の態様の第18の可能な実装形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【０１０３】
第6の態様を参照して、第6の態様の第19の可能な実装形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【０１０４】
第6の態様の第2の可能な実装形態を参照して、第6の態様の第20の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つであり：
PTIおよび指示情報が同時にフィードバックされる、PTIが最初にフィードバックされ、次いで指示情報がフィードバックされる、または指示情報が最初にフィードバックされ、次いでPTIがフィードバックされる、
基地局は、UEによって非周期的にフィードバックされたM個のCSI−RSリソースの指示情報を受信する。
第7の態様によれば、本発明の一実施形態は、
X個のアンテナポートを含む基準信号リソースに従ってチャネル測定を実施して、チャネル状態情報CSIを取得するように構成された決定モジュールと、
基地局にチャネル状態情報CSIをフィードバックするように構成されたフィードバックモジュールであって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックモジュールと
を含む、ユーザ機器を提供する。
【０１０５】
第7の態様の第1の可能な実装形態では、X個のアンテナポート用のプリコーディングマトリクスはW＝W1×W2であり、
第1のコードワードW1は
【数３５】
2018530274.tif 000037
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数３６】
2018530274.tif 000038
であり、
【数３７】
2018530274.tif 000039
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数３８】
2018530274.tif 000040
であり、
【数３９】
2018530274.tif 000041
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数４０】
2018530274.tif 000042
である。
【０１０６】
第7の態様の第1の可能な実装形態を参照して、第7の態様の第2の可能な実装形態では、決定モジュールは、Ma×Na×2個のポートに対応するアンテナアレイのランク、アンテナアレイの水平次元内の固定ビームグループ
【数４１】
2018530274.tif 000043
のグループ番号k、およびアンテナアレイの垂直次元内の固定ビームグループ
【数４２】
2018530274.tif 000044
のグループ番号lを決定するようにさらに構成され、その結果、UEは、k、l、および第2のコードワードW2に従ってプリコーディングマトリクスを生成し、プリコーディングマトリクスに従ってチャネル品質インジケータCQIを決定し、チャネル状態情報は、ランク、k、l、CQI、および第2のコードワードW2に対応するプリコーディングマトリクスインジケータPMI2を含み、
フィードバックモジュールは、具体的に、フィードバックタイプに従って、基地局にランク、k、l、およびCQIをフィードバックするように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０１０７】
第7の態様の第2の可能な実装形態を参照して、第7の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０１０８】
第7の態様の第3の可能な実装形態を参照して、第4の態様の第2の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０１０９】
第7の態様の第5の可能な実装形態では、W1×W2；
W＝W1×W3であり、
第1のコードワードW1は
【数４３】
2018530274.tif 000045
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数４４】
2018530274.tif 000046
であり、
【数４５】
2018530274.tif 000047
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数４６】
2018530274.tif 000048
であり、
【数４７】
2018530274.tif 000049
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数４８】
2018530274.tif 000050
は水平次元内の第2のプリコーディングマトリクスであり、
【数４９】
2018530274.tif 000051
に対する列選択を実施するために使用され、
【数５０】
2018530274.tif 000052
は垂直次元内の第2のプリコーディングマトリクスであり、
【数５１】
2018530274.tif 000053
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０１１０】
第8の態様によれば、本発明の一実施形態は、
ユーザ機器UEによってフィードバックされたチャネル状態情報CSIを受信するように構成された受信モジュールであって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信モジュールと、
チャネル状態情報に従ってプリコーディングを実施するように構成されたプリコーディングモジュールと
を含む、基地局を提供する。
【０１１１】
第8の態様の第1の可能な実装形態では、X個のアンテナポート用のプリコーディングマトリクスはW＝W1×W2であり、
第1のコードワードW1は
【数５２】
2018530274.tif 000054
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数５３】
2018530274.tif 000055
であり、
【数５４】
2018530274.tif 000056
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数５５】
2018530274.tif 000057
であり、
【数５６】
2018530274.tif 000058
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数５７】
2018530274.tif 000059
である。
【０１１２】
第8の態様の第1の可能な実装形態を参照して、第8の態様の第2の可能な実装形態では、チャネル状態情報は、UEによって決定されたMa×Na×2個のポートに対応するアンテナアレイのランクと、UEによって決定されたアンテナアレイの水平次元内の固定ビームグループ
【数５８】
2018530274.tif 000060
のグループ番号kと、UEによって決定されたアンテナアレイの垂直次元内の固定ビームグループ
【数５９】
2018530274.tif 000061
のグループ番号lと、UEによって決定されたチャネル品質インジケータCQIとを含み、
受信モジュールは、具体的に、二重コードブック構造およびフィードバックタイプに従って、UEによってフィードバックされたランク、k、l、CQI、および第2のコードワードW2に対応するプリコーディングマトリクスインジケータPMI2を受信するように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０１１３】
第8の態様の第2の可能な実装形態を参照して、第8の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０１１４】
第8の態様の第3の可能な実装形態を参照して、第8の態様の第4の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０１１５】
第8の態様の第5の可能な実装形態では、W＝W1×W3であり、
第1のコードワードW1は
【数６０】
2018530274.tif 000062
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数６１】
2018530274.tif 000063
であり、
【数６２】
2018530274.tif 000064
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数６３】
2018530274.tif 000065
であり、
【数６４】
2018530274.tif 000066
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数６５】
2018530274.tif 000067
は水平次元内の第2のプリコーディングマトリクスであり、
【数６６】
2018530274.tif 000068
に対する列選択を実施するために使用され、
【数６７】
2018530274.tif 000069
は垂直次元内の第2のプリコーディングマトリクスであり、
【数６８】
2018530274.tif 000070
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０１１６】
第9の態様によれば、本発明の一実施形態は、プロセッサおよびメモリを含むユーザ機器を提供し、メモリは実行命令を記憶し、プロセッサはユーザ機器が動作するときにメモリと通信し、プロセッサは実行命令を実行して、第1の態様または第1の態様の第1から第21の可能な実装形態のうちのいずれか1つをユーザ機器が実行することを可能にする。
【０１１７】
第10の態様によれば、本発明の一実施形態は、プロセッサおよびメモリを含む基地局を提供し、メモリは実行命令を記憶し、プロセッサは基地局が動作するときにメモリと通信し、プロセッサは実行命令を実行して、第2の態様または第2の態様の第1から第20の可能な実装形態のうちのいずれか1つを基地局が実行することを可能にする。
【０１１８】
第11の態様によれば、本発明の一実施形態は、プロセッサおよびメモリを含むユーザ機器を提供し、メモリは実行命令を記憶し、プロセッサはユーザ機器が動作するときにメモリと通信し、プロセッサは実行命令を実行して、第3の態様または第3の態様の第1から第5の可能な実装形態のうちのいずれか1つをユーザ機器が実行することを可能にする。
【０１１９】
第12の態様によれば、本発明の一実施形態は、プロセッサおよびメモリを含む基地局を提供し、メモリは実行命令を記憶し、プロセッサは基地局が動作するときにメモリと通信し、プロセッサは実行命令を実行して、第4の態様または第4の態様の第1から第5の可能な実装形態のうちのいずれか1つを基地局が実行することを可能にする。
【０１２０】
本発明の実施形態において提供される、チャネル状態情報フィードバック方法、ユーザ機器、および基地局によれば、ユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【図面の簡単な説明】
【０１２１】
【図１Ａ】本発明の実施形態に適用可能な4×4アンテナアレイの概略図である。
【図１Ｂ】本発明の実施形態に適用可能な2×8アンテナアレイの概略図である。
【図１Ｃ】本発明の実施形態に適用可能な別の4×4アンテナアレイの概略図である。
【図２】本発明の実施形態に適用可能なビーム方向およびCSI−RSリソースポートの概略図である。
【図３】本発明によるチャネル状態情報フィードバック方法の実施形態1のフローチャートである。
【図４】本発明によるチャネル状態情報フィードバック方法の実施形態2のフローチャートである。
【図５】本発明によるチャネル状態情報フィードバック方法の概略図である。
【図６】本発明によるチャネル状態情報フィードバック方法におけるフィードバックモード1−1のサブモード1の第1の方式および第2の方式の概略図である。
【図７】本発明によるチャネル状態情報フィードバック方法におけるフィードバックモード1−1のサブモード2の第1の方式および第2の方式の概略図である。
【図８Ａ】本発明によるチャネル状態情報フィードバック方法の別の概略図である。
【図８Ｂ】本発明によるチャネル状態情報フィードバック方法の別の概略図である。
【図９】本発明によるチャネル状態情報フィードバック方法におけるフィードバックモード1−1のサブモード3の概略図である。
【図１０】本発明によるチャネル状態情報フィードバック方法におけるフィードバックモード2−1の概略図である。
【図１１Ａ】本発明によるチャネル状態情報フィードバック方法の概略図である。
【図１１Ｂ】本発明によるチャネル状態情報フィードバック方法の概略図である。
【図１１Ｃ】本発明によるチャネル状態情報フィードバック方法の概略図である。
【図１１Ｄ】本発明によるチャネル状態情報フィードバック方法の概略図である。
【図１１Ｅ】本発明によるチャネル状態情報フィードバック方法の概略図である。
【図１２】本発明によるチャネル状態情報フィードバック方法の実施形態3のフローチャートである。
【図１３】本発明によるチャネル状態情報フィードバック方法の実施形態4のフローチャートである。
【図１４】本発明によるユーザ機器の実施形態1の概略構造図である。
【図１５】本発明による基地局の実施形態1の概略構造図である。
【図１６】本発明によるユーザ機器の実施形態2の概略構造図である。
【図１７】本発明による基地局の実施形態2の概略構造図である。
【図１８】本発明によるユーザ機器の実施形態3の概略構造図である。
【図１９】本発明による基地局の実施形態3の概略構造図である。
【図２０】本発明によるユーザ機器の実施形態4の概略構造図である。
【図２１】本発明による基地局の実施形態4の概略構造図である。
【発明を実施するための形態】
【０１２２】
図1Aは本発明の実施形態に適用可能な4×4アンテナアレイの概略図であり、図1Bは本発明の実施形態に適用可能な2×8アンテナアレイの概略図であり、図1Cは本発明の実施形態に適用可能な別の4×4アンテナアレイの概略図である。図1A〜図1Cを参照されたい。本発明の実施形態では、水平次元と垂直次元の両方で、AASアンテナアレイに対してビームフォーミングが実施される場合がある。垂直次元内のビームフォーミング中、垂直次元内のAASアンテナアレイにおいて様々なビーム（beam）が形成される場合がある。各ビームの様々な方向は様々なCSI−RSリソースポート（port）に対応し、様々なCSI−RSリソースポートは、1つのCSI−RSリソースの様々なポートであり得るか、または様々なCSI−RSリソースのポートであり得る。詳細については、図2を参照されたい。図2は、本発明の実施形態に適用可能なビーム方向およびCSI−RSリソースポートの概略図である。
【０１２３】
図2に示されたように、CSI−RSリソースPort0〜port3は、AASアンテナアレイにおいて垂直次元内に形成された方向のビーム用に構成され、CSI−RSリソースPort4〜port7は、別の方向のビーム用に構成される。
【０１２４】
3Dビームフォーミング技術の場合、チャネル推定中、水平次元内のチャネルに対してチャネル推定を実施することに加えて、ユーザ機器は、垂直次元内のチャネルに対してチャネル推定を実施する必要がある。様々な方向のビームは垂直次元内の様々なCSI−RSリソースを有することを、図1A〜図1Cおよび図2から知ることができる。明らかに、水平次元内のみのチャネル推定をサポートする従来のチャネル推定方法は、3Dビームフォーミング技術に適用することができない。したがって、チャネル状態情報フィードバック方法をどのように提案するかが当業界で緊急に解決されるべき問題になっている。
【０１２５】
図3は、本発明によるチャネル状態情報フィードバック方法の実施形態1のフローチャートである。この実施形態は、ユーザ機器（User Equipment、UE）によって実行され、3Dビームフォーミング技術において、チャネル推定が実施される必要があるシナリオに適用可能である。具体的には、この実施形態は以下のステップを含む。
【０１２６】
101．ユーザ機器UEがN個の構成されたチャネル状態情報基準信号CSI−RSリソースを受信し、CSI−RSリソースは少なくとも1つのポートを含み、N≧2であり、Nは整数である。
【０１２７】
このステップでは、UEはN個の構成されたCSI−RSリソースを受信する。Nは、前もってUEのために基地局によって構成されたCSI−RSリソースの数である。UEは、チャネル測定用にCSI−RSリソースのいくつかまたはすべてを選択する。たとえば、N＝2であるとき、UEは1つまたは2つのCSI−RSリソースを選択し、1つまたは2つのCSI−RSリソースを測定してチャネル状態情報を取得し、チャネル状態情報をフィードバックする。別の例を挙げると、N＝3であるとき、UEは1つ、2つ、または3つのCSI−RSリソースを選択し、選択されたCSI−RSリソースを測定してチャネル状態情報を取得し、基地局にチャネル状態情報をフィードバックする。
【０１２８】
102．UEがN個のCSI−RSリソースに対してチャネル測定を実施して、N個のCSI−RSリソースのチャネル状態情報CSIを取得する。
【０１２９】
このステップでは、UEはN個の決定されたCSI−RSリソースに含まれるポート対してチャネル測定を実施して、N個のCSI−RSリソースのチャネル状態情報CSIを取得する。CSI−RSリソースに含まれる1つ、2つ、4つ、または8つのポートが存在する場合がある。各CSI−RSリソースのCSIは、たとえば、CQI、PMI、またはRIを含む場合がある。CQIは、変調およびコーディング方式（Modulation and Coding Scheme、MCS）などをスケジュールし調整するためにユーザによって使用される。PMIは、ビームフォーミング、マルチユーザスケジューリングなどに使用され、第1のコードワードW1に対応するPMI1と、第2のコードワードW2に対応するPMI2とを含む。RIは、データ伝送などに使用されるレイヤの数を決定するために使用される。
【０１３０】
103．UEがN個のCSI−RSリソースからM個のCSI−RSリソースを選択し、M個のCSI−RSリソースは様々なCSIプロセスに属するか、またはM個のCSI−RSリソースは1つのCSI−RSリソースプロセスの様々な構成に属する。
【０１３１】
UEは、N個の構成されたCSI−RSリソースからM個のCSI−RSリソースを選択する。選択原理は、M個のCSI−RSリソースが様々なCSIプロセス（process）に属するか、またはM個のCSI−RSリソースが1つのCSI−RSリソースプロセス（process）の様々な構成（configuration）に属することである。
【０１３２】
104．UEが、M個のCSI−RSリソースに応じて、N個のCSI−RSリソースのチャネル状態情報CSIからM個のCSI−RSリソースのCSIを決定する。
【０１３３】
このステップでは、M個のCSI−RSリソースに対応するM個のCSIは、103において選択されたM個のCSI−RSリソースに応じて、102のN個のCSI−RSリソースのCSIから選択される。
【０１３４】
105．UEが、M個のCSI−RSリソースのCSIおよびM個のCSI−RSリソースの指示情報を基地局にフィードバックする。
【０１３５】
本発明のこの実施形態では、M個のCSI−RSリソースのCSIは水平次元内のCSIと等価であり、基地局は指示情報に対応する垂直次元内のCSIを記憶し、基地局は、M個のCSI−RSリソースのインデックスに従って垂直次元内のCSIを決定することができる。したがって、水平次元と垂直次元の両方におけるCSIを取得することができる。
【０１３６】
本発明のこの実施形態において提供されるチャネル状態情報フィードバック方法によれば、ユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０１３７】
図4は、本発明によるチャネル状態情報フィードバック方法の実施形態2のフローチャートである。この実施形態は、基地局によって実行され、3Dビームフォーミング技術において、チャネル推定が実施される必要があるシナリオに適用可能である。具体的には、この実施形態は以下のステップを含む。
【０１３８】
201．基地局が、ユーザ機器UEによってフィードバックされたM個のCSI−RSリソースのCSIおよびM個のCSI−RSリソースの指示情報を受信し、M個のCSI−RSリソースはN個のCSI−RSリソースからUEによって選択され、N個のCSI−RSリソースは基地局によって構成され、UEによって受信され、CSI−RSリソースは少なくとも1つのポートを含み、N≧2であり、Nは整数である。
【０１３９】
このステップでは、N、CSI−RSリソースのポート、チャネル状態情報CSIなどの具体的な説明については図3の実施形態を参照されたく、詳細は本明細書では再び記載されない。
【０１４０】
202．基地局がM個のCSI−RSリソースに従ってプリコーディングを実施する。
【０１４１】
本発明のこの実施形態において提供されるチャネル状態情報フィードバック方法によれば、基地局は、ユーザ機器によってフィードバックされた水平次元内のM個のCSI−RSリソースのチャネル状態情報およびM個のCSI−RSリソースの指示情報を受信し、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される
【０１４２】
場合によっては、前述の実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０１４３】
場合によっては、前述の実施形態では、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含む。UEにより、M個のCSI−RSリソースのCSIおよびM個のCSI−RSリソースの指示情報を基地局にフィードバックすることは、UEにより、フィードバックモードおよびフィードバックタイプに従って、M個のCSI−RSリソースのCSIおよびM個のCSI−RSリソースの指示情報を基地局にフィードバックすることであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、フィードバックすることを含む。
【０１４４】
LTEでは、4つのフィードバックモードが定義される：フィードバックモード1−0、フィードバックモード2−0、フィードバックモード1−1、およびフィードバックモード2−1。フィードバックモード1−1およびフィードバックモード2−1では、UEは、CQI、RI、およびPMIをフィードバックする必要がある。以下で、フィードバックモード1−1およびフィードバックモード2−1において、UEがM個のCSI−RSリソースのチャネル状態情報およびM個のCSI−RSリソースの指示情報を基地局にフィードバックするフィードバック方式を詳細に記載する。
【０１４５】
1．フィードバックモード1−1のサブモード1の第1の方式（submodel 1−1）
【０１４６】
このフィードバック方式では、M＝1であり、BIは単独でフィードバックされ、RIおよびW1は同時にフィードバックされ、W2およびCQIは同時にフィードバックされる。
【０１４７】
具体的には、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。第1のフィードバック期間＞第2のフィードバック期間＞第3のフィードバック期間である。
【０１４８】
図5は、本発明によるチャネル状態情報フィードバック方法の概略図である。図5に示されたように、3つのCSR−RSが存在することが想定され、それらは、それぞれ、3つの垂直ビーム方向：（図5において縦線で満たされたパターンで示された）V−B0、（図5において格子で満たされたパターンで示された）V−B1、および（図5において斜線で満たされたパターンで示された）V−B2に対応する。N＝1であるとき、UEは1つのCSR−RSを決定し、すなわち、1つの垂直ビーム方向を決定し、次いで、CSI−RSリソースに含まれるX個のポートに対してチャネル推定を実施して水平次元内のチャネル状態情報を取得し、最終的に、水平次元内のチャネル状態情報およびインデックスを基地局にフィードバックする。たとえば、UEによって決定されたCSI−RSリソースが、この垂直方向でV−B1に対応するCSI−RSリソースである場合、水平次元内のチャネル状態情報は、図5の破線楕円1内に示されたH−B0、H−B1、またはH−B2であり得る。この場合、UEは、V−B1に対応するCSI−RSリソースに含まれるX個のポートに対してチャネル推定を実施して、（図5の破線楕円2内に示された）H−B0などの水平次元内のチャネル状態情報を取得する。
【０１４９】
図6は、本発明によるチャネル状態情報フィードバック方法におけるフィードバックモード1−1のサブモード1の第1の方式および第2の方式の概略図である。
【０１５０】
図6を参照すると、物理アップリンク制御チャネル（Physical Uplink Control Channel、PUCCH）上で、フィードバックモード1−1のサブモード1の第1の方式では、BIはサブフレーム0内でフィードバックされ、RIおよびPMI1はサブフレーム2内でフィードバックされ、PMI2およびCQIはサブフレーム9内でフィードバックされる。
【０１５１】
図6に示されたフィードバックは周期的なフィードバックであることに留意されたい。しかしながら、本発明はこれに限定されない。別の実現可能な実装形態では、たとえば、物理アップリンク共有チャネル（Physical Uplink Shared Channel、PUSCH）上で、フィードバックは非周期的なフィードバックの場合もある。
【０１５２】
2．フィードバックモード1−1のサブモード1の第2の方式（submodel 1−2）
【０１５３】
このフィードバック方式では、M＝1であり、BI、RI、およびPMI1は同時にフィードバックされ、PMI2およびCQIは同時にフィードバックされる。
【０１５４】
具体的には、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。第4のフィードバック期間＞第5のフィードバック期間である。
【０１５５】
再び図6を参照すると、物理アップリンク制御チャネル（Physical Uplink Control Channel、PUCCH）上で、フィードバックモード1−1のサブモード1の第2の方式では、BI、RI、およびPMI1はサブフレーム0内でフィードバックされ、PMI2およびCQIはサブフレーム4内でフィードバックされる。このフィードバックプロセスは周期的なフィードバックプロセスである。代替として、非周期的なフィードバックが実施される場合がある。
【０１５６】
3．フィードバックモード1−1のサブモード2の第1の方式（submodel 2−1）
【０１５７】
このフィードバック方式では、M＝1であり、BIは単独でフィードバックされ、RIは単独でフィードバックされ、PMI1、PMI2、およびCQIは同時にフィードバックされる。
【０１５８】
具体的には、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。第6のフィードバック期間＞第7のフィードバック期間＞第8のフィードバック期間である。
【０１５９】
図7は、本発明によるチャネル状態情報フィードバック方法におけるフィードバックモード1−1のサブモード2の第1の方式および第2の方式の概略図である。
【０１６０】
図7を参照すると、フィードバックモード1−1のサブモード2の第1の方式では、BIはサブフレーム0内でフィードバックされ、RIはサブフレーム2内でフィードバックされ、PMI1、PMI2、およびCQIはサブフレーム9内でフィードバックされる。フィードバックプロセスは周期的なフィードバックプロセスである。代替として、非周期的なフィードバックが実施される場合がある。
【０１６１】
4．フィードバックモード1−1のサブモード2の第2の方式（submodel 1−2）
【０１６２】
このフィードバック方式では、M＝1であり、BIは単独でフィードバックされ、RIは単独でフィードバックされ、PMI1、PMI2、およびCQIは同時にフィードバックされる。
【０１６３】
具体的には、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。第9のフィードバック期間＞第10のフィードバック期間である。
【０１６４】
再び図7を参照すると、フィードバックモード1−1のサブモード2の第2の方式では、BIおよびRIはサブフレーム0内でフィードバックされ、PMI1、PMI2、およびCQIはサブフレーム4内でフィードバックされる。フィードバックプロセスは周期的なフィードバックプロセスである。代替として、非周期的なフィードバックが実施される場合がある。
【０１６５】
前述の第1から第4のフィードバック方式では、M個のCSI−RSリソースのRIはM個のCSI−RSリソースに応じて取得され、第1のフィードバックモードにおいてMは1である。
【０１６６】
5．フィードバックモード1−1のサブモード3の第1の方式（submodel 3−1）
【０１６７】
全体的に、サブモード3の様々なフィードバック方式では、M≧2であり、Mは整数である。
【０１６８】
図8Aは、本発明によるチャネル状態情報フィードバック方法の別の概略図である。図8Bは、本発明によるチャネル状態情報フィードバック方法の別の概略図である。図8Aおよび図8Bに示されたように、3つのCSR−RSが存在することが想定され、それらは、それぞれ、3つの垂直ビーム方向：（図において縦線で満たされたパターンで示された）V−B0、（図において格子で満たされたパターンで示された）V−B1、および（図において斜線で満たされたパターンで示された）V−B2に対応する。N＝2であるとき、UEは2つのCSR−RSを決定し、すなわち、2つの垂直ビーム方向を決定し、次いで、2つのCSI−RSリソースに含まれるX個のポートに対してチャネル推定を実施して水平次元内のチャネル状態情報を取得し、最終的に、水平次元内のチャネル状態情報およびビームインデックスを基地局にフィードバックする。たとえば、UEによって決定されたCSI−RSリソースが、この垂直方向でV−B1およびV−B0に対応するCSI−RSリソースである場合、水平次元内のチャネル状態情報は、図8Aおよび図8Bの破線楕円1内に示されたH−B0、H−B1、またはH−B2であり得る。この場合、UEは、V−B1およびV−B0に対応するCSI−RSリソースに含まれるX個のポートに対してチャネル推定を実施して、図8Aの破線楕円2内に示されたH−B0などの水平次元内のチャネル状態情報を取得する。代替として、UEは、V−B1およびV−B0に対応するCSI−RSリソースに含まれるX個のポートに対してチャネル推定を実施して、図8Bの破線楕円2内に示されたH−B0、H−B1、およびH−B2などの水平次元内のチャネル状態情報を取得する。
【０１６９】
図9は、本発明によるチャネル状態情報フィードバック方法におけるフィードバックモード1−1のサブモード3の概略図である。
【０１７０】
フィードバックモード1−1のサブモード3の第1のフィードバック方式（submodel 3−1）では、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであり、CSI−RSリソースのPMI2は同じである。この場合、UEは最初にRIをフィードバックし、次いで、BI、PMI1、PMI2、およびCQIをフィードバックする。RIは単独でフィードバックされ、BIおよびPMI1は一緒にフィードバックされ、PMI2およびCQIは一緒にフィードバックされる。BIは、M個のCSR−RSに対応するそれぞれのBIである。
【０１７１】
具体的には、フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースのPMI2が同じである場合、PMI2の数は1である。
【０１７２】
図9を参照すると、フィードバックモード1−1のサブモード3の第1の方式では、RIはサブフレーム0内でフィードバックされ、BIおよびW1はサブフレーム2内でフィードバックされ、W2およびCQIはサブフレーム4内でフィードバックされる。フィードバックプロセスは周期的なフィードバックプロセスである。代替として、非周期的なフィードバックが実施される場合がある。
【０１７３】
6．フィードバックモード1−1のサブモード3の第2の方式（submodel 3−2）
【０１７４】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであり、CSI−RSリソースのPMI2は異なる。この場合、UEは最初にRIをフィードバックし、次いで、BI、PMI1、PMI2、およびCQIをフィードバックする。RIは単独でフィードバックされ、BIおよびPMI1は一緒にフィードバックされ、PMI2およびCQIは一緒にフィードバックされる。BIは、M個のCSR−RSに対応するそれぞれの指示情報である。
【０１７５】
具体的には、フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースのPMI2が異なる場合、MPI2はM個の異なるPMI2である。第11の期間＞第12の期間＞第13の期間である
【０１７６】
図9を参照すると、フィードバックモード1−1のサブモード3の第2の方式では、RIはサブフレーム0内でフィードバックされ、BIおよびPMI1はサブフレーム2内でフィードバックされ、測定によって取得されたPMI2およびCQIはサブフレーム4内でフィードバックされる。フィードバックプロセスは周期的なフィードバックプロセスである。代替として、非周期的なフィードバックが実施される場合がある。代替として、測定によって取得されたPMI2は、様々なサブフレーム内でフィードバックされる場合がある。
【０１７７】
7．フィードバックモード1−1のサブモード3の第3の方式（submodel 3−3）
【０１７８】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであるかまたは異なり、CSI−RSリソースのPMI2は異なる。この場合、UEは最初にRIをフィードバックし、次いで、BI、PMI1、PMI2、およびCQIをフィードバックする。RIは単独でフィードバックされ、BIおよびPMI1は一緒にフィードバックされ、様々なPMI2は様々なサブフレーム内でフィードバックされ、CQIは単独でフィードバックされる。指示情報は、M個のCSR−RSに対応するそれぞれの指示情報である。
【０１７９】
具体的には、フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1の数はMである。
【０１８０】
図9を参照すると、UEによって決定されたCSR−RSのBIがBI0およびBI1であることが想定される。フィードバックモード1−1のサブモード3の第3の方式では、RIはサブフレーム0内でフィードバックされ、BIおよびW1はサブフレーム2内でフィードバックされ、BI0に対応するW2はサブフレーム4内でフィードバックされ、BI1に対応するW2はサブフレーム7内でフィードバックされ、CQIはサブフレーム9内でフィードバックされる。フィードバックプロセスは周期的なフィードバックプロセスである。代替として、非周期的なフィードバックが実施される場合がある。
【０１８１】
8．フィードバックモード1−1のサブモード3の第4の方式（submodel 3−4）
【０１８２】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は異なり、CSI−RSリソースのPMI2は異なる。この場合、UEは最初にRIをフィードバックし、次いで、BI、PMI1、PMI2、およびCQIをフィードバックする。RIは単独でフィードバックされ、様々なPMI1は1つのサブフレーム内でフィードバックされ、様々なPMI2は1つのサブフレーム内でフィードバックされ、CQIは単独でフィードバックされる。
【０１８３】
具体的には、図9を参照すると、UEによって決定されたCSR−RSのBIがBI0およびBI1であることが想定される。フィードバックモード1−1のサブモード3の第4の方式では、RIはサブフレーム0内でフィードバックされ、BIおよび異なるW1はサブフレーム2内でフィードバックされ、異なるW2はサブフレーム4内でフィードバックされ、CQIはサブフレーム7内でフィードバックされる。フィードバックプロセスは周期的なフィードバックプロセスである。代替として、非周期的なフィードバックが実施される場合がある。
【０１８４】
9．フィードバックモード2−1
【０１８５】
このフィードバックモードでは、チャネル状態情報は、プリコーディングタイプインジケータPTI、ランク指示RI、広帯域コードワードW1に対応するPMI1、広帯域コードワードW2に対応するPMI2、広帯域チャネル品質インジケータCQI、サブバンドコードワードW2に対応するPMI3、およびサブバンドチャネル品質インジケータCQIを含む。この場合、BIおよびPTIは1つのサブフレーム内でフィードバックされる。PTI＝0である場合、PMI1、RI、PMI2、および広帯域CQIは、その後に報告される。次いで、RI、PTI＝1、PMI2、広帯域CQI、PMI3、およびサブバンドCQIが報告される。PTIが0に等しいとき、BIは再び測定および報告される必要がある。
【０１８６】
具体的には、図10を参照すると、図10は、本発明によるチャネル状態情報フィードバック方法におけるフィードバックモード2−1の概略図である。広帯域はwbと表記される場合があり、サブバンドはsbと表記される場合がある。
【０１８７】
10．PTIフィードバック
【０１８８】
CSIは、プリコーディングタイプインデックスPTI、サブバンドコードワードW2に対応するプリコーディングマトリクスインジケータPMI2、およびサブバンドチャネル品質インジケータCQIをさらに含む。PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。PMI＝0であるとき、指示情報は更新され、またはPMI＝1であるとき、指示情報は更新されない。PTIおよび指示情報をフィードバックする順番は、以下の順番のうちの1つである：PTIおよび指示情報が同時にフィードバックされる、PTIが最初にフィードバックされ、次いで指示情報がフィードバックされる、または指示情報が最初にフィードバックされ、次いでPTIがフィードバックされる。
【０１８９】
具体的には、図11A〜図11Eの第1から第7のフィードバック方式を参照されたい。図11A〜図11Eは、本発明によるチャネル状態情報フィードバック方法の概略図である。第6および第7のフィードバック方式は、non−rprecodedチャネル状態情報のフィードバックに適用可能である。
【０１９０】
図11A〜図11Eを参照すると、図11A〜図11Eはフィードバックモードa〜eを含む。フィードバックモードfは図11A〜図11Eには示されていない。
【０１９１】
フィードバックモードa：第1のフィードバックタイプがPTIを含み、第2のフィードバックタイプが選択されたM個のCSI−RSリソースの指示情報BIを含み、第3のフィードバックタイプが選択されたM個のCSI−RSリソースに従って測定によって取得された広帯域W1およびRIを含み、第4のフィードバックタイプが広帯域W2および広帯域CQIを含み、第5のフィードバックタイプがサブバンドW2およびサブバンドCQIを含む。
【０１９２】
PTI＝0であるときのみ、BIが報告される。PTI＝1であるとき、BIは報告されない。
【０１９３】
PTI＝0であるとき、第2のフィードバックタイプ、第3のフィードバックタイプ、および第4のフィードバックタイプが報告される。PTI＝1であるとき、第4のフィードバックタイプおよび第5のフィードバックタイプが報告される。
【０１９４】
フィードバックモードb：第1のフィードバックタイプがBIを含み、第2のフィードバックタイプがPTIを含み、第3のフィードバックタイプが広帯域W1およびRIを含み、第4のフィードバックタイプが広帯域W2および広帯域CQIを含み、第5のフィードバックタイプがサブバンドW2およびサブバンドCQIを含む。
【０１９５】
第1のフィードバックタイプに対応する期間は、別のフィードバックタイプの期間よりも大きい。
【０１９６】
フィードバックモードc：BI内の選択されたCSI−RSリソースの数Mが1よりも大きい場合、第1のフィードバックタイプがPTIを含み、第2のフィードバックタイプがBIを含み、第3のフィードバックタイプがRIおよび広帯域W1に対応する第1のPMIを含み、第4のフィードバックタイプがM個のCSI−RSリソースに対応する広帯域W2に対応する第2のPMIを含み、合計M個の広帯域の第2のPMIが存在し、第5のフィードバックタイプがM個のCSI−RSリソースに対応するサブバンドW2に対応するサブバンドの第2のPMIを含み、合計M個のサブバンドの第2のPMIが存在し、M個の広帯域の第2のPMIは同時に、もしくは異なるときにフィードバックされる場合があり、またはM個のサブバンドの第2のPMIは同時に、もしくは異なるときにフィードバックされる場合がある。
【０１９７】
第1のフィードバックタイプに対応する期間は、別のフィードバックタイプの期間よりも大きい。
【０１９８】
PTI＝0であるとき、第2のフィードバックタイプ、第3のフィードバックタイプ、および第4のフィードバックタイプが報告される。PTI＝1であるとき、第4のフィードバックタイプおよび第5のフィードバックタイプが報告される。
【０１９９】
フィードバックモードd：BI内の選択されたCSI−RSリソースの数Mが1よりも大きい場合、第1のフィードバックタイプがPTIを含み、第2のフィードバックタイプが選択されたM個のCSI−RSリソースの指示情報を含み、第3のフィードバックタイプがRIおよび広帯域W1に対応する第1のPMIを含み、第4のフィードバックタイプがM個のCSI−RSリソースに対応する広帯域W2に対応する第2のPMIを含み、合計M個の広帯域の第2のPMIが存在し、第5のフィードバックタイプがM個のCSI−RSリソースに対応するサブバンドW2に対応するサブバンドの第2のPMIを含み、合計M個のサブバンドの第2のPMIが存在し、M個の広帯域の第2のPMIは同時に、もしくは異なるときにフィードバックされる場合があり、またはM個のサブバンドの第2のPMIは同時に、もしくは異なるときにフィードバックされる場合がある。第6のフィードバックタイプは、各BIに対応するCSI−RSリソースに対応するCQIを含む。
【０２００】
PTIが第1の状態にあるとき、N個のCSI−RSリソースに対応する広帯域CQI情報は、異なるときにフィードバックされる。PTIが第2の状態にあるとき、第2のフィードバックタイプ、第3のフィードバックタイプ、および第4のフィードバックタイプがフィードバックされる。PTIが第3の状態にあるとき、第4のフィードバックタイプおよび第5のフィードバックタイプがフィードバックされる。
【０２０１】
non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。
【０２０２】
フィードバックモードe：
【０２０３】
non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。たとえば、PTI＝00である場合、水平次元内の広帯域の第1のプリコーディングマトリクスインデックスおよび垂直次元内の広帯域の第1のプリコーディングマトリクスインデックスが報告され、PTI＝01である場合、水平次元内の広帯域の第1のプリコーディングマトリクスインデックスおよび垂直次元内のサブバンドの第1のプリコーディングマトリクスインデックスが報告され、PTI＝10である場合、水平次元内の広帯域の第1のプリコーディングマトリクスインデックスおよび垂直次元内のサブバンドの第1のプリコーディングマトリクスインデックスが報告され、PTI＝11である場合、水平次元内のサブバンドの第1のプリコーディングマトリクスインデックスおよび垂直次元内のサブバンドの第1のプリコーディングマトリクスインデックスが報告される。
【０２０４】
フィードバックモードf：
【０２０５】
non precoded CSI−RSの場合、様々な報告されたPTI状態に応じて、その後に報告される水平次元内の第2のプリコーディングマトリクスインデックスおよび垂直次元内の第2のプリコーディングマトリクスインデックスが広帯域のものかサブバンドのものかが判定される。non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。たとえば、PTI＝00である場合、水平次元内の広帯域の第2のプリコーディングマトリクスインデックスおよび垂直次元内の広帯域の第2のプリコーディングマトリクスインデックスが報告され、PTI＝01である場合、水平次元内の広帯域の第2のプリコーディングマトリクスインデックスおよび垂直次元内のサブバンドの第2のプリコーディングマトリクスインデックスが報告され、PTI＝10である場合、水平次元内の広帯域の第2のプリコーディングマトリクスインデックスおよび垂直次元内のサブバンドの第2のプリコーディングマトリクスインデックスが報告され、PTI＝11である場合、水平次元内のサブバンドの第2のプリコーディングマトリクスインデックスおよび垂直次元内のサブバンドの第2のプリコーディングマトリクスインデックスが報告される。
【０２０６】
以下で、プリコーディングされていない（non−rprecoded）チャネル状態情報のフィードバックを詳細に記載する。
【０２０７】
図12は、本発明によるチャネル状態情報フィードバック方法の実施形態3のフローチャートである。この実施形態は以下のステップを含む。
【０２０８】
301．ユーザ機器UEが、X個のアンテナポートを含む基準信号リソースに従ってチャネル測定を実施して、チャネル状態情報CSIを取得する。
【０２０９】
302．ユーザ機器がチャネル状態情報CSIを基地局にフィードバックし、X個のアンテナポートに対応するアンテナアレイは少なくとも2つの行および2つの列を含み、CSIは少なくともアンテナアレイ内のMa個の水平ポートのCSIおよびアンテナアレイ内のNa個の垂直ポートのCSIを含む。
【０２１０】
本発明のこの実施形態は、non−rprecodedチャネル状態情報のフィードバックを実装する。
【０２１１】
場合によっては、本発明の一実施形態では、X個のアンテナポート用のプリコーディングマトリクスはW＝W1×W2であり、
第1のコードワードW1は
【数６９】
2018530274.tif 000071
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数７０】
2018530274.tif 000072
であり、
【数７１】
2018530274.tif 000073
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数７２】
2018530274.tif 000074
であり、
【数７３】
2018530274.tif 000075
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数７４】
2018530274.tif 000076
である。
【０２１２】
場合によっては、本発明の一実施形態では、UEにより、二重コードブック構造に従って基地局にチャネル状態情報をフィードバックすることの前に、方法は、
UEにより、Ma×Na×2個のポートに対応するアンテナアレイのランクを決定することと、
UEにより、アンテナアレイの水平次元内の固定ビームグループ
【数７５】
2018530274.tif 000077
のグループ番号kを決定することと、
UEにより、アンテナアレイの垂直次元内の固定ビームグループ
【数７６】
2018530274.tif 000078
のグループ番号lを決定することと、
UEにより、k、l、および第2のコードワードW2に従ってプリコーディングマトリクスを生成し、プリコーディングマトリクスに従ってチャネル品質インジケータCQIを決定することと
をさらに含み、
チャネル状態情報は、ランク、k、l、CQI、および第2のコードワードW2に対応するプリコーディングマトリクスインジケータPMI2を含み、
ユーザ機器により、基地局にCSIをフィードバックすることは、
UEにより、フィードバックタイプに従って、基地局にランク、k、l、およびCQIをフィードバックすることであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、フィードバックすること
を含む。
【０２１３】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０２１４】
場合によっては、本発明の一実施形態では、第1のフィードバック期間＞第2のフィードバック期間＞第3のフィードバック期間＞第4のフィードバック期間＞第5のフィードバック期間である。
【０２１５】
場合によっては、本発明の一実施形態では、W1×W2である。
【０２１６】
第1のコードワードW1は
【数７７】
2018530274.tif 000079
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタである。
【０２１７】
【数７８】
2018530274.tif 000080
であり、
【数７９】
2018530274.tif 000081
は、アンテナアレイの水平次元に対応する固定ビームグループのコードワードセットである。
【０２１８】
【数８０】
2018530274.tif 000082
であり、
【数８１】
2018530274.tif 000083
は、アンテナアレイの垂直次元に対応する固定ビームグループのコードワードセットであり、
【数８２】
2018530274.tif 000084
は
【数８３】
2018530274.tif 000085
に対する列選択を実施し、2つのグループのアンテナの位相を調整するために使用され、
【数８４】
2018530274.tif 000086
は
【数８５】
2018530274.tif 000087
に対する列選択を実施し、2つのグループのアンテナの位相を調整するために使用される。
【０２１９】
UEは、Ma×Na×2個のポートに対応するアンテナアレイのランクを決定する。
【０２２０】
UEは、アンテナアレイの水平次元内の固定ビームグループ
【数８６】
2018530274.tif 000088
のグループ番号kを決定する。
【０２２１】
UEは、アンテナアレイの垂直次元内の固定ビームグループ
【数８７】
2018530274.tif 000089
のグループ番号lを決定する。
【０２２２】
UEは、第2のコードワードW2の水平グループ番号を決定する。
【０２２３】
UEは、第2のコードワードW2の垂直グループ番号を決定する。
【０２２４】
UEは、位相調整に使用される第3のコードブックW3を決定する。
【０２２５】
チャネル状態情報は、ランク、k、l、第2のコードワードW2の水平グループ番号、第2のコードワードW2の垂直グループ番号、および第3のコードブックW3を含む。
【０２２６】
ユーザ機器により、基地局にCSIをフィードバックすることは、
UEにより、二重コードブック構造およびフィードバックタイプに従って、ランク、k、l、第2のコードワードW2の水平グループ番号、第2のコードワードW2の垂直グループ番号、および第3のコードブックW3を基地局にフィードバックすることであって、フィードバックタイプが、フィードバック時に一度にUEによってフィードバックされるフィードバックパラメータを指し、フィードバックパラメータが、ランク、k、l、第2のコードワードW2の水平グループ番号、第2のコードワードW2の垂直グループ番号、および第3のコードブックW3を含む、フィードバックすること
を含む。
【０２２７】
フィードバックタイプは、第6のフィードバックタイプ、第7のフィードバックタイプ、第8のフィードバックタイプ、第9のフィードバックタイプ、第10のフィードバックタイプ、および第11のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第9のフィードバックタイプは第9のフィードバック期間に対応し、第10のフィードバックタイプは第10のフィードバック期間に対応し、第11のフィードバックタイプは第11のフィードバック期間に対応し、第6のフィードバックタイプのフィードバックパラメータはランクを含み、第7のフィードバックタイプのフィードバックパラメータはkを含み、第8のフィードバックタイプのフィードバックパラメータはlを含み、第9のフィードバックタイプのフィードバックパラメータは第2のコードワードW2の水平グループ番号を含み、第10のフィードバックタイプのフィードバックパラメータは第2のコードワードW2の垂直グループ番号を含み、第11のフィードバックタイプのフィードバックパラメータは第3のコードブックW3を含む。
【０２２８】
第6のフィードバック期間＞第7のフィードバック期間＞第8のフィードバック期間＞第9のフィードバック期間＞第10のフィードバック期間＞第11のフィードバック期間である。
【０２２９】
図13は、本発明によるチャネル状態情報フィードバック方法の実施形態4のフローチャートである。この実施形態は以下のステップを含む。
【０２３０】
401．基地局が、ユーザ機器UEによってフィードバックされたチャネル状態情報CSIを受信し、CSIは、X個のアンテナポートを含む基準信号リソースに従ってチャネル測定によりユーザ機器によって取得され、X個のアンテナポートに対応するアンテナアレイは少なくとも2つの行および2つの列を含み、CSIは少なくともアンテナアレイ内のMa個の水平ポートのCSIおよびアンテナアレイ内のNa個の垂直ポートのCSIを含む。
【０２３１】
402．基地局がチャネル状態情報に従ってプリコーディングを実施する。
【０２３２】
場合によっては、本発明の一実施形態では、X個のアンテナポート用のプリコーディングマトリクスはW＝W1×W2であり、
第1のコードワードW1は
【数８８】
2018530274.tif 000090
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数８９】
2018530274.tif 000091
であり、
【数９０】
2018530274.tif 000092
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数９１】
2018530274.tif 000093
であり、
【数９２】
2018530274.tif 000094
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数９３】
2018530274.tif 000095
である。
【０２３３】
場合によっては、本発明の一実施形態では、チャネル状態情報は、UEによって決定されたMa×Na×2個のポートに対応するアンテナアレイのランク、UEによって決定されたアンテナアレイの水平次元内の固定ビームグループ
【数９４】
2018530274.tif 000096
のグループ番号k、UEによって決定されたアンテナアレイの垂直次元内の固定ビームグループ
【数９５】
2018530274.tif 000097
のグループ番号l、およびUEによって決定されたチャネル品質インジケータCQIを含む。
【０２３４】
基地局により、ユーザ機器UEによってフィードバックされたチャネル状態情報CSIを受信することは、
基地局により、フィードバックタイプに従って、UEによってフィードバックされたランク、k、l、CQI、および第2のコードワードW2に対応するプリコーディングマトリクスインジケータPMI2を受信することであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、受信すること
を含む。
【０２３５】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０２３６】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０２３７】
場合によっては、本発明の一実施形態では、W＝W1×W3であり、
第1のコードワードW1は
【数９６】
2018530274.tif 000098
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数９７】
2018530274.tif 000099
であり、
【数９８】
2018530274.tif 000100
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数９９】
2018530274.tif 000101
であり、
【数１００】
2018530274.tif 000102
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数１０１】
2018530274.tif 000103
は水平次元内の第2のプリコーディングマトリクスであり、
【数１０２】
2018530274.tif 000104
に対する列選択を実施するために使用され、
【数１０３】
2018530274.tif 000105
は垂直次元内の第2のプリコーディングマトリクスであり、
【数１０４】
2018530274.tif 000106
に対する列選択を実施するために使用され、W3はW1の2つのグループのアンテナの位相を調整するために使用される。
【０２３８】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０２３９】
図14は、本発明によるユーザ機器の実施形態1の概略構造図である。図14に示されたように、この実施形態において提供されるユーザ機器は、
N個の構成されたチャネル状態情報基準信号CSI−RSリソースを受信するように構成された受信モジュール11であって、CSI−RSリソースが少なくとも1つのポートを含み、N≧2であり、Nが整数である、受信モジュール11と、
N個のCSI−RSリソースに対してチャネル測定を実施して、N個のCSI−RSリソースのチャネル状態情報CSIを取得するように構成されたチャネル測定モジュール12と、
N個のCSI−RSリソースからM個のCSI−RSリソースを選択するように構成された選択モジュール13であって、M個のCSI−RSリソースが様々なCSIプロセスに属するか、またはM個のCSI−RSリソースが1つのCSIプロセスの様々な構成に属する、選択モジュール13と、
M個のCSI−RSリソースに応じて、N個のCSI−RSリソースのチャネル状態情報CSIからM個のCSI−RSリソースのCSIを決定するように構成された決定モジュール14と、
M個のCSI−RSリソースのCSIおよびM個のCSI−RSリソースの指示情報を基地局にフィードバックするように構成されたフィードバックモジュール15と
を含む。
【０２４０】
本発明のこの実施形態において提供されるユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０２４１】
場合によっては、本発明の一実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０２４２】
場合によっては、本発明の一実施形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2は、それぞれ、二重コードブック構造W内のW1およびW2に対応し、W＝W1＊W2である。
【０２４３】
フィードバックモジュール15は、具体的に、フィードバックモードおよびフィードバックタイプに従って、M個のCSI−RSリソースのCSIおよびM個のCSI−RSリソースの指示情報を基地局にフィードバックするように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【０２４４】
場合によっては、本発明の一実施形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０２４５】
場合によっては、本発明の一実施形態では、第1のフィードバック期間＞第2のフィードバック期間＞第3のフィードバック期間である。
【０２４６】
場合によっては、本発明の一実施形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【０２４７】
場合によっては、本発明の一実施形態では、第4のフィードバック期間＞第5のフィードバック期間である。
【０２４８】
場合によっては、本発明の一実施形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【０２４９】
場合によっては、本発明の一実施形態では、第6のフィードバック期間＞第7のフィードバック期間＞第8のフィードバック期間である。
【０２５０】
場合によっては、本発明の一実施形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【０２５１】
場合によっては、本発明の一実施形態では、第9のフィードバック期間＞第10のフィードバック期間である。
【０２５２】
場合によっては、本発明の一実施形態では、M個のCSI−RSリソースのRIは、M個のCSI−RSリソースに従って測定によって取得される。
【０２５３】
場合によっては、本発明の一実施形態では、第1のフィードバックモードにおいてMは1である。
【０２５４】
場合によっては、本発明の一実施形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数である。
【０２５５】
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【０２５６】
場合によっては、本発明の一実施形態では、第11のフィードバック期間＞第12のフィードバック期間＞第13のフィードバック期間である。
【０２５７】
場合によっては、本発明の一実施形態では、M≧2であり、CSI−RSリソースのPMI1は同じであるかまたは異なり、CSI−RSリソースのPMI2は異なる。
【０２５８】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【０２５９】
場合によっては、本発明の一実施形態では、第14のフィードバック期間＞第15のフィードバック期間＞第16のフィードバック期間＞第17のフィードバック期間＞第18のフィードバック期間である。
【０２６０】
場合によっては、本発明の一実施形態では、Mは基地局によってUEに通知されるか、またはUEによって決定される。
【０２６１】
場合によっては、本発明の一実施形態では、決定モジュール14は、Mに応じてフィードバックモードを決定するようにさらに構成される。
【０２６２】
場合によっては、本発明の一実施形態では、フィードバックモジュール15は、様々なフィードバックタイプにおいて第1の指示情報および第2の指示情報をフィードバックするように構成される。
【０２６３】
場合によっては、本発明の一実施形態では、フィードバックモジュール15は、具体的に、M個のCSI−RSリソースの指示情報を基地局に非周期的にフィードバックするように構成される。
【０２６４】
場合によっては、本発明の一実施形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。
【０２６５】
PMI＝0であるとき、指示情報は更新され、またはPMI＝1であるとき、指示情報は更新されない。
【０２６６】
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【０２６７】
図15は、本発明による基地局の実施形態1の概略構造図である。図15に示されたように、この実施形態において提供される基地局は、
ユーザ機器UEによってフィードバックされたM個のCSI−RSリソースのCSIおよびM個のCSI−RSリソースの指示情報を受信するように構成された受信モジュール21であって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信モジュール21と、
M個のCSI−RSリソースに従ってプリコーディングを実施するように構成されたプリコーディングモジュール22と
を含む。
【０２６８】
本発明のこの実施形態において提供される基地局は、ユーザ機器によってフィードバックされた水平次元内のM個のCSI−RSリソースのチャネル状態情報およびM個のCSI−RSリソースの指示情報を受信し、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０２６９】
場合によっては、本発明の一実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０２７０】
場合によっては、本発明の一実施形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2は、それぞれ、二重コードブック構造W内のW1およびW2に対応し、W＝W1＊W2である。
【０２７１】
受信モジュール21は、具体的に、フィードバックモードおよびフィードバックパラメータに従って、UEによってフィードバックされたM個のCSI−RSリソースのCSIおよびM個のCSI−RSリソースの指示情報を受信するように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【０２７２】
場合によっては、本発明の一実施形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０２７３】
場合によっては、本発明の一実施形態では、第1のフィードバック期間＞第2のフィードバック期間＞第3のフィードバック期間である。
【０２７４】
場合によっては、本発明の一実施形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【０２７５】
場合によっては、本発明の一実施形態では、第4のフィードバック期間＞第5のフィードバック期間である。
【０２７６】
場合によっては、本発明の一実施形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【０２７７】
場合によっては、本発明の一実施形態では、第6のフィードバック期間＞第7のフィードバック期間＞第8のフィードバック期間である。
【０２７８】
場合によっては、本発明の一実施形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【０２７９】
場合によっては、本発明の一実施形態では、第9のフィードバック期間＞第10のフィードバック期間である。
【０２８０】
場合によっては、本発明の一実施形態では、M個のCSI−RSリソースのRIは、M個のCSI−RSリソースに従って測定によって取得される。
【０２８１】
場合によっては、本発明の一実施形態では、第1のフィードバックモードにおいてMは1である。
【０２８２】
場合によっては、本発明の一実施形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数である。
【０２８３】
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、MPI2はM個のPMI2である。
【０２８４】
場合によっては、本発明の一実施形態では、第11のフィードバック期間＞第12のフィードバック期間＞第13のフィードバック期間である。
【０２８５】
場合によっては、本発明の一実施形態では、M≧2であり、CSI−RSリソースに従って測定によって取得されたPMI1は同じであるかまたは異なり、CSI−RSリソースに従って測定によって取得されたPMI2は異なることが想定される。
【０２８６】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【０２８７】
場合によっては、本発明の一実施形態では、第14のフィードバック期間＞第15のフィードバック期間＞第16のフィードバック期間＞第17のフィードバック期間＞第18のフィードバック期間である。
【０２８８】
場合によっては、本発明の一実施形態では、M≧2であり、CSI−RSリソースのPMI1は同じであるかまたは異なり、CSI−RSリソースのPMI2は異なる。
【０２８９】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバック期間のフィードバックパラメータは、M個のCSI−RSリソースのうちの残りのリソースに従って測定によって取得されたPMI2を含み、第18のフィードバック期間のフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1はM個の異なるPMI1である。
【０２９０】
場合によっては、本発明の一実施形態では、第14のフィードバック期間＞第15のフィードバック期間＞第16のフィードバック期間＞第17のフィードバック期間＞第18のフィードバック期間である。
【０２９１】
場合によっては、本発明の一実施形態では、MはUEによって基地局に通知されるか、または基地局によって決定される。
【０２９２】
場合によっては、本発明の一実施形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【０２９３】
場合によっては、本発明の一実施形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【０２９４】
場合によっては、本発明の一実施形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。
【０２９５】
PMI＝0であるとき、指示情報は更新され、またはPMI＝1であるとき、指示情報は更新されない。
【０２９６】
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【０２９７】
基地局は、UEによって非周期的にフィードバックされたM個のCSI−RSリソースの指示情報を受信する。
【０２９８】
図16は、本発明によるユーザ機器の実施形態2の概略構造図である。この実施形態において提供されるユーザ機器は、
X個のアンテナポートを含む基準信号リソースに従ってチャネル測定を実施して、チャネル状態情報CSIを取得するように構成された決定モジュール31と、
基地局にチャネル状態情報CSIをフィードバックするように構成されたフィードバックモジュール32であって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックモジュール32と
を含む。
【０２９９】
場合によっては、本発明の一実施形態では、X個のアンテナポート用のプリコーディングマトリクスはW＝W1×W2であり、
第1のコードワードW1は
【数１０５】
2018530274.tif 000107
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１０６】
2018530274.tif 000108
であり、
【数１０７】
2018530274.tif 000109
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１０８】
2018530274.tif 000110
であり、
【数１０９】
2018530274.tif 000111
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１１０】
2018530274.tif 000112
である。
【０３００】
場合によっては、本発明の一実施形態では、決定モジュール31は、Ma×Na×2個のポートに対応するアンテナアレイのランク、アンテナアレイの水平次元内の固定ビームグループ
【数１１１】
2018530274.tif 000113
のグループ番号k、およびアンテナアレイの垂直次元内の固定ビームグループ
【数１１２】
2018530274.tif 000114
のグループ番号lを決定するようにさらに構成され、その結果、UEは、k、l、および第2のコードワードW2に従ってプリコーディングマトリクスを生成し、プリコーディングマトリクスに従ってチャネル品質インジケータCQIを決定し、チャネル状態情報は、ランク、k、l、CQI、および第2のコードワードW2に対応するプリコーディングマトリクスインジケータPMI2を含む。
【０３０１】
フィードバックモジュール32は、具体的に、フィードバックタイプに従って、ランク、k、l、およびCQIを基地局にフィードバックするように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０３０２】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０３０３】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０３０４】
場合によっては、本発明の一実施形態では、W＝W1×W3であり、
第1のコードワードW1は
【数１１３】
2018530274.tif 000115
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１１４】
2018530274.tif 000116
であり、
【数１１５】
2018530274.tif 000117
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１１６】
2018530274.tif 000118
であり、
【数１１７】
2018530274.tif 000119
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数１１８】
2018530274.tif 000120
は水平次元内の第2のプリコーディングマトリクスであり、
【数１１９】
2018530274.tif 000121
に対する列選択を実施するために使用され、
【数１２０】
2018530274.tif 000122
は垂直次元内の第2のプリコーディングマトリクスであり、
【数１２１】
2018530274.tif 000123
に対する列選択を実施するために使用され、W3はW1の2つのグループのアンテナの位相を調整するために使用される。
【０３０５】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である
【０３０６】
図17は、本発明による基地局の実施形態2の概略構造図である。図17に示されたように、この実施形態において提供される基地局は、
ユーザ機器UEによってフィードバックされたチャネル状態情報CSIを受信するように構成された受信モジュール41であって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信モジュール41と、
チャネル状態情報に従ってプリコーディングを実施するように構成されたプリコーディングモジュール42と
を含む。
【０３０７】
場合によっては、本発明の一実施形態では、X個のアンテナポート用のプリコーディングマトリクスはW＝W1×W2であり、
第1のコードワードW1は
【数１２２】
2018530274.tif 000124
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１２３】
2018530274.tif 000125
であり、
【数１２４】
2018530274.tif 000126
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１２５】
2018530274.tif 000127
であり、
【数１２６】
2018530274.tif 000128
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１２７】
2018530274.tif 000129
である。
【０３０８】
場合によっては、本発明の一実施形態では、チャネル状態情報は、UEによって決定されたMa×Na×2個のポートに対応するアンテナアレイのランク、UEによって決定されたアンテナアレイの水平次元内の固定ビームグループ
【数１２８】
2018530274.tif 000130
のグループ番号k、UEによって決定されたアンテナアレイの垂直次元内の固定ビームグループ
【数１２９】
2018530274.tif 000131
のグループ番号l、およびUEによって決定されたチャネル品質インジケータCQIを含む。
【０３０９】
受信モジュール41は、具体的に、二重コードブック構造およびフィードバックタイプに従って、UEによってフィードバックされたランク、k、l、CQI、および第2のコードワードW2に対応するプリコーディングマトリクスインジケータPMI2を受信するように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０３１０】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０３１１】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０３１２】
場合によっては、本発明の一実施形態では、W＝W1×W3であり、
第1のコードワードW1は
【数１３０】
2018530274.tif 000132
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１３１】
2018530274.tif 000133
であり、
【数１３２】
2018530274.tif 000134
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１３３】
2018530274.tif 000135
であり、
【数１３４】
2018530274.tif 000136
はアンテナアレイの水平次元に対応する第1のプリコーディングマトリクスであり、kは垂直次元に対応する第1のプリコーディングマトリクスのインデックスPMI＿H1であり、Kは水平次元に対応する第1のプリコーディングマトリクスの総数であり、
【数１３５】
2018530274.tif 000137
は水平次元内の第2のプリコーディングマトリクスであり、
【数１３６】
2018530274.tif 000138
に対する列選択を実施するために使用され、
【数１３７】
2018530274.tif 000139
は垂直次元内の第2のプリコーディングマトリクスであり、
【数１３８】
2018530274.tif 000140
に対する列選択を実施するために使用され、W3はW1の2つのグループのアンテナの位相を調整するために使用される。
【０３１３】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である
【０３１４】
図18は、本発明によるユーザ機器の実施形態3の概略構造図である。図18に示されたように、この実施形態において提供されるユーザ機器500は、プロセッサ51およびメモリ52を含む。ユーザ機器500は、送信機53および受信機54をさらに含む場合がある。送信機53および受信機54は、プロセッサ51に接続される場合がある。メモリ52は実行命令を記憶する。ユーザ機器500が動作するとき、プロセッサ51はメモリ52と通信する。プロセッサ51は、メモリ52内の実行命令を起動して、図3に示された方法実施形態を実行し、その実装原理および技術効果は同様であり、詳細は本明細書では記載されない。
【０３１５】
図19は、本発明による基地局の実施形態3の概略構造図である。図19に示されたように、この実施形態において提供される基地局600は、プロセッサ61およびメモリ62を含む。基地局600は、送信機63および受信機64をさらに含む場合がある。送信機63および受信機64は、プロセッサ61に接続される場合がある。メモリ62は実行命令を記憶する。基地局600が動作するとき、プロセッサ61はメモリ62と通信する。プロセッサ61は、メモリ62内の実行命令を起動して、図4に示された方法実施形態を実行し、その実装原理および技術効果は同様であり、詳細は本明細書では記載されない。
【０３１６】
図20は、本発明によるユーザ機器の実施形態4の概略構造図である。図20に示されたように、この実施形態において提供されるユーザ機器700は、プロセッサ71およびメモリ72を含む。ユーザ機器700は、送信機73および受信機74をさらに含む場合がある。送信機73および受信機74は、プロセッサ71に接続される場合がある。メモリ72は実行命令を記憶する。ユーザ機器700が動作するとき、プロセッサ71はメモリ72と通信する。プロセッサ71は、メモリ72内の実行命令を起動して、図12に示された方法実施形態を実行し、その実装原理および技術効果は同様であり、詳細は本明細書では記載されない。
【０３１７】
図21は、本発明による基地局の実施形態4の概略構造図である。図21に示されたように、この実施形態において提供される基地局800は、プロセッサ81およびメモリ82を含む。基地局800は、送信機83および受信機84をさらに含む場合がある。送信機83および受信機84は、プロセッサ81に接続される場合がある。メモリ82は実行命令を記憶する。基地局800が動作するとき、プロセッサ81はメモリ82と通信する。プロセッサ81は、メモリ82内の実行命令を起動して、図13に示された方法実施形態を実行し、その実装原理および技術効果は同様であり、詳細は本明細書では記載されない。
【０３１８】
当業者は、方法実施形態のステップのうちのすべてまたはいくつかが、関連するハードウェアに命令するプログラムによって実装される場合があることを理解することができる。プログラムは、コンピュータ可読記憶媒体に記憶される場合がある。プログラムが動作するとき、方法実施形態のステップが実施される。前述の記憶媒体には、ROM、RAM、磁気ディスク、または光ディスクなどの、プログラムコードを記憶することができる任意の媒体が含まれる。
【０３１９】
最後に、前述の実施形態は本発明の技術的解決策を記載するためのものにすぎず、本発明を限定するためのものではないことに留意されたい。前述の実施形態を参照して本発明が詳細に記載されたが、当業者は、本発明の実施形態の技術的解決策の範囲から逸脱することなく、前述の実施形態に記載された技術的解決策に対して修正をさらに行うか、またはそれらのいくつかもしくはすべての技術的特徴に同等の置換を行うことができることを理解するべきである。
【符号の説明】
【０３２０】
11  受信モジュール
12  チャネル測定モジュール
13  選択モジュール
14  決定モジュール
15  フィードバックモジュール
21  受信モジュール
22  プリコーディングモジュール
31  決定モジュール
32  フィードバックモジュール
41  受信モジュール
42  プリコーディングモジュール
51  プロセッサ
52  メモリ
53  送信機
54  受信機
61  プロセッサ
62  メモリ
63  送信機
64  受信機
71  プロセッサ
72  メモリ
73  送信機
74  受信機
81  プロセッサ
82  メモリ
83  送信機
84  受信機
500  ユーザ機器
600  基地局
700  ユーザ機器
800  基地局
【図１Ａ】
2018530274.tif 000209
【図１Ｂ】
2018530274.tif 000210
【図１Ｃ】
2018530274.tif 000211
【図２】
2018530274.tif 000212
【図３】
2018530274.tif 000213
【図４】
2018530274.tif 000214
【図５】
2018530274.tif 000215
【図６】
2018530274.tif 000216
【図７】
2018530274.tif 000217
【図８Ａ】
2018530274.tif 000218
【図８Ｂ】
2018530274.tif 000219
【図９】
2018530274.tif 000220
【図１０】
2018530274.tif 000221
【図１１Ａ】
2018530274.tif 000222
【図１１Ｂ】
2018530274.tif 000223
【図１１Ｃ】
2018530274.tif 000224
【図１１Ｄ】
2018530274.tif 000225
【図１１Ｅ】
2018530274.tif 000226
【図１２】
2018530274.tif 000227
【図１３】
2018530274.tif 000228
【図１４】
2018530274.tif 000229
【図１５】
2018530274.tif 000230
【図１６】
2018530274.tif 000231
【図１７】
2018530274.tif 000232
【図１８】
2018530274.tif 000233
【図１９】
2018530274.tif 000234
【図２０】
2018530274.tif 000235
【図２１】
2018530274.tif 000236
【手続補正書】
【提出日】平成30年3月27日(2018.3.27)
【手続補正１】
【補正対象書類名】明細書
【補正対象項目名】全文
【補正方法】変更
【補正の内容】
【発明の詳細な説明】
【技術分野】
【０００１】
本発明の実施形態は通信技術に関し、詳細には、チャネル状態情報フィードバック方法、ユーザ機器、および基地局に関する。
【背景技術】
【０００２】
ロングタームエボリューション（Long Term Evolution、LTE）システムでは、従来のアンテナアレイは、垂直方向に固定された下向きの傾きを有し、すなわち、垂直方向のセル内のユーザ機器ごとに固定ビームを供給する。セルエッジユーザのスループット率およびセルの平均スループット率を改善するために、3次元（3 Dimension、3D）ビームフォーミング（Beaming Forming、BF）技術が導入されている。3Dビームフォーミング技術では、アクティブアンテナシステム（Active Antenna System、AAS）に基づいて、ユーザ機器の位置に応じて垂直方向のユーザ機器ごとに異なる下向きの傾きを有するビームを生成することができ、その結果、水平方向と垂直方向の両方にビームフォーミングが実施される。3Dビームフォーミング技術をサポートするためには、対応するチャネル状態情報がフィードバックされる必要がある。チャネル状態情報には、チャネル品質インジケータ（Channel Quality Indicator、CQI）、プリコーディングマトリクスインジケータ（Precoding Matrix Indicator、PMI）、およびランク指示（Rank Indication、RI）が含まれる。
【０００３】
チャネル状態情報は、通常、チャネル推定によりユーザ機器によって取得される。従来のチャネル推定プロセスでは、ユーザ機器は、チャネル状態情報基準信号（Channel State Information−Reference Signal、CSI−RS）などの、パイロット信号とも呼ばれる基準信号（Reference Signal、RS）を測定し、次いで、推定によって水平次元内のチャネル状態情報を取得し、基地局にチャネル状態情報を報告する。しかしながら、3Dビームフォーミング技術の場合、水平次元内のチャネルに対してチャネル推定を実施することに加えて、ユーザ機器は、垂直次元内のチャネルに対してチャネル推定を実施する必要がある。明らかに、水平次元内のみのチャネル推定をサポートする従来のチャネル推定方法は、3Dビームフォーミング技術に適用することができない。したがって、チャネル状態情報フィードバック方法をどのように提案するかが当業界で緊急に解決されるべき問題になっている。
【発明の概要】
【課題を解決するための手段】
【０００４】
本発明の実施形態は、従来のチャネル推定中に水平次元内のみのチャネル状態情報がフィードバックされるという問題を解決するために、チャネル状態情報フィードバック方法、ユーザ機器、および基地局を提供する。
【０００５】
第1の態様によれば、本発明の一実施形態は、
ユーザ機器UEにより、N個の構成されたチャネル状態情報基準信号CSI−RSリソースを受信することであって、CSI−RSリソースが少なくとも1つのポートを含み、N≧2であり、Nが整数である、受信することと、
UEにより、N個のCSI−RSリソースに対してチャネル測定を実施して、N個のCSI−RSリソースのチャネル状態情報CSIを取得することと、
UEにより、N個のCSI−RSリソースからM個のCSI−RSリソースを選択することであって、M個のCSI−RSリソースが様々なCSIプロセスに属するか、またはM個のCSI−RSリソースが1つのCSIプロセスの様々な構成に属する、選択することと、
UEにより、M個のCSI−RSリソースに応じて、N個のCSI−RSリソースのチャネル状態情報CSIからM個のCSI−RSリソースのCSIを決定することと、
UEにより、M個のCSI−RSリソースのCSIおよびM個のCSI−RSリソースの指示情報を基地局にフィードバックすることと
を含む、チャネル状態情報フィードバック方法を提供する。
【０００６】
第1の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【０００７】
第1の態様または第1の態様の第1の可能な実装形態を参照して、第1の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
UEにより、M個のCSI−RSリソースのCSIおよびM個のCSI−RSリソースの指示情報を基地局にフィードバックすることは、
UEにより、フィードバックモードおよびフィードバックタイプに従って、M個のCSI−RSリソースのCSIおよびM個のCSI−RSリソースの指示情報を基地局にフィードバックすることであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、フィードバックすること
を含む。
【０００８】
第1の態様の第2の可能な実装形態を参照して、第1の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０００９】
第1の態様の第3の可能な実装形態を参照して、第1の態様の第4の可能な実装形態では、第1のフィードバック期間＞第2のフィードバック期間＞第3のフィードバック期間である。
【００１０】
第1の態様の第2の可能な実装形態を参照して、第1の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００１１】
第1の態様の第5の可能な実装形態を参照して、第1の態様の第6の可能な実装形態では、第4のフィードバック期間＞第5のフィードバック期間である。
【００１２】
第1の態様の第2の可能な実装形態を参照して、第1の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００１３】
第1の態様の第7の可能な実装形態を参照して、第1の態様の第8の可能な実装形態では、第6のフィードバック期間＞第7のフィードバック期間＞第8のフィードバック期間である。
【００１４】
第1の態様の第2の可能な実装形態を参照して、第1の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００１５】
第1の態様の第9の可能な実装形態を参照して、第1の態様の第10の可能な実装形態では、第9のフィードバック期間＞第10のフィードバック期間である。
【００１６】
第1の態様の第2から第10の可能な実装形態のうちのいずれか1つを参照して、第1の態様の第11の可能な実装形態では、M個のCSI−RSリソースのRIは、M個のCSI−RSリソースに従って測定によって取得される。
【００１７】
第1の態様の第3から第10の可能な実装形態のうちのいずれか1つを参照して、第1の態様の第12の可能な実装形態では、第1のフィードバックモードにおいてMは1である。
【００１８】
第1の態様の第2の可能な実装形態を参照して、第1の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【００１９】
第1の態様の第13の可能な実装形態を参照して、第1の態様の第14の可能な実装形態では、第11のフィードバック期間＞第12のフィードバック期間＞第13のフィードバック期間である。
【００２０】
第1の態様の第2の可能な実装形態を参照して、第1の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００２１】
第1の態様の第15の可能な実装形態を参照して、第1の態様の第16の可能な実装形態では、第14のフィードバック期間＞第15のフィードバック期間＞第16のフィードバック期間＞第17のフィードバック期間＞第18のフィードバック期間である。
【００２２】
第1の態様または第1の態様の第1から第16の可能な実装形態のうちのいずれか1つを参照して、第1の態様の第17の可能な実装形態では、Mは基地局によってUEに通知されるか、またはUEによって決定される。
【００２３】
第1の態様の第2から第16の可能な実装形態のうちのいずれか1つを参照して、第1の態様の第18の可能な実装形態では、方法は、
UEにより、Mに応じてフィードバックモードを決定すること
をさらに含む。
【００２４】
第1の態様の第3の可能な実装形態を参照して、第1の態様の第19の可能な実装形態では、UEにより、M個のCSI−RSリソースの指示情報を基地局にフィードバックすることは、
UEにより、様々なフィードバックタイプにおいて第1の指示情報および第2の指示情報をフィードバックすること
を含む。
【００２５】
第1の態様を参照して、第1の態様の第20の可能な実装形態では、UEにより、M個のCSI−RSリソースの指示情報を基地局にフィードバックすることは、
UEにより、基地局によるトリガリングに従ってM個のCSI−RSリソースの指示情報を基地局に非周期的にフィードバックすること
を含む。
【００２６】
第1の態様の第3の可能な実装形態を参照して、第1の態様の第21の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【００２７】
第2の態様によれば、本発明の一実施形態は、
基地局により、ユーザ機器UEによってフィードバックされたM個のCSI−RSリソースのCSIおよびM個のCSI−RSリソースの指示情報を受信することであって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信することと、
基地局により、M個のCSI−RSリソースに従ってプリコーディングを実施することと
を含む、チャネル状態情報フィードバック方法を提供する。
【００２８】
第2の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００２９】
第2の態様または第2の態様の第1の可能な実装形態を参照して、第2の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
基地局により、ユーザ機器UEによってフィードバックされたM個のCSI−RSリソースのCSIおよびM個のCSI−RSリソースの指示情報を受信することは、
基地局により、フィードバックモードおよびフィードバックタイプに従って、UEによってフィードバックされたM個のCSI−RSリソースのCSIおよびM個のCSI−RSリソースの指示情報を受信することであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、受信すること
を含む。
【００３０】
第2の態様の第2の可能な実装形態を参照して、第2の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００３１】
第2の態様の第3の可能な実装形態を参照して、第4の態様の第4の可能な実装形態では、第1のフィードバック期間＞第2のフィードバック期間＞第3のフィードバック期間である。
【００３２】
第2の態様の第2の可能な実装形態を参照して、第2の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００３３】
第2の態様の第5の可能な実装形態を参照して、第2の態様の第6の可能な実装形態では、第4のフィードバック期間＞第5のフィードバック期間である。
【００３４】
第2の態様の第2の可能な実装形態を参照して、第2の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００３５】
第2の態様の第7の可能な実装形態を参照して、第2の態様の第8の可能な実装形態では、第6のフィードバック期間＞第7のフィードバック期間＞第8のフィードバック期間である。
【００３６】
第2の態様の第2の可能な実装形態を参照して、第2の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００３７】
第2の態様の第9の可能な実装形態を参照して、第2の態様の第10の可能な実装形態では、第9のフィードバック期間＞第10のフィードバック期間である。
【００３８】
第2の態様の第2から第10の可能な実装形態のうちのいずれか1つを参照して、第2の態様の第11の可能な実装形態では、M個のCSI−RSリソースのRIは、M個のCSI−RSリソースに従って測定によって取得される。
【００３９】
第2の態様の第3から第10の可能な実装形態のうちのいずれか1つを参照して、第2の態様の第12の可能な実装形態では、第1のフィードバックモードにおいてMは1である。
【００４０】
第2の態様の第2の可能な実装形態を参照して、第2の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【００４１】
第2の態様の第13の可能な実装形態を参照して、第2の態様の第14の可能な実装形態では、第11の期間＞第12の期間＞第13の期間である。
【００４２】
第2の態様の第2の可能な実装形態を参照して、第2の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００４３】
第2の態様の第15の可能な実装形態を参照して、第2の態様の第16の可能な実装形態では、第14のフィードバック期間＞第15のフィードバック期間＞第16のフィードバック期間＞第17のフィードバック期間＞第18のフィードバック期間である。
【００４４】
第2の態様または第2の態様の第1から第16の可能な実装形態のうちのいずれか1つを参照して、第2の態様の第17の可能な実装形態では、MはUEによって基地局に通知されるか、または基地局によって決定される。
【００４５】
第2の態様の第2の可能な実装形態を参照して、第2の態様の第18の可能な実装形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【００４６】
第2の態様を参照して、第2の態様の第19の可能な実装形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【００４７】
第2の態様の第2の可能な実装形態を参照して、第2の態様の第20の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つであり：
PTIおよび指示情報が同時にフィードバックされる、PTIが最初にフィードバックされ、次いで指示情報がフィードバックされる、または指示情報が最初にフィードバックされ、次いでPTIがフィードバックされる、
基地局は、UEによって非周期的にフィードバックされたM個のCSI−RSリソースの指示情報を受信する。
【００４８】
第3の態様によれば、本発明の一実施形態は、
ユーザ機器UEにより、X個のアンテナポートを含む基準信号リソースに従ってチャネル測定を実施して、チャネル状態情報CSIを取得することと、
ユーザ機器により、基地局にチャネル状態情報CSIをフィードバックすることであって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックすることと
を含む、チャネル状態情報フィードバック方法を提供する。
【００４９】
第3の態様の第1の可能な実装形態では、X個のアンテナポート用のプリコーディングマトリクスはW＝W1×W2であり、
第1のコードワードW1は
【数１】
2018530274.tif 000237
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数２】
2018530274.tif 000238
であり、
【数３】
2018530274.tif 000239
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数４】
2018530274.tif 000240
であり、
【数５】
2018530274.tif 000241
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数６】
2018530274.tif 000242
である。
【００５０】
第3の態様の第1の可能な実装形態を参照して、第3の態様の第2の可能な実装形態では、UEにより、基地局にチャネル状態情報をフィードバックすることの前に、方法は、
UEにより、Ma×Na×2個のポートに対応するアンテナアレイのランクを決定することと、
UEにより、アンテナアレイの水平次元内の固定ビームグループ
【数７】
2018530274.tif 000243
のグループ番号kを決定することと、
UEにより、アンテナアレイの垂直次元内の固定ビームグループ
【数８】
2018530274.tif 000244
のグループ番号lを決定することと、
UEにより、k、l、および第2のコードワードW2に従ってプリコーディングマトリクスを生成し、プリコーディングマトリクスに従ってチャネル品質インジケータCQIを決定することと
をさらに含み、
チャネル状態情報は、ランク、k、l、CQI、および第2のコードワードW2に対応するプリコーディングマトリクスインジケータPMI2を含み、
ユーザ機器により、基地局にCSIをフィードバックすることは、
UEにより、フィードバックタイプに従って、基地局にランク、k、l、およびCQIをフィードバックすることであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、フィードバックすること
を含む。
【００５１】
第3の態様の第2の可能な実装形態を参照して、第3の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【００５２】
第3の態様の第3の可能な実装形態を参照して、第4の態様の第2の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【００５３】
第3の態様の第5の可能な実装形態では、W＝W1×W3であり、
第1のコードワードW1は
【数９】
2018530274.tif 000245
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１０】
2018530274.tif 000246
であり、
【数１１】
2018530274.tif 000247
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１２】
2018530274.tif 000248
であり、
【数１３】
2018530274.tif 000249
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１４】
2018530274.tif 000250
は水平次元内の第2のプリコーディングマトリクスであり、
【数１５】
2018530274.tif 000251
に対する列選択を実施するために使用され、
【数１６】
2018530274.tif 000252
は垂直次元内の第2のプリコーディングマトリクスであり、
【数１７】
2018530274.tif 000253
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【００５４】
第4の態様によれば、本発明の一実施形態は、
基地局により、ユーザ機器UEによってフィードバックされたチャネル状態情報CSIを受信することであって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信することと、
基地局により、チャネル状態情報に従ってプリコーディングを実施することと
を含む、チャネル状態情報フィードバック方法を提供する。
【００５５】
第4の態様の第1の可能な実装形態では、X個のアンテナポート用のプリコーディングマトリクスはW＝W1×W2であり、
第1のコードワードW1は
【数１８】
2018530274.tif 000254
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１９】
2018530274.tif 000255
であり、
【数２０】
2018530274.tif 000256
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数２１】
2018530274.tif 000257
であり、
【数２２】
2018530274.tif 000258
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数２３】
2018530274.tif 000259
である。
【００５６】
第4の態様の第1の可能な実装形態を参照して、第4の態様の第2の可能な実装形態では、チャネル状態情報は、UEによって決定されたMa×Na×2個のポートに対応するアンテナアレイのランクと、UEによって決定されたアンテナアレイの水平次元内の固定ビームグループ
【数２４】
2018530274.tif 000260
のグループ番号kと、UEによって決定されたアンテナアレイの垂直次元内の固定ビームグループ
【数２５】
2018530274.tif 000261
のグループ番号lと、UEによって決定されたチャネル品質インジケータCQIとを含み、
基地局により、ユーザ機器UEによってフィードバックされたチャネル状態情報CSIを受信することは、
基地局により、フィードバックタイプに従って、UEによってフィードバックされたランク、k、l、CQI、および第2のコードワードW2に対応するプリコーディングマトリクスインジケータPMI2を受信することであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、受信すること
を含む。
【００５７】
第4の態様の第2の可能な実装形態を参照して、第4の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【００５８】
第4の態様の第3の可能な実装形態を参照して、第4の態様の第4の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【００５９】
第4の態様の第5の可能な実装形態では、W＝W1×W3であり、
第1のコードワードW1は
【数２６】
2018530274.tif 000262
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数２７】
2018530274.tif 000263
であり、
【数２８】
2018530274.tif 000264
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数２９】
2018530274.tif 000265
であり、
【数３０】
2018530274.tif 000266
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数３１】
2018530274.tif 000267
は水平次元内の第2のプリコーディングマトリクスであり、
【数３２】
2018530274.tif 000268
に対する列選択を実施するために使用され、
【数３３】
2018530274.tif 000269
は垂直次元内の第2のプリコーディングマトリクスであり、
【数３４】
2018530274.tif 000270
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【００６０】
第5の態様によれば、本発明の一実施形態は、
N個の構成されたチャネル状態情報基準信号CSI−RSリソースを受信するように構成された受信モジュールであって、CSI−RSリソースが少なくとも1つのポートを含み、N≧2であり、Nが整数である、受信モジュールと、
N個のCSI−RSリソースに対してチャネル測定を実施して、N個のCSI−RSリソースのチャネル状態情報CSIを取得するように構成されたチャネル測定モジュールと、
N個のCSI−RSリソースからM個のCSI−RSリソースを選択するように構成された選択モジュールであって、M個のCSI−RSリソースが様々なCSIプロセスに属するか、またはM個のCSI−RSリソースが1つのCSIプロセスの様々な構成に属する、選択モジュールと、
M個のCSI−RSリソースに応じて、N個のCSI−RSリソースのチャネル状態情報CSIからM個のCSI−RSリソースのCSIを決定するように構成された決定モジュールと、
M個のCSI−RSリソースのCSIおよびM個のCSI−RSリソースの指示情報を基地局にフィードバックするように構成されたフィードバックモジュールと
を含む、ユーザ機器を提供する。
【００６１】
第5の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００６２】
第5の態様または第5の態様の第1の可能な実装形態を参照して、第5の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
フィードバックモジュールは、具体的に、フィードバックモードおよびフィードバックタイプに従って、M個のCSI−RSリソースのCSIおよびM個のCSI−RSリソースの指示情報を基地局にフィードバックするように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【００６３】
第5の態様の第2の可能な実装形態を参照して、第5の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００６４】
第5の態様の第3の可能な実装形態を参照して、第5の態様の第4の可能な実装形態では、第1のフィードバック期間＞第2のフィードバック期間＞第3のフィードバック期間である。
【００６５】
第5の態様の第2の可能な実装形態を参照して、第5の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００６６】
第5の態様の第5の可能な実装形態を参照して、第5の態様の第6の可能な実装形態では、第4のフィードバック期間＞第5のフィードバック期間である。
【００６７】
第5の態様の第2の可能な実装形態を参照して、第5の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００６８】
第5の態様の第7の可能な実装形態を参照して、第5の態様の第8の可能な実装形態では、第6のフィードバック期間＞第7のフィードバック期間＞第8のフィードバック期間である。
【００６９】
第5の態様の第2の可能な実装形態を参照して、第5の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００７０】
第5の態様の第9の可能な実装形態を参照して、第5の態様の第10の可能な実装形態では、第9のフィードバック期間＞第10のフィードバック期間である。
【００７１】
第5の態様の第2から第10の可能な実装形態のうちのいずれか1つを参照して、第5の態様の第11の可能な実装形態では、M個のCSI−RSリソースのRIは、M個のCSI−RSリソースに従って測定によって取得される。
【００７２】
第5の態様の第3から第10の可能な実装形態のうちのいずれか1つを参照して、第5の態様の第12の可能な実装形態では、第1のフィードバックモードにおいてMは1である。
【００７３】
第5の態様の第2の可能な実装形態を参照して、第5の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【００７４】
第5の態様の第13の可能な実装形態を参照して、第5の態様の第14の可能な実装形態では、第11の期間＞第12の期間＞第13の期間である。
【００７５】
第5の態様の第2の可能な実装形態を参照して、第5の態様の第15の可能な実装形態では、M≧2であり、CSI−RSリソースのPMI1は同じであるかまたは異なり、CSI−RSリソースのPMI2は異なり、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００７６】
第5の態様の第15の可能な実装形態を参照して、第5の態様の第16の可能な実装形態では、第14のフィードバック期間＞第15のフィードバック期間＞第16のフィードバック期間＞第17のフィードバック期間＞第18のフィードバック期間である。
【００７７】
第5の態様または第5の態様の第1から第16の可能な実装形態のうちのいずれか1つを参照して、第5の態様の第17の可能な実装形態では、Mは基地局によってUEに通知されるか、またはUEによって決定される。
【００７８】
第5の態様の第2から第16の可能な実装形態のうちのいずれか1つを参照して、第5の態様の第18の可能な実装形態では、決定モジュールは、Mに応じてフィードバックモードを決定するようにさらに構成される。
【００７９】
第5の態様の第3の可能な実装形態を参照して、第5の態様の第19の可能な実装形態では、フィードバックモジュールは、様々なフィードバックタイプにおいて第1の指示情報および第2の指示情報をフィードバックするように構成される。
【００８０】
第5の態様を参照して、第5の態様の第20の可能な実装形態では、フィードバックモジュールは、具体的に、M個のCSI−RSリソースの指示情報を基地局に非周期的にフィードバックするように構成される。
【００８１】
第5の態様の第3の可能な実装形態を参照して、第5の態様の第21の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【００８２】
第6の態様によれば、本発明の一実施形態は、
ユーザ機器UEによってフィードバックされたM個のCSI−RSリソースのCSIおよびM個のCSI−RSリソースの指示情報を受信するように構成された受信モジュールであって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信モジュールと、
M個のCSI−RSリソースに従ってプリコーディングを実施するように構成されたプリコーディングモジュールと
を含む、基地局を提供する。
【００８３】
第6の態様の第1の可能な実装形態では、M個のCSI−RSリソースの指示情報は、第1の指示情報および／または第2の指示情報を含み、第1の指示情報はMの値であり、第2の指示情報はM個のCSI−RSリソースのインデックスである。
【００８４】
第6の態様または第6の態様の第1の可能な実装形態を参照して、第6の態様の第2の可能な実装形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2はそれぞれ二重コードブック構造W内のW1およびW2に対応し、W＝W1＊W2であり、
受信モジュールは、具体的に、フィードバックモードおよびフィードバックタイプに従って、UEによってフィードバックされたM個のCSI−RSリソースのCSIおよびM個のCSI−RSリソースの指示情報を受信するように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【００８５】
第6の態様の第2の可能な実装形態を参照して、第6の態様の第3の可能な実装形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【００８６】
第6の態様の第3の可能な実装形態を参照して、第6の態様の第4の可能な実装形態では、第1のフィードバック期間＞第2のフィードバック期間＞第3のフィードバック期間である。
【００８７】
第6の態様の第2の可能な実装形態を参照して、第6の態様の第5の可能な実装形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【００８８】
第6の態様の第5の可能な実装形態を参照して、第6の態様の第6の可能な実装形態では、第4のフィードバック期間＞第5のフィードバック期間である。
【００８９】
第6の態様の第2の可能な実装形態を参照して、第6の態様の第7の可能な実装形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【００９０】
第6の態様の第7の可能な実装形態を参照して、第6の態様の第8の可能な実装形態では、第6のフィードバック期間＞第7のフィードバック期間＞第8のフィードバック期間である。
【００９１】
第6の態様の第2の可能な実装形態を参照して、第6の態様の第9の可能な実装形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【００９２】
第6の態様の第9の可能な実装形態を参照して、第6の態様の第10の可能な実装形態では、第9のフィードバック期間＞第10のフィードバック期間である。
【００９３】
第6の態様の第2から第10の可能な実装形態のうちのいずれか1つを参照して、第6の態様の第11の可能な実装形態では、M個のCSI−RSリソースのRIは、M個のCSI−RSリソースに従って測定によって取得される。
【００９４】
第6の態様の第3から第10の可能な実装形態のうちのいずれか1つを参照して、第6の態様の第12の可能な実装形態では、第1のフィードバックモードにおいてMは1である。
【００９５】
第6の態様の第2の可能な実装形態を参照して、第16の態様の第13の可能な実装形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数であり、
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【００９６】
第6の態様の第13の可能な実装形態を参照して、第6の態様の第14の可能な実装形態では、第11の期間＞第12の期間＞第13の期間である。
【００９７】
第6の態様の第2の可能な実装形態を参照して、第6の態様の第15の可能な実装形態では、M≧2であり、M個のCSI−RSリソースに従って測定によって取得されたPMI1は同じであるかまたは異なり、CSI−RSリソースに従って測定によって取得されたPMI2は異なることが想定され、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【００９８】
第6の態様の第15の可能な実装形態を参照して、第6の態様の第16の可能な実装形態では、第14のフィードバック期間＞第15のフィードバック期間＞第16のフィードバック期間＞第17のフィードバック期間＞第18のフィードバック期間である。
【００９９】
第6の態様または第6の態様の第1から第16の可能な実装形態のうちのいずれか1つを参照して、第6の態様の第17の可能な実装形態では、M≧2であり、CSI−RSリソースのPMI1は同じであるかまたは異なり、CSI−RSリソースのPMI2は異なり、
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1はM個の異なるPMI1である。
【０１００】
第6の態様または第6の態様の第1から第16の可能な実装形態のうちのいずれか1つを参照して、第6の態様の第17の可能な実装形態では、第14のフィードバック期間＞第15のフィードバック期間＞第16のフィードバック期間＞第17のフィードバック期間＞第18のフィードバック期間である。
【０１０１】
第6の態様または第6の態様の第1から第16の可能な実装形態のうちのいずれか1つを参照して、第6の態様の第17の可能な実装形態では、MはUEによって基地局に通知されるか、または基地局によって決定される。
【０１０２】
第6の態様の第2の可能な実装形態を参照して、第6の態様の第18の可能な実装形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【０１０３】
第6の態様を参照して、第6の態様の第19の可能な実装形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【０１０４】
第6の態様の第2の可能な実装形態を参照して、第6の態様の第20の可能な実装形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIであり、
PMI＝0であるとき、指示情報は更新され、またはPMI＝1であるとき、指示情報は更新されず、
PTIおよび指示情報をフィードバックする順番は、以下の順番のうちの1つであり：
PTIおよび指示情報が同時にフィードバックされる、PTIが最初にフィードバックされ、次いで指示情報がフィードバックされる、または指示情報が最初にフィードバックされ、次いでPTIがフィードバックされる、
基地局は、UEによって非周期的にフィードバックされたM個のCSI−RSリソースの指示情報を受信する。
第7の態様によれば、本発明の一実施形態は、
X個のアンテナポートを含む基準信号リソースに従ってチャネル測定を実施して、チャネル状態情報CSIを取得するように構成された決定モジュールと、
基地局にチャネル状態情報CSIをフィードバックするように構成されたフィードバックモジュールであって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックモジュールと
を含む、ユーザ機器を提供する。
【０１０５】
第7の態様の第1の可能な実装形態では、X個のアンテナポート用のプリコーディングマトリクスはW＝W1×W2であり、
第1のコードワードW1は
【数３５】
2018530274.tif 000271
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数３６】
2018530274.tif 000272
であり、
【数３７】
2018530274.tif 000273
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数３８】
2018530274.tif 000274
であり、
【数３９】
2018530274.tif 000275
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数４０】
2018530274.tif 000276
である。
【０１０６】
第7の態様の第1の可能な実装形態を参照して、第7の態様の第2の可能な実装形態では、決定モジュールは、Ma×Na×2個のポートに対応するアンテナアレイのランク、アンテナアレイの水平次元内の固定ビームグループ
【数４１】
2018530274.tif 000277
のグループ番号k、およびアンテナアレイの垂直次元内の固定ビームグループ
【数４２】
2018530274.tif 000278
のグループ番号lを決定するようにさらに構成され、その結果、UEは、k、l、および第2のコードワードW2に従ってプリコーディングマトリクスを生成し、プリコーディングマトリクスに従ってチャネル品質インジケータCQIを決定し、チャネル状態情報は、ランク、k、l、CQI、および第2のコードワードW2に対応するプリコーディングマトリクスインジケータPMI2を含み、
フィードバックモジュールは、具体的に、フィードバックタイプに従って、基地局にランク、k、l、およびCQIをフィードバックするように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０１０７】
第7の態様の第2の可能な実装形態を参照して、第7の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０１０８】
第7の態様の第3の可能な実装形態を参照して、第7の態様の第2の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０１０９】
第7の態様の第5の可能な実装形態では、
W＝W1×W3であり、
第1のコードワードW1は
【数４３】
2018530274.tif 000279
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数４４】
2018530274.tif 000280
であり、
【数４５】
2018530274.tif 000281
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数４６】
2018530274.tif 000282
であり、
【数４７】
2018530274.tif 000283
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数４８】
2018530274.tif 000284
は水平次元内の第2のプリコーディングマトリクスであり、
【数４９】
2018530274.tif 000285
に対する列選択を実施するために使用され、
【数５０】
2018530274.tif 000286
は垂直次元内の第2のプリコーディングマトリクスであり、
【数５１】
2018530274.tif 000287
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０１１０】
第8の態様によれば、本発明の一実施形態は、
ユーザ機器UEによってフィードバックされたチャネル状態情報CSIを受信するように構成された受信モジュールであって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信モジュールと、
チャネル状態情報に従ってプリコーディングを実施するように構成されたプリコーディングモジュールと
を含む、基地局を提供する。
【０１１１】
第8の態様の第1の可能な実装形態では、X個のアンテナポート用のプリコーディングマトリクスはW＝W1×W2であり、
第1のコードワードW1は
【数５２】
2018530274.tif 000288
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数５３】
2018530274.tif 000289
であり、
【数５４】
2018530274.tif 000290
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数５５】
2018530274.tif 000291
であり、
【数５６】
2018530274.tif 000292
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数５７】
2018530274.tif 000293
である。
【０１１２】
第8の態様の第1の可能な実装形態を参照して、第8の態様の第2の可能な実装形態では、チャネル状態情報は、UEによって決定されたMa×Na×2個のポートに対応するアンテナアレイのランクと、UEによって決定されたアンテナアレイの水平次元内の固定ビームグループ
【数５８】
2018530274.tif 000294
のグループ番号kと、UEによって決定されたアンテナアレイの垂直次元内の固定ビームグループ
【数５９】
2018530274.tif 000295
のグループ番号lと、UEによって決定されたチャネル品質インジケータCQIとを含み、
受信モジュールは、具体的に、二重コードブック構造およびフィードバックタイプに従って、UEによってフィードバックされたランク、k、l、CQI、および第2のコードワードW2に対応するプリコーディングマトリクスインジケータPMI2を受信するように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０１１３】
第8の態様の第2の可能な実装形態を参照して、第8の態様の第3の可能な実装形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０１１４】
第8の態様の第3の可能な実装形態を参照して、第8の態様の第4の可能な実装形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０１１５】
第8の態様の第5の可能な実装形態では、W＝W1×W3であり、
第1のコードワードW1は
【数６０】
2018530274.tif 000296
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数６１】
2018530274.tif 000297
であり、
【数６２】
2018530274.tif 000298
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数６３】
2018530274.tif 000299
であり、
【数６４】
2018530274.tif 000300
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数６５】
2018530274.tif 000301
は水平次元内の第2のプリコーディングマトリクスであり、
【数６６】
2018530274.tif 000302
に対する列選択を実施するために使用され、
【数６７】
2018530274.tif 000303
は垂直次元内の第2のプリコーディングマトリクスであり、
【数６８】
2018530274.tif 000304
に対する列選択を実施するために使用され、W3はW1の2つのグループのアンテナの位相を調整するために使用され、
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータは、アンテナアレイの水平次元に対応する第1のプリコーディングマトリクスを含み、第3のフィードバックタイプのフィードバックパラメータは、垂直次元に対応する第1のプリコーディングマトリクスを含み、第4のフィードバックタイプのフィードバックパラメータは、水平次元に対応する第2のプリコーディングマトリクスを含み、第5のフィードバックタイプのフィードバックパラメータは、垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０１１６】
第9の態様によれば、本発明の一実施形態は、プロセッサおよびメモリを含むユーザ機器を提供し、メモリは実行命令を記憶し、プロセッサはユーザ機器が動作するときにメモリと通信し、プロセッサは実行命令を実行して、第1の態様または第1の態様の第1から第21の可能な実装形態のうちのいずれか1つをユーザ機器が実行することを可能にする。
【０１１７】
第10の態様によれば、本発明の一実施形態は、プロセッサおよびメモリを含む基地局を提供し、メモリは実行命令を記憶し、プロセッサは基地局が動作するときにメモリと通信し、プロセッサは実行命令を実行して、第2の態様または第2の態様の第1から第20の可能な実装形態のうちのいずれか1つを基地局が実行することを可能にする。
【０１１８】
第11の態様によれば、本発明の一実施形態は、プロセッサおよびメモリを含むユーザ機器を提供し、メモリは実行命令を記憶し、プロセッサはユーザ機器が動作するときにメモリと通信し、プロセッサは実行命令を実行して、第3の態様または第3の態様の第1から第5の可能な実装形態のうちのいずれか1つをユーザ機器が実行することを可能にする。
【０１１９】
第12の態様によれば、本発明の一実施形態は、プロセッサおよびメモリを含む基地局を提供し、メモリは実行命令を記憶し、プロセッサは基地局が動作するときにメモリと通信し、プロセッサは実行命令を実行して、第4の態様または第4の態様の第1から第5の可能な実装形態のうちのいずれか1つを基地局が実行することを可能にする。
【０１２０】
本発明の実施形態において提供される、チャネル状態情報フィードバック方法、ユーザ機器、および基地局によれば、ユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【図面の簡単な説明】
【０１２１】
【図１Ａ】本発明の実施形態に適用可能な4×4アンテナアレイの概略図である。
【図１Ｂ】本発明の実施形態に適用可能な2×8アンテナアレイの概略図である。
【図１Ｃ】本発明の実施形態に適用可能な別の4×4アンテナアレイの概略図である。
【図２】本発明の実施形態に適用可能なビーム方向およびCSI−RSリソースポートの概略図である。
【図３】本発明によるチャネル状態情報フィードバック方法の実施形態1のフローチャートである。
【図４】本発明によるチャネル状態情報フィードバック方法の実施形態2のフローチャートである。
【図５】本発明によるチャネル状態情報フィードバック方法の概略図である。
【図６】本発明によるチャネル状態情報フィードバック方法におけるフィードバックモード1−1のサブモード1の第1の方式および第2の方式の概略図である。
【図７】本発明によるチャネル状態情報フィードバック方法におけるフィードバックモード1−1のサブモード2の第1の方式および第2の方式の概略図である。
【図８Ａ】本発明によるチャネル状態情報フィードバック方法の別の概略図である。
【図８Ｂ】本発明によるチャネル状態情報フィードバック方法の別の概略図である。
【図９】本発明によるチャネル状態情報フィードバック方法におけるフィードバックモード1−1のサブモード3の概略図である。
【図１０】本発明によるチャネル状態情報フィードバック方法におけるフィードバックモード2−1の概略図である。
【図１１Ａ】本発明によるチャネル状態情報フィードバック方法の概略図である。
【図１１Ｂ】本発明によるチャネル状態情報フィードバック方法の概略図である。
【図１１Ｃ】本発明によるチャネル状態情報フィードバック方法の概略図である。
【図１１Ｄ】本発明によるチャネル状態情報フィードバック方法の概略図である。
【図１１Ｅ】本発明によるチャネル状態情報フィードバック方法の概略図である。
【図１２】本発明によるチャネル状態情報フィードバック方法の実施形態3のフローチャートである。
【図１３】本発明によるチャネル状態情報フィードバック方法の実施形態4のフローチャートである。
【図１４】本発明によるユーザ機器の実施形態1の概略構造図である。
【図１５】本発明による基地局の実施形態1の概略構造図である。
【図１６】本発明によるユーザ機器の実施形態2の概略構造図である。
【図１７】本発明による基地局の実施形態2の概略構造図である。
【図１８】本発明によるユーザ機器の実施形態3の概略構造図である。
【図１９】本発明による基地局の実施形態3の概略構造図である。
【図２０】本発明によるユーザ機器の実施形態4の概略構造図である。
【図２１】本発明による基地局の実施形態4の概略構造図である。
【発明を実施するための形態】
【０１２２】
図1Aは本発明の実施形態に適用可能な4×4アンテナアレイの概略図であり、図1Bは本発明の実施形態に適用可能な2×8アンテナアレイの概略図であり、図1Cは本発明の実施形態に適用可能な別の4×4アンテナアレイの概略図である。図1A〜図1Cを参照されたい。本発明の実施形態では、水平次元と垂直次元の両方で、AASアンテナアレイに対してビームフォーミングが実施される場合がある。垂直次元内のビームフォーミング中、垂直次元内のAASアンテナアレイにおいて様々なビーム（beam）が形成される場合がある。各ビームの様々な方向は様々なCSI−RSリソースポート（port）に対応し、様々なCSI−RSリソースポートは、1つのCSI−RSリソースの様々なポートであり得るか、または様々なCSI−RSリソースのポートであり得る。詳細については、図2を参照されたい。図2は、本発明の実施形態に適用可能なビーム方向およびCSI−RSリソースポートの概略図である。
【０１２３】
図2に示されたように、CSI−RSリソースPort0〜port3は、AASアンテナアレイにおいて垂直次元内に形成された方向のビーム用に構成され、CSI−RSリソースPort4〜port7は、別の方向のビーム用に構成される。
【０１２４】
3Dビームフォーミング技術の場合、チャネル推定中、水平次元内のチャネルに対してチャネル推定を実施することに加えて、ユーザ機器は、垂直次元内のチャネルに対してチャネル推定を実施する必要がある。様々な方向のビームは垂直次元内の様々なCSI−RSリソースを有することを、図1A〜図1Cおよび図2から知ることができる。明らかに、水平次元内のみのチャネル推定をサポートする従来のチャネル推定方法は、3Dビームフォーミング技術に適用することができない。したがって、チャネル状態情報フィードバック方法をどのように提案するかが当業界で緊急に解決されるべき問題になっている。
【０１２５】
図3は、本発明によるチャネル状態情報フィードバック方法の実施形態1のフローチャートである。この実施形態は、ユーザ機器（User Equipment、UE）によって実行され、3Dビームフォーミング技術において、チャネル推定が実施される必要があるシナリオに適用可能である。具体的には、この実施形態は以下のステップを含む。
【０１２６】
101．ユーザ機器UEがN個の構成されたチャネル状態情報基準信号CSI−RSリソースを受信し、CSI−RSリソースは少なくとも1つのポートを含み、N≧2であり、Nは整数である。
【０１２７】
このステップでは、UEはN個の構成されたCSI−RSリソースを受信する。Nは、前もってUEのために基地局によって構成されたCSI−RSリソースの数である。UEは、チャネル測定用にCSI−RSリソースのいくつかまたはすべてを選択する。たとえば、N＝2であるとき、UEは1つまたは2つのCSI−RSリソースを選択し、1つまたは2つのCSI−RSリソースを測定してチャネル状態情報を取得し、チャネル状態情報をフィードバックする。別の例を挙げると、N＝3であるとき、UEは1つ、2つ、または3つのCSI−RSリソースを選択し、選択されたCSI−RSリソースを測定してチャネル状態情報を取得し、基地局にチャネル状態情報をフィードバックする。
【０１２８】
102．UEがN個のCSI−RSリソースに対してチャネル測定を実施して、N個のCSI−RSリソースのチャネル状態情報CSIを取得する。
【０１２９】
このステップでは、UEはN個の決定されたCSI−RSリソースに含まれるポート対してチャネル測定を実施して、N個のCSI−RSリソースのチャネル状態情報CSIを取得する。CSI−RSリソースに含まれる1つ、2つ、4つ、または8つのポートが存在する場合がある。各CSI−RSリソースのCSIは、たとえば、CQI、PMI、またはRIを含む場合がある。CQIは、変調およびコーディング方式（Modulation and Coding Scheme、MCS）などをスケジュールし調整するためにユーザによって使用される。PMIは、ビームフォーミング、マルチユーザスケジューリングなどに使用され、第1のコードワードW1に対応するPMI1と、第2のコードワードW2に対応するPMI2とを含む。RIは、データ伝送などに使用されるレイヤの数を決定するために使用される。
【０１３０】
103．UEがN個のCSI−RSリソースからM個のCSI−RSリソースを選択し、M個のCSI−RSリソースは様々なCSIプロセスに属するか、またはM個のCSI−RSリソースは1つのCSI−RSリソースプロセスの様々な構成に属する。
【０１３１】
UEは、N個の構成されたCSI−RSリソースからM個のCSI−RSリソースを選択する。選択原理は、M個のCSI−RSリソースが様々なCSIプロセス（process）に属するか、またはM個のCSI−RSリソースが1つのCSI−RSリソースプロセス（process）の様々な構成（configuration）に属することである。
【０１３２】
104．UEが、M個のCSI−RSリソースに応じて、N個のCSI−RSリソースのチャネル状態情報CSIからM個のCSI−RSリソースのCSIを決定する。
【０１３３】
このステップでは、M個のCSI−RSリソースに対応するM個のCSIは、103において選択されたM個のCSI−RSリソースに応じて、102のN個のCSI−RSリソースのCSIから選択される。
【０１３４】
105．UEが、M個のCSI−RSリソースのCSIおよびM個のCSI−RSリソースの指示情報を基地局にフィードバックする。
【０１３５】
本発明のこの実施形態では、M個のCSI−RSリソースのCSIは水平次元内のCSIと等価であり、基地局はM個のCSI−RSリソースの指示情報を記憶し、基地局は、M個のCSI−RSリソースのインデックスに従って垂直次元内のCSIを決定することができる。したがって、水平次元と垂直次元の両方におけるCSIを取得することができる。
【０１３６】
本発明のこの実施形態において提供されるチャネル状態情報フィードバック方法によれば、ユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０１３７】
図4は、本発明によるチャネル状態情報フィードバック方法の実施形態2のフローチャートである。この実施形態は、基地局によって実行され、3Dビームフォーミング技術において、チャネル推定が実施される必要があるシナリオに適用可能である。具体的には、この実施形態は以下のステップを含む。
【０１３８】
201．基地局が、ユーザ機器UEによってフィードバックされたM個のCSI−RSリソースのCSIおよびM個のCSI−RSリソースの指示情報を受信し、M個のCSI−RSリソースはN個のCSI−RSリソースからUEによって選択され、N個のCSI−RSリソースは基地局によって構成され、UEによって受信され、CSI−RSリソースは少なくとも1つのポートを含み、N≧2であり、Nは整数である。
【０１３９】
このステップでは、N、CSI−RSリソースのポート、チャネル状態情報CSIなどの具体的な説明については図3の実施形態を参照されたく、詳細は本明細書では再び記載されない。
【０１４０】
202．基地局がM個のCSI−RSリソースに従ってプリコーディングを実施する。
【０１４１】
本発明のこの実施形態において提供されるチャネル状態情報フィードバック方法によれば、基地局は、ユーザ機器によってフィードバックされた水平次元内のM個のCSI−RSリソースのチャネル状態情報およびM個のCSI−RSリソースの指示情報を受信し、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される
【０１４２】
場合によっては、前述の実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０１４３】
場合によっては、前述の実施形態では、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含む。UEにより、M個のCSI−RSリソースのCSIおよびM個のCSI−RSリソースの指示情報を基地局にフィードバックすることは、UEにより、フィードバックモードおよびフィードバックタイプに従って、M個のCSI−RSリソースのCSIおよびM個のCSI−RSリソースの指示情報を基地局にフィードバックすることであって、フィードバックタイプが、フィードバック時に一度にUEによってフィードバックされるフィードバックパラメータを指し、フィードバックパラメータが、RI、PMI1、PMI2、CQI、または指示情報のうちの少なくとも1つを含む、フィードバックすることを含む。
【０１４４】
LTEでは、4つのフィードバックモードが定義される：フィードバックモード1−0、フィードバックモード2−0、フィードバックモード1−1、およびフィードバックモード2−1。フィードバックモード1−1およびフィードバックモード2−1では、UEは、CQI、RI、およびPMIをフィードバックする必要がある。以下で、フィードバックモード1−1およびフィードバックモード2−1において、UEがM個のCSI−RSリソースのチャネル状態情報およびM個のCSI−RSリソースの指示情報を基地局にフィードバックするフィードバック方式を詳細に記載する。
【０１４５】
1．フィードバックモード1−1のサブモード1の第1の方式（submode 1−1）
【０１４６】
このフィードバック方式では、M＝1であり、BIは単独でフィードバックされ、RIおよびW1は同時にフィードバックされ、W2およびCQIは同時にフィードバックされる。
【０１４７】
具体的には、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。第1のフィードバック期間＞第2のフィードバック期間＞第3のフィードバック期間である。
【０１４８】
図5は、本発明によるチャネル状態情報フィードバック方法の概略図である。図5に示されたように、3つのCSI-RSリソースが存在することが想定され、それらは、それぞれ、3つの垂直ビーム方向：（図5において縦線で満たされたパターンで示された）V−B0、（図5において格子で満たされたパターンで示された）V−B1、および（図5において斜線で満たされたパターンで示された）V−B2に対応する。N＝1であるとき、UEは1つのCSI-RSリソースを決定し、すなわち、1つの垂直ビーム方向を決定し、次いで、CSI−RSリソースに含まれるX個のポートに対してチャネル推定を実施して水平次元内のチャネル状態情報を取得し、最終的に、水平次元内のチャネル状態情報およびインデックスを基地局にフィードバックする。たとえば、UEによって決定されたCSI−RSリソースが、この垂直方向でV−B1に対応するCSI−RSリソースである場合、水平次元内のチャネル状態情報は、図5の破線楕円1内に示されたH−B0、H−B1、またはH−B2であり得る。この場合、UEは、V−B1に対応するCSI−RSリソースに含まれるX個のポートに対してチャネル推定を実施して、（図5の破線楕円2内に示された）H−B0などの水平次元内のチャネル状態情報を取得する。
【０１４９】
図6は、本発明によるチャネル状態情報フィードバック方法におけるフィードバックモード1−1のサブモード1の第1の方式および第2の方式の概略図である。
【０１５０】
図6を参照すると、物理アップリンク制御チャネル（Physical Uplink Control Channel、PUCCH）上で、フィードバックモード1−1のサブモード1の第1の方式では、BIはサブフレーム0内でフィードバックされ、RIおよびPMI1はサブフレーム2内でフィードバックされ、PMI2およびCQIはサブフレーム9内でフィードバックされる。
【０１５１】
図6に示されたフィードバックは周期的なフィードバックであることに留意されたい。しかしながら、本発明はこれに限定されない。別の実現可能な実装形態では、たとえば、物理アップリンク共有チャネル（Physical Uplink Shared Channel、PUSCH）上で、フィードバックは非周期的なフィードバックの場合もある。
【０１５２】
2．フィードバックモード1−1のサブモード1の第2の方式（submode 1−2）
【０１５３】
このフィードバック方式では、M＝1であり、BI、RI、およびPMI1は同時にフィードバックされ、PMI2およびCQIは同時にフィードバックされる。
【０１５４】
具体的には、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。第4のフィードバック期間＞第5のフィードバック期間である。
【０１５５】
再び図6を参照すると、物理アップリンク制御チャネル（Physical Uplink Control Channel、PUCCH）上で、フィードバックモード1−1のサブモード1の第2の方式では、BI、RI、およびPMI1はサブフレーム0内でフィードバックされ、PMI2およびCQIはサブフレーム4内でフィードバックされる。このフィードバックプロセスは周期的なフィードバックプロセスである。代替として、非周期的なフィードバックが実施される場合がある。
【０１５６】
3．フィードバックモード1−1のサブモード2の第1の方式（submode 2−1）
【０１５７】
このフィードバック方式では、M＝1であり、BIは単独でフィードバックされ、RIは単独でフィードバックされ、PMI1、PMI2、およびCQIは同時にフィードバックされる。
【０１５８】
具体的には、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。第6のフィードバック期間＞第7のフィードバック期間＞第8のフィードバック期間である。
【０１５９】
図7は、本発明によるチャネル状態情報フィードバック方法におけるフィードバックモード1−1のサブモード2の第1の方式および第2の方式の概略図である。
【０１６０】
図7を参照すると、フィードバックモード1−1のサブモード2の第1の方式では、BIはサブフレーム0内でフィードバックされ、RIはサブフレーム2内でフィードバックされ、PMI1、PMI2、およびCQIはサブフレーム9内でフィードバックされる。フィードバックプロセスは周期的なフィードバックプロセスである。代替として、非周期的なフィードバックが実施される場合がある。
【０１６１】
4．フィードバックモード1−1のサブモード2の第2の方式（submode 1−2）
【０１６２】
このフィードバック方式では、M＝1であり、BIは単独でフィードバックされ、RIは単独でフィードバックされ、PMI1、PMI2、およびCQIは同時にフィードバックされる。
【０１６３】
具体的には、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。第9のフィードバック期間＞第10のフィードバック期間である。
【０１６４】
再び図7を参照すると、フィードバックモード1−1のサブモード2の第2の方式では、BIおよびRIはサブフレーム0内でフィードバックされ、PMI1、PMI2、およびCQIはサブフレーム4内でフィードバックされる。フィードバックプロセスは周期的なフィードバックプロセスである。代替として、非周期的なフィードバックが実施される場合がある。
【０１６５】
前述の第1から第4のフィードバック方式では、M個のCSI−RSリソースのRIはM個のCSI−RSリソースに応じて取得され、第1のフィードバックモードにおいてMは1である。
【０１６６】
5．フィードバックモード1−1のサブモード3の第1の方式（submode 3−1）
【０１６７】
全体的に、サブモード3の様々なフィードバック方式では、M≧2であり、Mは整数である。
【０１６８】
図8Aは、本発明によるチャネル状態情報フィードバック方法の別の概略図である。図8Bは、本発明によるチャネル状態情報フィードバック方法の別の概略図である。図8Aおよび図8Bに示されたように、3つのCSI-RSリソースが存在することが想定され、それらは、それぞれ、3つの垂直ビーム方向：（図において縦線で満たされたパターンで示された）V−B0、（図において格子で満たされたパターンで示された）V−B1、および（図において斜線で満たされたパターンで示された）V−B2に対応する。N＝2であるとき、UEは2つのCSI-RSリソースを決定し、すなわち、2つの垂直ビーム方向を決定し、次いで、2つのCSI−RSリソースに含まれるX個のポートに対してチャネル推定を実施して水平次元内のチャネル状態情報を取得し、最終的に、水平次元内のチャネル状態情報およびビームインデックスを基地局にフィードバックする。たとえば、UEによって決定されたCSI−RSリソースが、この垂直方向でV−B1およびV−B0に対応するCSI−RSリソースである場合、水平次元内のチャネル状態情報は、図8Aおよび図8Bの破線楕円1内に示されたH−B0、H−B1、またはH−B2であり得る。この場合、UEは、V−B1およびV−B0に対応するCSI−RSリソースに含まれるX個のポートに対してチャネル推定を実施して、図8Aの破線楕円2内に示されたH−B0などの水平次元内のチャネル状態情報を取得する。代替として、UEは、V−B1およびV−B0に対応するCSI−RSリソースに含まれるX個のポートに対してチャネル推定を実施して、図8Bの破線楕円2内に示されたH−B0、H−B1、およびH−B2などの水平次元内のチャネル状態情報を取得する。
【０１６９】
図9は、本発明によるチャネル状態情報フィードバック方法におけるフィードバックモード1−1のサブモード3の概略図である。
【０１７０】
フィードバックモード1−1のサブモード3の第1のフィードバック方式（submode 3−1）では、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであり、CSI−RSリソースのPMI2は同じである。この場合、UEは最初にRIをフィードバックし、次いで、BI、PMI1、PMI2、およびCQIをフィードバックする。RIは単独でフィードバックされ、BIおよびPMI1は一緒にフィードバックされ、PMI2およびCQIは一緒にフィードバックされる。BIは、M個のCSI-RSリソースに対応するそれぞれのBIである。
【０１７１】
具体的には、フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースのPMI2が同じである場合、PMI2の数は1である。
【０１７２】
図9を参照すると、フィードバックモード1−1のサブモード3の第1の方式では、RIはサブフレーム0内でフィードバックされ、BIおよびW1はサブフレーム2内でフィードバックされ、W2およびCQIはサブフレーム4内でフィードバックされる。フィードバックプロセスは周期的なフィードバックプロセスである。代替として、非周期的なフィードバックが実施される場合がある。
【０１７３】
6．フィードバックモード1−1のサブモード3の第2の方式（submode 3−2）
【０１７４】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであり、CSI−RSリソースのPMI2は異なる。この場合、UEは最初にRIをフィードバックし、次いで、BI、PMI1、PMI2、およびCQIをフィードバックする。RIは単独でフィードバックされ、BIおよびPMI1は一緒にフィードバックされ、PMI2およびCQIは一緒にフィードバックされる。BIは、M個のCSI-RSリソースに対応するそれぞれの指示情報である。
【０１７５】
具体的には、フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースのPMI2が異なる場合、PMI2はM個の異なるPMI2である。第11の期間＞第12の期間＞第13の期間である
【０１７６】
図9を参照すると、フィードバックモード1−1のサブモード3の第2の方式では、RIはサブフレーム0内でフィードバックされ、BIおよびPMI1はサブフレーム2内でフィードバックされ、測定によって取得されたPMI2およびCQIはサブフレーム4内でフィードバックされる。フィードバックプロセスは周期的なフィードバックプロセスである。代替として、非周期的なフィードバックが実施される場合がある。代替として、測定によって取得されたPMI2は、様々なサブフレーム内でフィードバックされる場合がある。
【０１７７】
7．フィードバックモード1−1のサブモード3の第3の方式（submode 3−3）
【０１７８】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は同じであるかまたは異なり、CSI−RSリソースのPMI2は異なる。この場合、UEは最初にRIをフィードバックし、次いで、BI、PMI1、PMI2、およびCQIをフィードバックする。RIは単独でフィードバックされ、BIおよびPMI1は一緒にフィードバックされ、様々なPMI2は様々なサブフレーム内でフィードバックされ、CQIは単独でフィードバックされる。指示情報は、M個のCSI-RSリソースに対応するそれぞれの指示情報である。
【０１７９】
具体的には、フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1の数はMである。
【０１８０】
図9を参照すると、UEによって決定されたCSI-RSリソースのBIがBI0およびBI1であることが想定される。フィードバックモード1−1のサブモード3の第3の方式では、RIはサブフレーム0内でフィードバックされ、BIおよびW1はサブフレーム2内でフィードバックされ、BI0に対応するW2はサブフレーム4内でフィードバックされ、BI1に対応するW2はサブフレーム7内でフィードバックされ、CQIはサブフレーム9内でフィードバックされる。フィードバックプロセスは周期的なフィードバックプロセスである。代替として、非周期的なフィードバックが実施される場合がある。
【０１８１】
8．フィードバックモード1−1のサブモード3の第4の方式（submode 3−4）
【０１８２】
このフィードバックモードでは、M≧2であり、M個のCSI−RSリソースの各々のCSIは、ランク指示RI、広帯域コードワードW1に対応するプリコーディングマトリクスインジケータPMI1、広帯域コードワードW2に対応するプリコーディングマトリクスインジケータPMI2、および広帯域チャネル品質インジケータCQIを含み、CSI−RSリソースのPMI1は異なり、CSI−RSリソースのPMI2は異なる。この場合、UEは最初にRIをフィードバックし、次いで、BI、PMI1、PMI2、およびCQIをフィードバックする。RIは単独でフィードバックされ、様々なPMI1は1つのサブフレーム内でフィードバックされ、様々なPMI2は1つのサブフレーム内でフィードバックされ、CQIは単独でフィードバックされる。
【０１８３】
具体的には、図9を参照すると、UEによって決定されたCSI-RSリソースのBIがBI0およびBI1であることが想定される。フィードバックモード1−1のサブモード3の第4の方式では、RIはサブフレーム0内でフィードバックされ、BIおよび異なるW1はサブフレーム2内でフィードバックされ、異なるW2はサブフレーム4内でフィードバックされ、CQIはサブフレーム7内でフィードバックされる。フィードバックプロセスは周期的なフィードバックプロセスである。代替として、非周期的なフィードバックが実施される場合がある。
【０１８４】
9．フィードバックモード2−1
【０１８５】
このフィードバックモードでは、チャネル状態情報は、プリコーディングタイプインジケータPTI、ランク指示RI、広帯域コードワードW1に対応するPMI1、広帯域コードワードW2に対応するPMI2、広帯域チャネル品質インジケータCQI、サブバンドコードワードW2に対応するPMI3、およびサブバンドチャネル品質インジケータCQIを含む。この場合、BIおよびPTIは1つのサブフレーム内でフィードバックされる。PTI＝0である場合、PMI1、RI、PMI2、および広帯域CQIは、その後に報告される。次いで、RI、PTI＝1、PMI2、広帯域CQI、PMI3、およびサブバンドCQIが報告される。PTIが0に等しいとき、BIは再び測定および報告される必要がある。
【０１８６】
具体的には、図10を参照すると、図10は、本発明によるチャネル状態情報フィードバック方法におけるフィードバックモード2−1の概略図である。広帯域はwbと表記される場合があり、サブバンドはsbと表記される場合がある。
【０１８７】
10．PTIフィードバック
【０１８８】
CSIは、プリコーディングタイプインデックスPTI、サブバンドコードワードW2に対応するプリコーディングマトリクスインジケータPMI2、およびサブバンドチャネル品質インジケータCQIをさらに含む。PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。PMI＝0であるとき、指示情報は更新され、またはPMI＝1であるとき、指示情報は更新されない。PTIおよび指示情報をフィードバックする順番は、以下の順番のうちの1つである：PTIおよび指示情報が同時にフィードバックされる、PTIが最初にフィードバックされ、次いで指示情報がフィードバックされる、または指示情報が最初にフィードバックされ、次いでPTIがフィードバックされる。
【０１８９】
具体的には、図11A〜図11Eの第1から第7のフィードバック方式を参照されたい。図11A〜図11Eは、本発明によるチャネル状態情報フィードバック方法の概略図である。第6および第7のフィードバック方式は、non−precodedチャネル状態情報のフィードバックに適用可能である。
【０１９０】
図11A〜図11Eを参照すると、図11A〜図11Eはフィードバックモードa〜eを含む。フィードバックモードfは図11A〜図11Eには示されていない。
【０１９１】
フィードバックモードa：第1のフィードバックタイプがPTIを含み、第2のフィードバックタイプが選択されたM個のCSI−RSリソースの指示情報BIを含み、第3のフィードバックタイプが選択されたM個のCSI−RSリソースに従って測定によって取得された広帯域W1およびRIを含み、第4のフィードバックタイプが広帯域W2および広帯域CQIを含み、第5のフィードバックタイプがサブバンドW2およびサブバンドCQIを含む。
【０１９２】
PTI＝0であるときのみ、BIが報告される。PTI＝1であるとき、BIは報告されない。
【０１９３】
PTI＝0であるとき、第2のフィードバックタイプ、第3のフィードバックタイプ、および第4のフィードバックタイプが報告される。PTI＝1であるとき、第4のフィードバックタイプおよび第5のフィードバックタイプが報告される。
【０１９４】
フィードバックモードb：第1のフィードバックタイプがBIを含み、第2のフィードバックタイプがPTIを含み、第3のフィードバックタイプが広帯域W1およびRIを含み、第4のフィードバックタイプが広帯域W2および広帯域CQIを含み、第5のフィードバックタイプがサブバンドW2およびサブバンドCQIを含む。
【０１９５】
第1のフィードバックタイプに対応する期間は、別のフィードバックタイプの期間よりも大きい。
【０１９６】
フィードバックモードc：BI内の選択されたCSI−RSリソースの数Mが1よりも大きい場合、第1のフィードバックタイプがPTIを含み、第2のフィードバックタイプがBIを含み、第3のフィードバックタイプがRIおよび広帯域W1に対応する第1のPMIを含み、第4のフィードバックタイプがM個のCSI−RSリソースに対応する広帯域W2に対応する第2のPMIを含み、合計M個の広帯域の第2のPMIが存在し、第5のフィードバックタイプがM個のCSI−RSリソースに対応するサブバンドW2に対応するサブバンドの第2のPMIを含み、合計M個のサブバンドの第2のPMIが存在し、M個の広帯域の第2のPMIは同時に、もしくは異なるときにフィードバックされる場合があり、またはM個のサブバンドの第2のPMIは同時に、もしくは異なるときにフィードバックされる場合がある。
【０１９７】
第1のフィードバックタイプに対応する期間は、別のフィードバックタイプの期間よりも大きい。
【０１９８】
PTI＝0であるとき、第2のフィードバックタイプ、第3のフィードバックタイプ、および第4のフィードバックタイプが報告される。PTI＝1であるとき、第4のフィードバックタイプおよび第5のフィードバックタイプが報告される。
【０１９９】
フィードバックモードd：BI内の選択されたCSI−RSリソースの数Mが1よりも大きい場合、第1のフィードバックタイプがPTIを含み、第2のフィードバックタイプが選択されたM個のCSI−RSリソースの指示情報を含み、第3のフィードバックタイプがRIおよび広帯域W1に対応する第1のPMIを含み、第4のフィードバックタイプがM個のCSI−RSリソースに対応する広帯域W2に対応する第2のPMIを含み、合計M個の広帯域の第2のPMIが存在し、第5のフィードバックタイプがM個のCSI−RSリソースに対応するサブバンドW2に対応するサブバンドの第2のPMIを含み、合計M個のサブバンドの第2のPMIが存在し、M個の広帯域の第2のPMIは同時に、もしくは異なるときにフィードバックされる場合があり、またはM個のサブバンドの第2のPMIは同時に、もしくは異なるときにフィードバックされる場合がある。第6のフィードバックタイプは、各BIに対応するCSI−RSリソースに対応するCQIを含む。
【０２００】
PTIが第1の状態にあるとき、N個のCSI−RSリソースに対応する広帯域CQI情報は、異なるときにフィードバックされる。PTIが第2の状態にあるとき、第2のフィードバックタイプ、第3のフィードバックタイプ、および第4のフィードバックタイプがフィードバックされる。PTIが第3の状態にあるとき、第4のフィードバックタイプおよび第5のフィードバックタイプがフィードバックされる。
【０２０１】
non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。
【０２０２】
フィードバックモードe：
【０２０３】
non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。たとえば、PTI＝00である場合、水平次元内の広帯域の第1のプリコーディングマトリクスインデックスおよび垂直次元内の広帯域の第1のプリコーディングマトリクスインデックスが報告され、PTI＝01である場合、水平次元内の広帯域の第1のプリコーディングマトリクスインデックスおよび垂直次元内のサブバンドの第1のプリコーディングマトリクスインデックスが報告され、PTI＝10である場合、水平次元内の広帯域の第1のプリコーディングマトリクスインデックスおよび垂直次元内のサブバンドの第1のプリコーディングマトリクスインデックスが報告され、PTI＝11である場合、水平次元内のサブバンドの第1のプリコーディングマトリクスインデックスおよび垂直次元内のサブバンドの第1のプリコーディングマトリクスインデックスが報告される。
【０２０４】
フィードバックモードf：
【０２０５】
non precoded CSI−RSの場合、様々な報告されたPTI状態に応じて、その後に報告される水平次元内の第2のプリコーディングマトリクスインデックスおよび垂直次元内の第2のプリコーディングマトリクスインデックスが広帯域のものかサブバンドのものかが判定される。non precoded CSI−RSの場合、様々な報告されたPTI状態に応じて、その後に報告される水平次元内の第1のプリコーディングマトリクスインデックスおよび垂直次元内の第1のプリコーディングマトリクスインデックスが広帯域のものかサブバンドのものかが判定される。たとえば、PTI＝00である場合、水平次元内の広帯域の第2のプリコーディングマトリクスインデックスおよび垂直次元内の広帯域の第2のプリコーディングマトリクスインデックスが報告され、PTI＝01である場合、水平次元内の広帯域の第2のプリコーディングマトリクスインデックスおよび垂直次元内のサブバンドの第2のプリコーディングマトリクスインデックスが報告され、PTI＝10である場合、水平次元内の広帯域の第2のプリコーディングマトリクスインデックスおよび垂直次元内のサブバンドの第2のプリコーディングマトリクスインデックスが報告され、PTI＝11である場合、水平次元内のサブバンドの第2のプリコーディングマトリクスインデックスおよび垂直次元内のサブバンドの第2のプリコーディングマトリクスインデックスが報告される。
【０２０６】
以下で、プリコーディングされていない（non−precoded）チャネル状態情報のフィードバックを詳細に記載する。
【０２０７】
図12は、本発明によるチャネル状態情報フィードバック方法の実施形態3のフローチャートである。この実施形態は以下のステップを含む。
【０２０８】
301．ユーザ機器UEが、X個のアンテナポートを含む基準信号リソースに従ってチャネル測定を実施して、チャネル状態情報CSIを取得する。
【０２０９】
302．ユーザ機器がチャネル状態情報CSIを基地局にフィードバックし、X個のアンテナポートに対応するアンテナアレイは少なくとも2つの行および2つの列を含み、CSIは少なくともアンテナアレイ内のMa個の水平ポートのCSIおよびアンテナアレイ内のNa個の垂直ポートのCSIを含む。
【０２１０】
本発明のこの実施形態は、non−precodedチャネル状態情報のフィードバックを実装する。
【０２１１】
場合によっては、本発明の一実施形態では、X個のアンテナポート用のプリコーディングマトリクスはW＝W1×W2であり、
第1のコードワードW1は
【数６９】
2018530274.tif 000305
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数７０】
2018530274.tif 000306
であり、
【数７１】
2018530274.tif 000307
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数７２】
2018530274.tif 000308
であり、
【数７３】
2018530274.tif 000309
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数７４】
2018530274.tif 000310
である。
【０２１２】
場合によっては、本発明の一実施形態では、UEにより、基地局にチャネル状態情報をフィードバックすることの前に、方法は、
UEにより、Ma×Na×2個のポートに対応するアンテナアレイのランクを決定することと、
UEにより、アンテナアレイの水平次元内の固定ビームグループ
【数７５】
2018530274.tif 000311
のグループ番号kを決定することと、
UEにより、アンテナアレイの垂直次元内の固定ビームグループ
【数７６】
2018530274.tif 000312
のグループ番号lを決定することと、
UEにより、k、l、および第2のコードワードW2に従ってプリコーディングマトリクスを生成し、プリコーディングマトリクスに従ってチャネル品質インジケータCQIを決定することと
をさらに含み、
チャネル状態情報は、ランク、k、l、CQI、および第2のコードワードW2に対応するプリコーディングマトリクスインジケータPMI2を含み、
ユーザ機器により、基地局にCSIをフィードバックすることは、
UEにより、フィードバックタイプに従って、基地局にランク、k、l、およびCQIをフィードバックすることであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、フィードバックすること
を含む。
【０２１３】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０２１４】
場合によっては、本発明の一実施形態では、第1のフィードバック期間＞第2のフィードバック期間＞第3のフィードバック期間＞第4のフィードバック期間＞第5のフィードバック期間である。
【０２１５】
場合によっては、本発明の一実施形態では、W＝W1×W2である。
【０２１６】
第1のコードワードW1は
【数７７】
2018530274.tif 000313
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタである。
【０２１７】
【数７８】
2018530274.tif 000314
であり、
【数７９】
2018530274.tif 000315
は、アンテナアレイの水平次元に対応する固定ビームグループのコードワードセットである。
【０２１８】
【数８０】
2018530274.tif 000316
であり、
【数８１】
2018530274.tif 000317
は、アンテナアレイの垂直次元に対応する固定ビームグループのコードワードセットであり、
【数８２】
2018530274.tif 000318
は
【数８３】
2018530274.tif 000319
に対する列選択を実施し、2つのグループのアンテナの位相を調整するために使用され、
【数８４】
2018530274.tif 000320
は
【数８５】
2018530274.tif 000321
に対する列選択を実施し、2つのグループのアンテナの位相を調整するために使用される。
【０２１９】
UEは、Ma×Na×2個のポートに対応するアンテナアレイのランクを決定する。
【０２２０】
UEは、アンテナアレイの水平次元内の固定ビームグループ
【数８６】
2018530274.tif 000322
のグループ番号kを決定する。
【０２２１】
UEは、アンテナアレイの垂直次元内の固定ビームグループ
【数８７】
2018530274.tif 000323
のグループ番号lを決定する。
【０２２２】
UEは、第2のコードワードW2の水平グループ番号を決定する。
【０２２３】
UEは、第2のコードワードW2の垂直グループ番号を決定する。
【０２２４】
UEは、位相調整に使用される第3のコードブックW3を決定する。
【０２２５】
チャネル状態情報は、ランク、k、l、第2のコードワードW2の水平グループ番号、第2のコードワードW2の垂直グループ番号、および第3のコードブックW3を含む。
【０２２６】
ユーザ機器により、基地局にCSIをフィードバックすることは、
UEにより、二重コードブック構造およびフィードバックタイプに従って、ランク、k、l、第2のコードワードW2の水平グループ番号、第2のコードワードW2の垂直グループ番号、および第3のコードブックW3を基地局にフィードバックすることであって、フィードバックタイプが、フィードバック時に一度にUEによってフィードバックされるフィードバックパラメータを指し、フィードバックパラメータが、ランク、k、l、第2のコードワードW2の水平グループ番号、第2のコードワードW2の垂直グループ番号、および第3のコードブックW3を含む、フィードバックすること
を含む。
【０２２７】
フィードバックタイプは、第6のフィードバックタイプ、第7のフィードバックタイプ、第8のフィードバックタイプ、第9のフィードバックタイプ、第10のフィードバックタイプ、および第11のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第9のフィードバックタイプは第9のフィードバック期間に対応し、第10のフィードバックタイプは第10のフィードバック期間に対応し、第11のフィードバックタイプは第11のフィードバック期間に対応し、第6のフィードバックタイプのフィードバックパラメータはランクを含み、第7のフィードバックタイプのフィードバックパラメータはkを含み、第8のフィードバックタイプのフィードバックパラメータはlを含み、第9のフィードバックタイプのフィードバックパラメータは第2のコードワードW2の水平グループ番号を含み、第10のフィードバックタイプのフィードバックパラメータは第2のコードワードW2の垂直グループ番号を含み、第11のフィードバックタイプのフィードバックパラメータは第3のコードブックW3を含む。
【０２２８】
第6のフィードバック期間＞第7のフィードバック期間＞第8のフィードバック期間＞第9のフィードバック期間＞第10のフィードバック期間＞第11のフィードバック期間である。
【０２２９】
図13は、本発明によるチャネル状態情報フィードバック方法の実施形態4のフローチャートである。この実施形態は以下のステップを含む。
【０２３０】
401．基地局が、ユーザ機器UEによってフィードバックされたチャネル状態情報CSIを受信し、CSIは、X個のアンテナポートを含む基準信号リソースに従ってチャネル測定によりユーザ機器によって取得され、X個のアンテナポートに対応するアンテナアレイは少なくとも2つの行および2つの列を含み、CSIは少なくともアンテナアレイ内のMa個の水平ポートのCSIおよびアンテナアレイ内のNa個の垂直ポートのCSIを含む。
【０２３１】
402．基地局がチャネル状態情報に従ってプリコーディングを実施する。
【０２３２】
場合によっては、本発明の一実施形態では、X個のアンテナポート用のプリコーディングマトリクスはW＝W1×W2であり、
第1のコードワードW1は
【数８８】
2018530274.tif 000324
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数８９】
2018530274.tif 000325
であり、
【数９０】
2018530274.tif 000326
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数９１】
2018530274.tif 000327
であり、
【数９２】
2018530274.tif 000328
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数９３】
2018530274.tif 000329
である。
【０２３３】
場合によっては、本発明の一実施形態では、チャネル状態情報は、UEによって決定されたMa×Na×2個のポートに対応するアンテナアレイのランク、UEによって決定されたアンテナアレイの水平次元内の固定ビームグループ
【数９４】
2018530274.tif 000330
のグループ番号k、UEによって決定されたアンテナアレイの垂直次元内の固定ビームグループ
【数９５】
2018530274.tif 000331
のグループ番号l、およびUEによって決定されたチャネル品質インジケータCQIを含む。
【０２３４】
基地局により、ユーザ機器UEによってフィードバックされたチャネル状態情報CSIを受信することは、
基地局により、フィードバックタイプに従って、UEによってフィードバックされたランク、k、l、CQI、および第2のコードワードW2に対応するプリコーディングマトリクスインジケータPMI2を受信することであって、フィードバックタイプが、フィードバック時に一度にUEによってフィードバックされるフィードバックパラメータを指し、フィードバックパラメータが、ランク、k、l、PMI2、またはCQIのうちの少なくとも1つを含む、受信すること
を含む。
【０２３５】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０２３６】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０２３７】
場合によっては、本発明の一実施形態では、W＝W1×W3であり、
第1のコードワードW1は
【数９６】
2018530274.tif 000332
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数９７】
2018530274.tif 000333
であり、
【数９８】
2018530274.tif 000334
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数９９】
2018530274.tif 000335
であり、
【数１００】
2018530274.tif 000336
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１０１】
2018530274.tif 000337
は水平次元内の第2のプリコーディングマトリクスであり、
【数１０２】
2018530274.tif 000338
に対する列選択を実施するために使用され、
【数１０３】
2018530274.tif 000339
は垂直次元内の第2のプリコーディングマトリクスであり、
【数１０４】
2018530274.tif 000340
に対する列選択を実施するために使用され、W3はW1の2つのグループのアンテナの位相を調整するために使用される。
【０２３８】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である。
【０２３９】
図14は、本発明によるユーザ機器の実施形態1の概略構造図である。図14に示されたように、この実施形態において提供されるユーザ機器は、
N個の構成されたチャネル状態情報基準信号CSI−RSリソースを受信するように構成された受信モジュール11であって、CSI−RSリソースが少なくとも1つのポートを含み、N≧2であり、Nが整数である、受信モジュール11と、
N個のCSI−RSリソースに対してチャネル測定を実施して、N個のCSI−RSリソースのチャネル状態情報CSIを取得するように構成されたチャネル測定モジュール12と、
N個のCSI−RSリソースからM個のCSI−RSリソースを選択するように構成された選択モジュール13であって、M個のCSI−RSリソースが様々なCSIプロセスに属するか、またはM個のCSI−RSリソースが1つのCSIプロセスの様々な構成に属する、選択モジュール13と、
M個のCSI−RSリソースに応じて、N個のCSI−RSリソースのチャネル状態情報CSIからM個のCSI−RSリソースのCSIを決定するように構成された決定モジュール14と、
M個のCSI−RSリソースのCSIおよびM個のCSI−RSリソースの指示情報を基地局にフィードバックするように構成されたフィードバックモジュール15と
を含む。
【０２４０】
本発明のこの実施形態において提供されるユーザ機器は、フィードバックされる必要があるCSI−RSリソースの、基地局によって構成された数Nに応じてN個のCSI−RSリソースを決定し、N個のCSI−RSリソースに含まれるポートに対してチャネル推定を実施して、水平次元内のチャネル状態情報を取得し、次いで、N個のCSI−RSリソースからM個のCSI−RSリソースを選択し、水平次元内のM個のCSI−RSリソースのチャネル状態情報およびM個のCSI−RSリソースの指示情報を基地局にフィードバックし、その結果、基地局は、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０２４１】
場合によっては、本発明の一実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０２４２】
場合によっては、本発明の一実施形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2は、それぞれ、二重コードブック構造W内のW1およびW2に対応し、W＝W1＊W2である。
【０２４３】
フィードバックモジュール15は、具体的に、フィードバックモードおよびフィードバックタイプに従って、M個のCSI−RSリソースのCSIおよびM個のCSI−RSリソースの指示情報を基地局にフィードバックするように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【０２４４】
場合によっては、本発明の一実施形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０２４５】
場合によっては、本発明の一実施形態では、第1のフィードバック期間＞第2のフィードバック期間＞第3のフィードバック期間である。
【０２４６】
場合によっては、本発明の一実施形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【０２４７】
場合によっては、本発明の一実施形態では、第4のフィードバック期間＞第5のフィードバック期間である。
【０２４８】
場合によっては、本発明の一実施形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【０２４９】
場合によっては、本発明の一実施形態では、第6のフィードバック期間＞第7のフィードバック期間＞第8のフィードバック期間である。
【０２５０】
場合によっては、本発明の一実施形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【０２５１】
場合によっては、本発明の一実施形態では、第9のフィードバック期間＞第10のフィードバック期間である。
【０２５２】
場合によっては、本発明の一実施形態では、M個のCSI−RSリソースのRIは、M個のCSI−RSリソースに従って測定によって取得される。
【０２５３】
場合によっては、本発明の一実施形態では、第1のフィードバックモードにおいてMは1である。
【０２５４】
場合によっては、本発明の一実施形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数である。
【０２５５】
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【０２５６】
場合によっては、本発明の一実施形態では、第11のフィードバック期間＞第12のフィードバック期間＞第13のフィードバック期間である。
【０２５７】
場合によっては、本発明の一実施形態では、M≧2であり、CSI−RSリソースのPMI1は同じであるかまたは異なり、CSI−RSリソースのPMI2は異なる。
【０２５８】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【０２５９】
場合によっては、本発明の一実施形態では、第14のフィードバック期間＞第15のフィードバック期間＞第16のフィードバック期間＞第17のフィードバック期間＞第18のフィードバック期間である。
【０２６０】
場合によっては、本発明の一実施形態では、Mは基地局によってUEに通知されるか、またはUEによって決定される。
【０２６１】
場合によっては、本発明の一実施形態では、決定モジュール14は、Mに応じてフィードバックモードを決定するようにさらに構成される。
【０２６２】
場合によっては、本発明の一実施形態では、フィードバックモジュール15は、様々なフィードバックタイプにおいて第1の指示情報および第2の指示情報をフィードバックするように構成される。
【０２６３】
場合によっては、本発明の一実施形態では、フィードバックモジュール15は、具体的に、M個のCSI−RSリソースの指示情報を基地局に非周期的にフィードバックするように構成される。
【０２６４】
場合によっては、本発明の一実施形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。
【０２６５】
PMI＝0であるとき、指示情報は更新され、またはPMI＝1であるとき、指示情報は更新されない。
【０２６６】
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【０２６７】
図15は、本発明による基地局の実施形態1の概略構造図である。図15に示されたように、この実施形態において提供される基地局は、
ユーザ機器UEによってフィードバックされたM個のCSI−RSリソースのCSIおよびM個のCSI−RSリソースの指示情報を受信するように構成された受信モジュール21であって、M個のCSI−RSリソースがN個のCSI−RSリソースからUEによって選択され、N個のCSI−RSリソースが基地局によって構成され、UEによって受信され、CSI−RSリソースが少なくとも1つのポートを含み、N≧2であり、Nが整数である、受信モジュール21と、
M個のCSI−RSリソースに従ってプリコーディングを実施するように構成されたプリコーディングモジュール22と
を含む。
【０２６８】
本発明のこの実施形態において提供される基地局は、ユーザ機器によってフィードバックされた水平次元内のM個のCSI−RSリソースのチャネル状態情報およびM個のCSI−RSリソースの指示情報を受信し、最終的に2つの次元内のチャネル状態情報を取得するために、指示情報に従って垂直次元内のチャネル状態情報を決定し、それにより、従来のチャネル推定中に水平次元内のみのチャネル状態情報がフィードバックされるという問題が解決される。
【０２６９】
場合によっては、本発明の一実施形態では、M個のCSI−RSリソースの指示情報は、第1の指示情報および／または第2の指示情報を含み、第1の指示情報はMの値であり、第2の指示情報はM個のCSI−RSリソースのインデックスである。
【０２７０】
場合によっては、本発明の一実施形態では、M個のCSI−RSリソースの各々のCSIは、ランク指示RI、コードワードW1に対応するプリコーディングマトリクスインジケータPMI1、コードワードW2に対応するプリコーディングマトリクスインジケータPMI2、およびチャネル品質インジケータCQIを含み、W1およびW2は、それぞれ、二重コードブック構造W内のW1およびW2に対応し、W＝W1＊W2である。
【０２７１】
受信モジュール21は、具体的に、フィードバックモードおよびフィードバックタイプに従って、UEによってフィードバックされたM個のCSI−RSリソースのCSIおよびM個のCSI−RSリソースの指示情報を受信するように構成され、フィードバックタイプは、フィードバック時に一度にUEによってフィードバックされるフィードバックパラメータを指し、フィードバックパラメータは、RI、PMI1、PMI2、CQI、または指示情報のうちの少なくとも1つを含む。
【０２７２】
場合によっては、本発明の一実施形態では、フィードバックモードは第1のフィードバックモードであり、フィードバックタイプは、第1のフィードバックタイプ、第2のフィードバックタイプ、および第3のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第1のフィードバックタイプのフィードバックパラメータは、M個のCSI−RSリソースの指示情報を含み、第2のフィードバックタイプのフィードバックパラメータは、M個のCSI−RSリソースに従って測定によって取得されたRIおよびPMI1を含み、第3のフィードバックタイプのフィードバックパラメータは、M個のCSI−RSリソースに従って測定によって取得されたPMI2およびCQIを含む。
【０２７３】
場合によっては、本発明の一実施形態では、第1のフィードバック期間＞第2のフィードバック期間＞第3のフィードバック期間である。
【０２７４】
場合によっては、本発明の一実施形態では、フィードバックモードは第1のフィードバックモードであり、フィードバックタイプは、第4のフィードバックタイプおよび第5のフィードバックタイプを含み、第4のフィードバックタイプは第4のフィードバック期間に対応し、第5のフィードバックタイプは第5のフィードバック期間に対応し、第4のフィードバックタイプのフィードバックパラメータは、M個のCSI−RSリソースの指示情報、ならびに、M個のCSI−RSリソースに従って測定によって取得されたRIおよびPMI1を含み、第5のフィードバックタイプのフィードバックパラメータは、M個のCSI−RSリソースに従って測定によって取得されたPMI2およびCQIを含む。
【０２７５】
場合によっては、本発明の一実施形態では、第4のフィードバック期間＞第5のフィードバック期間である。
【０２７６】
場合によっては、本発明の一実施形態では、フィードバックモードは第1のフィードバックモードであり、フィードバックタイプは、第6のフィードバックタイプ、第7のフィードバックタイプ、および第8のフィードバックタイプを含み、第6のフィードバックタイプは第6のフィードバック期間に対応し、第7のフィードバックタイプは第7のフィードバック期間に対応し、第8のフィードバックタイプは第8のフィードバック期間に対応し、第6のフィードバックタイプのフィードバックパラメータは、M個のCSI−RSリソースの指示情報を含み、第7のフィードバックタイプのフィードバックパラメータは、M個のCSI−RSリソースに従って測定によって取得されたRIを含み、第8のフィードバックタイプのフィードバックパラメータは、M個のCSI−RSリソースに従って測定によって取得されたPMI1、PMI2、およびCQIを含む。
【０２７７】
場合によっては、本発明の一実施形態では、第6のフィードバック期間＞第7のフィードバック期間＞第8のフィードバック期間である。
【０２７８】
場合によっては、本発明の一実施形態では、フィードバックモードは第1のフィードバックモードであり、フィードバックタイプは、第9のフィードバックタイプおよび第10のフィードバックタイプを含み、第9のフィードバックタイプは第9のフィードバック期間に対応し、第10のフィードバックタイプは第10のフィードバック期間に対応し、第9のフィードバックタイプのフィードバックパラメータは、M個のCSI−RSリソースの指示情報およびRIを含み、第10のフィードバックタイプのフィードバックパラメータは、M個のCSI−RSリソースに従って測定によって取得されたPMI1、PMI2、およびCQIを含む。
【０２７９】
場合によっては、本発明の一実施形態では、第9のフィードバック期間＞第10のフィードバック期間である。
【０２８０】
場合によっては、本発明の一実施形態では、M個のCSI−RSリソースのRIは、M個のCSI−RSリソースに従って測定によって取得される。
【０２８１】
場合によっては、本発明の一実施形態では、第1のフィードバックモードにおいてMは1である。
【０２８２】
場合によっては、本発明の一実施形態では、M≧2であり、M個のCSI−RSリソースに従って測定によって取得されたPMI1は同じであり、CSI−RSリソースに従って測定によって取得されたPMI2は同じであるかまたは異なることが想定され、PMI1およびPMI2に対応するプリコーディングマトリクスは各CSI−RSリソースに従って測定によって取得され、プリコーディングマトリクスに対応するアンテナの数は各CSI−RSリソースに含まれるアンテナポートの数である。
【０２８３】
フィードバックモードは第2のフィードバックモードであり、フィードバックタイプは、第11のフィードバックタイプ、第12のフィードバックタイプ、および第13のフィードバックタイプを含み、第11のフィードバックタイプは第11のフィードバック期間に対応し、第12のフィードバックタイプは第12のフィードバック期間に対応し、第13のフィードバックタイプは第13のフィードバック期間に対応し、第11のフィードバックタイプのフィードバックパラメータは、M個のCSI−RSリソースに従って測定によって取得されたRIを含み、第12のフィードバックタイプのフィードバックパラメータは、M個のCSI−RSリソースの指示情報およびPMI1を含み、第13のフィードバックタイプのフィードバックパラメータは、M個のCSI−RSリソースに従って測定によって取得されたPMI2およびCQIを含み、PMI1の数は1であり、CSI−RSリソースに従って測定によって取得されたPMI2が同じである場合、PMI2の数は1であり、またはCSI−RSリソースに従って測定によって取得されたPMI2が異なる場合、PMI2はM個のPMI2である。
【０２８４】
場合によっては、本発明の一実施形態では、第11のフィードバック期間＞第12のフィードバック期間＞第13のフィードバック期間である。
【０２８５】
場合によっては、本発明の一実施形態では、M≧2であり、CSI−RSリソースに従って測定によって取得されたPMI1は同じであるかまたは異なり、CSI−RSリソースに従って測定によって取得されたPMI2は異なることが想定される。
【０２８６】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、PMI1およびPMI2を使用することにより、M個のCSI−RSリソースに従って測定によって取得されたCQIを含み、CSI−RSリソースに従って測定によって取得されたPMI1が同じである場合、PMI1の数は1であり、またはCSI−RSリソースに従って測定によって取得されたPMI1が異なる場合、PMI1はM個のPMI1である。
【０２８７】
場合によっては、本発明の一実施形態では、第14のフィードバック期間＞第15のフィードバック期間＞第16のフィードバック期間＞第17のフィードバック期間＞第18のフィードバック期間である。
【０２８８】
場合によっては、本発明の一実施形態では、M≧2であり、CSI−RSリソースのPMI1は同じであるかまたは異なり、CSI−RSリソースのPMI2は異なる。
【０２８９】
フィードバックモードは第2のフィードバックモードであり、フィードバックタイプは、第14のフィードバックタイプ、第15のフィードバックタイプ、第16のフィードバックタイプ、第17のフィードバックタイプ、および第18のフィードバックタイプを含み、第14のフィードバックタイプは第14のフィードバック期間に対応し、第15のフィードバックタイプは第15のフィードバック期間に対応し、第16のフィードバックタイプは第16のフィードバック期間に対応し、第17のフィードバックタイプは第17のフィードバック期間に対応し、第18のフィードバックタイプは第18のフィードバック期間に対応し、第14のフィードバックタイプのフィードバックパラメータは、M個のCSI−RSリソースに従って測定によって取得されたRIを含み、第15のフィードバックタイプのフィードバックパラメータは、M個のCSI−RSリソースの指示情報およびM個のCSI−RSリソースに従って測定によって取得されたPMI1を含み、第16のフィードバックタイプのフィードバックパラメータは、M個のCSI−RSリソースのうちのいくつかに従って測定によって取得されたPMI2を含み、第17のフィードバックタイプのフィードバックパラメータは、M個のCSI−RSリソースのうちの残りのリソースに従って測定によって取得されたPMI2を含み、第18のフィードバックタイプのフィードバックパラメータは、M個のCSI−RSリソースに従って測定によって取得されたCQIを含み、CSI−RSリソースのPMI1が同じである場合、PMI1の数は1であり、CSI−RSリソースのPMI1が異なる場合、PMI1はM個の異なるPMI1である。
【０２９０】
場合によっては、本発明の一実施形態では、第14のフィードバック期間＞第15のフィードバック期間＞第16のフィードバック期間＞第17のフィードバック期間＞第18のフィードバック期間である。
【０２９１】
場合によっては、本発明の一実施形態では、MはUEによって基地局に通知されるか、または基地局によって決定される。
【０２９２】
場合によっては、本発明の一実施形態では、基地局により、UEによってフィードバックされたM個のCSI−RSリソースの指示情報を受信することは、
基地局により、様々なフィードバックタイプにおいてUEによってフィードバックされた第1の指示情報および第2の指示情報を受信すること
を含む。
【０２９３】
場合によっては、本発明の一実施形態では、基地局により、UEによってフィードバックされたM個のCSI−RSリソースの指示情報を受信することは、
基地局により、基地局によるトリガリングに従ってUEによって非周期的にフィードバックされたM個のCSI−RSリソースの指示情報を受信すること
を含む。
【０２９４】
場合によっては、本発明の一実施形態では、CSIは、プリコーディングタイプインデックスPTI、サブバンドコードワードW2に対応するプリコーディングマトリクスインジケータPMI2、およびサブバンドチャネル品質インジケータCQIをさらに含み、PTI＝0であるとき、フィードバックタイプに含まれるフィードバックパラメータは、広帯域コードワードW2に対応するプリコーディングマトリクスインジケータPMI2、および広帯域チャネル品質インジケータCQIであり、またはPTI＝1であるとき、フィードバックタイプに含まれるフィードバックパラメータは、サブバンドコードワードW2に対応するプリコーディングマトリクスインジケータPMI2、およびサブバンドチャネル品質インジケータCQIである。
【０２９５】
PMI＝0であるとき、指示情報は更新され、またはPMI＝1であるとき、指示情報は更新されない。
【０２９６】
PTIおよび指示情報をフィードバックする順番は、以下の順番のうちの1つである：
PTIおよび指示情報が同時にフィードバックされる、PTIが最初にフィードバックされ、次いで指示情報がフィードバックされる、または指示情報が最初にフィードバックされ、次いでPTIがフィードバックされる。
【０２９７】
基地局は、UEによって非周期的にフィードバックされたM個のCSI−RSリソースの指示情報を受信する。
【０２９８】
図16は、本発明によるユーザ機器の実施形態2の概略構造図である。この実施形態において提供されるユーザ機器は、
X個のアンテナポートを含む基準信号リソースに従ってチャネル測定を実施して、チャネル状態情報CSIを取得するように構成された決定モジュール31と、
基地局にチャネル状態情報CSIをフィードバックするように構成されたフィードバックモジュール32であって、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、フィードバックモジュール32と
を含む。
【０２９９】
場合によっては、本発明の一実施形態では、X個のアンテナポート用のプリコーディングマトリクスはW＝W1×W2であり、
第1のコードワードW1は
【数１０５】
2018530274.tif 000341
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１０６】
2018530274.tif 000342
であり、
【数１０７】
2018530274.tif 000343
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１０８】
2018530274.tif 000344
であり、
【数１０９】
2018530274.tif 000345
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１１０】
2018530274.tif 000346
である。
【０３００】
場合によっては、本発明の一実施形態では、決定モジュール31は、Ma×Na×2個のポートに対応するアンテナアレイのランク、アンテナアレイの水平次元内の固定ビームグループ
【数１１１】
2018530274.tif 000347
のグループ番号k、およびアンテナアレイの垂直次元内の固定ビームグループ
【数１１２】
2018530274.tif 000348
のグループ番号lを決定するようにさらに構成され、その結果、UEは、k、l、および第2のコードワードW2に従ってプリコーディングマトリクスを生成し、プリコーディングマトリクスに従ってチャネル品質インジケータCQIを決定し、チャネル状態情報は、ランク、k、l、CQI、および第2のコードワードW2に対応するプリコーディングマトリクスインジケータPMI2を含む。
【０３０１】
フィードバックモジュール32は、具体的に、フィードバックタイプに従って、ランク、k、l、およびCQIを基地局にフィードバックするように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０３０２】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０３０３】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０３０４】
場合によっては、本発明の一実施形態では、W＝W1×W3であり、
第1のコードワードW1は
【数１１３】
2018530274.tif 000349
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１１４】
2018530274.tif 000350
であり、
【数１１５】
2018530274.tif 000351
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１１６】
2018530274.tif 000352
であり、
【数１１７】
2018530274.tif 000353
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１１８】
2018530274.tif 000354
は水平次元内の第2のプリコーディングマトリクスであり、
【数１１９】
2018530274.tif 000355
に対する列選択を実施するために使用され、
【数１２０】
2018530274.tif 000356
は垂直次元内の第2のプリコーディングマトリクスであり、
【数１２１】
2018530274.tif 000357
に対する列選択を実施するために使用され、W3はW1の2つのグループのアンテナの位相を調整するために使用される。
【０３０５】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である
【０３０６】
図17は、本発明による基地局の実施形態2の概略構造図である。図17に示されたように、この実施形態において提供される基地局は、
ユーザ機器UEによってフィードバックされたチャネル状態情報CSIを受信するように構成された受信モジュール41であって、CSIが、X個のアンテナポートを含む基準信号リソースに従ってチャネル測定によりユーザ機器によって取得され、X個のアンテナポートに対応するアンテナアレイが少なくとも2つの行および2つの列を含み、CSIが少なくともアンテナアレイ内のMa個の水平ポートのCSIおよびアンテナアレイ内のNa個の垂直ポートのCSIを含む、受信モジュール41と、
チャネル状態情報に従ってプリコーディングを実施するように構成されたプリコーディングモジュール42と
を含む。
【０３０７】
場合によっては、本発明の一実施形態では、X個のアンテナポート用のプリコーディングマトリクスはW＝W1×W2であり、
第1のコードワードW1は
【数１２２】
2018530274.tif 000358
であり、k＝0、．．．、MaQH−1、l＝0、．．．、NaQv−1であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１２３】
2018530274.tif 000359
であり、
【数１２４】
2018530274.tif 000360
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１２５】
2018530274.tif 000361
であり、
【数１２６】
2018530274.tif 000362
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１２７】
2018530274.tif 000363
である。
【０３０８】
場合によっては、本発明の一実施形態では、チャネル状態情報は、UEによって決定されたMa×Na×2個のポートに対応するアンテナアレイのランク、UEによって決定されたアンテナアレイの水平次元内の固定ビームグループ
【数１２８】
2018530274.tif 000364
のグループ番号k、UEによって決定されたアンテナアレイの垂直次元内の固定ビームグループ
【数１２９】
2018530274.tif 000365
のグループ番号l、およびUEによって決定されたチャネル品質インジケータCQIを含む。
【０３０９】
受信モジュール41は、具体的に、二重コードブック構造およびフィードバックタイプに従って、UEによってフィードバックされたランク、k、l、CQI、および第2のコードワードW2に対応するプリコーディングマトリクスインジケータPMI2を受信するように構成され、フィードバックタイプは、フィードバック時に一度にUEによってフィードバックされるフィードバックパラメータを指し、フィードバックパラメータは、ランク、k、l、PMI2、またはCQIのうちの少なくとも1つを含む。
【０３１０】
場合によっては、本発明の一実施形態では、フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはkを含み、第3のフィードバックタイプのフィードバックパラメータはlを含み、第4のフィードバックタイプのフィードバックパラメータは第2のコードワードW2に対応するPMI2を含み、第5のフィードバックタイプのフィードバックパラメータはCQIを含む。
【０３１１】
場合によっては、本発明の一実施形態では、第1のフィードバック期間＞第2のフィードバック期間＞第4のフィードバック期間＞第5のフィードバック期間であるか、または第1のフィードバック期間＞第3のフィードバック期間＞第4のフィードバック期間＞第5のフィードバック期間である。
【０３１２】
場合によっては、本発明の一実施形態では、W＝W1×W3であり、
第1のコードワードW1は
【数１３０】
2018530274.tif 000366
であり、Maはアンテナアレイの水平次元内の共偏波アンテナの数であり、Naはアンテナアレイの垂直次元内の共偏波アンテナの数であり、QHはアンテナアレイの水平次元内のオーバーサンプリングファクタであり、QVはアンテナアレイの垂直次元内のオーバーサンプリングファクタであり、
【数１３１】
2018530274.tif 000367
であり、
【数１３２】
2018530274.tif 000368
はアンテナアレイの垂直次元に対応する第1のプリコーディングマトリクスであり、lは垂直次元に対応する第1のプリコーディングマトリクスのインデックスPMI＿V1であり、Lは垂直次元に対応する第1のプリコーディングマトリクスの総数であり、
【数１３３】
2018530274.tif 000369
であり、
【数１３４】
2018530274.tif 000370
はアンテナアレイの水平次元に対応する第1のプリコーディングマトリクスであり、kは水平次元に対応する第1のプリコーディングマトリクスのインデックスPMI＿H1であり、Kは水平次元に対応する第1のプリコーディングマトリクスの総数であり、
【数１３５】
2018530274.tif 000371
は水平次元内の第2のプリコーディングマトリクスであり、
【数１３６】
2018530274.tif 000372
に対する列選択を実施するために使用され、
【数１３７】
2018530274.tif 000373
は垂直次元内の第2のプリコーディングマトリクスであり、
【数１３８】
2018530274.tif 000374
に対する列選択を実施するために使用され、W3はW1の2つのグループのアンテナの位相を調整するために使用される。
【０３１３】
フィードバックタイプは、第1のフィードバックタイプ、第2のフィードバックタイプ、第3のフィードバックタイプ、第4のフィードバックタイプ、および第5のフィードバックタイプを含み、第1のフィードバックタイプは第1のフィードバック期間に対応し、第2のフィードバックタイプは第2のフィードバック期間に対応し、第3のフィードバックタイプは第3のフィードバック期間に対応し、第4のフィードバックタイプは第4のフィードバック期間に対応し、第5のフィードバックタイプは第5のフィードバック期間に対応し、第1のフィードバックタイプのフィードバックパラメータはランクを含み、第2のフィードバックタイプのフィードバックパラメータはアンテナアレイの水平次元に対応する第1のプリコーディングマトリクスを含み、第3のフィードバックタイプのフィードバックパラメータは垂直次元に対応する第1のプリコーディングマトリクスを含み、第4のフィードバックタイプのフィードバックパラメータは水平次元に対応する第2のプリコーディングマトリクスを含み、第5のフィードバックタイプのフィードバックパラメータは垂直次元に対応する第2のプリコーディングマトリクスを含み、第6のフィードバックタイプのフィードバックパラメータはCQIを含み、第1のフィードバック期間＞第2のフィードバック期間＞第3のフィードバック期間＞第6のフィードバック期間であるか、または第1のフィードバック期間＞第3のフィードバック期間＞第4のフィードバック期間＞第6のフィードバック期間である
【０３１４】
図18は、本発明によるユーザ機器の実施形態3の概略構造図である。図18に示されたように、この実施形態において提供されるユーザ機器500は、プロセッサ51およびメモリ52を含む。ユーザ機器500は、送信機53および受信機54をさらに含む場合がある。送信機53および受信機54は、プロセッサ51に接続される場合がある。メモリ52は実行命令を記憶する。ユーザ機器500が動作するとき、プロセッサ51はメモリ52と通信する。プロセッサ51は、メモリ52内の実行命令を起動して、図3に示された方法実施形態を実行し、その実装原理および技術効果は同様であり、詳細は本明細書では記載されない。
【０３１５】
図19は、本発明による基地局の実施形態3の概略構造図である。図19に示されたように、この実施形態において提供される基地局600は、プロセッサ61およびメモリ62を含む。基地局600は、送信機63および受信機64をさらに含む場合がある。送信機63および受信機64は、プロセッサ61に接続される場合がある。メモリ62は実行命令を記憶する。基地局600が動作するとき、プロセッサ61はメモリ62と通信する。プロセッサ61は、メモリ62内の実行命令を起動して、図4に示された方法実施形態を実行し、その実装原理および技術効果は同様であり、詳細は本明細書では記載されない。
【０３１６】
図20は、本発明によるユーザ機器の実施形態4の概略構造図である。図20に示されたように、この実施形態において提供されるユーザ機器700は、プロセッサ71およびメモリ72を含む。ユーザ機器700は、送信機73および受信機74をさらに含む場合がある。送信機73および受信機74は、プロセッサ71に接続される場合がある。メモリ72は実行命令を記憶する。ユーザ機器700が動作するとき、プロセッサ71はメモリ72と通信する。プロセッサ71は、メモリ72内の実行命令を起動して、図12に示された方法実施形態を実行し、その実装原理および技術効果は同様であり、詳細は本明細書では記載されない。
【０３１７】
図21は、本発明による基地局の実施形態4の概略構造図である。図21に示されたように、この実施形態において提供される基地局800は、プロセッサ81およびメモリ82を含む。基地局800は、送信機83および受信機84をさらに含む場合がある。送信機83および受信機84は、プロセッサ81に接続される場合がある。メモリ82は実行命令を記憶する。基地局800が動作するとき、プロセッサ81はメモリ82と通信する。プロセッサ81は、メモリ82内の実行命令を起動して、図13に示された方法実施形態を実行し、その実装原理および技術効果は同様であり、詳細は本明細書では記載されない。
【０３１８】
当業者は、方法実施形態のステップのうちのすべてまたはいくつかが、関連するハードウェアに命令するプログラムによって実装される場合があることを理解することができる。プログラムは、コンピュータ可読記憶媒体に記憶される場合がある。プログラムが動作するとき、方法実施形態のステップが実施される。前述の記憶媒体には、ROM、RAM、磁気ディスク、または光ディスクなどの、プログラムコードを記憶することができる任意の媒体が含まれる。
【０３１９】
最後に、前述の実施形態は本発明の技術的解決策を記載するためのものにすぎず、本発明を限定するためのものではないことに留意されたい。前述の実施形態を参照して本発明が詳細に記載されたが、当業者は、本発明の実施形態の技術的解決策の範囲から逸脱することなく、前述の実施形態に記載された技術的解決策に対して修正をさらに行うか、またはそれらのいくつかもしくはすべての技術的特徴に同等の置換を行うことができることを理解するべきである。
【符号の説明】
【０３２０】
11  受信モジュール
12  チャネル測定モジュール
13  選択モジュール
14  決定モジュール
15  フィードバックモジュール
21  受信モジュール
22  プリコーディングモジュール
31  決定モジュール
32  フィードバックモジュール
41  受信モジュール
42  プリコーディングモジュール
51  プロセッサ
52  メモリ
53  送信機
54  受信機
61  プロセッサ
62  メモリ
63  送信機
64  受信機
71  プロセッサ
72  メモリ
73  送信機
74  受信機
81  プロセッサ
82  メモリ
83  送信機
84  受信機
500  ユーザ機器
600  基地局
700  ユーザ機器
800  基地局
【手続補正２】
【補正対象書類名】特許請求の範囲
【補正対象項目名】全文
【補正方法】変更
【補正の内容】
【特許請求の範囲】
【請求項１】
チャネル状態情報フィードバック方法であって、
ユーザ機器UEにより、N個の構成されたチャネル状態情報基準信号CSI−RSリソースを受信するステップであって、前記CSI−RSリソースが少なくとも1つのポートを備え、N≧2であり、Nが整数である、ステップと、
前記UEにより、前記N個のCSI−RSリソースに対してチャネル測定を実施して、前記N個のCSI−RSリソースのチャネル状態情報CSIを取得するステップと、
前記UEにより、前記N個のCSI−RSリソースからM個のCSI−RSリソースを選択するステップであって、前記M個のCSI−RSリソースが様々なCSIプロセスに属するか、または前記M個のCSI−RSリソースが1つのCSIプロセスの様々な構成に属する、ステップと、
前記UEにより、前記M個のCSI−RSリソースに応じて、前記N個のCSI−RSリソースの前記チャネル状態情報CSIから前記M個のCSI−RSリソースのCSIを決定するステップと、
前記UEにより、前記M個のCSI−RSリソースの前記CSIおよび前記M個のCSI−RSリソースの指示情報を基地局にフィードバックするステップと
を備える、方法。
【請求項２】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項1に記載の方法。
【請求項３】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記UEにより、前記M個のCSI−RSリソースの前記CSIおよび前記M個のCSI−RSリソースの指示情報を基地局にフィードバックする前記ステップが、
前記UEにより、フィードバックモードおよびフィードバックタイプに従って、前記M個のCSI−RSリソースの前記CSIおよび前記M個のCSI−RSリソースの前記指示情報を前記基地局にフィードバックするステップであって、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、ステップ
を備える、
請求項1または2に記載の方法。
【請求項４】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項3に記載の方法。
【請求項５】
前記第1のフィードバック期間＞前記第2のフィードバック期間＞前記第3のフィードバック期間である、請求項4に記載の方法。
【請求項６】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、ならびに、前記M個のCSI−RSリソースに従って測定によって取得されたRIおよびPMI1を備え、前記第5のフィードバックタイプのフィードバックパラメータが、前記M個のCSI−RSリソースに従って測定によって取得されたPMI2およびCQIを備える、
請求項3に記載の方法。
【請求項７】
前記第4のフィードバック期間＞前記第5のフィードバック期間である、請求項6に記載の方法。
【請求項８】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項3に記載の方法。
【請求項９】
前記第6のフィードバック期間＞前記第7のフィードバック期間＞前記第8のフィードバック期間である、請求項8に記載の方法。
【請求項１０】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項3に記載の方法。
【請求項１１】
前記第9のフィードバック期間＞前記第10のフィードバック期間である、請求項10に記載の方法。
【請求項１２】
前記M個のCSI−RSリソースの前記RIが、前記M個のCSI−RSリソースに従って測定によって取得される、請求項3から11のいずれか一項に記載の方法。
【請求項１３】
前記第1のフィードバックモードにおいてMが1である、請求項4から11のいずれか一項に記載の方法。
【請求項１４】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記PMI2がM個のPMI2である、
請求項3に記載の方法。
【請求項１５】
前記第11のフィードバック期間＞前記第12のフィードバック期間＞前記第13のフィードバック期間である、請求項14に記載の方法。
【請求項１６】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバックタイプのフィードバックパラメータが、前記M個のCSI−RSリソースのうちの残りのリソースに従って測定によって取得されたPMI2を備え、前記第18のフィードバックタイプのフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項3に記載の方法。
【請求項１７】
前記第14のフィードバック期間＞前記第15のフィードバック期間＞前記第16のフィードバック期間＞前記第17のフィードバック期間＞前記第18のフィードバック期間である、請求項16に記載の方法。
【請求項１８】
Mが前記基地局によって前記UEに通知されるか、または前記UEによって決定される、請求項1から17のいずれか一項に記載の方法。
【請求項１９】
前記UEにより、Mに応じて前記フィードバックモードを決定するステップをさらに備える、
請求項3から17のいずれか一項に記載の方法。
【請求項２０】
前記UEにより、前記M個のCSI−RSリソースの指示情報を基地局にフィードバックする前記ステップが、
前記UEにより、様々なフィードバックタイプにおいて前記第1の指示情報および前記第2の指示情報をフィードバックするステップ
を備える、請求項3に記載の方法。
【請求項２１】
前記UEにより、前記M個のCSI−RSリソースの指示情報を基地局にフィードバックする前記ステップが、
前記UEにより、前記基地局によるトリガリングに従って前記M個のCSI−RSリソースの前記指示情報を前記基地局に非周期的にフィードバックするステップ
を備える、請求項1に記載の方法。
【請求項２２】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つである：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
請求項3に記載の方法。
【請求項２３】
チャネル状態情報フィードバック方法であって、
基地局により、ユーザ機器UEによってフィードバックされたM個のCSI−RSリソースのCSIおよび前記M個のCSI−RSリソースの指示情報を受信するステップであって、前記M個のCSI−RSリソースがN個のCSI−RSリソースから前記UEによって選択され、前記N個のCSI−RSリソースが前記基地局によって構成され、前記UEによって受信され、前記CSI−RSリソースが少なくとも1つのポートを備え、N≧2であり、Nが整数である、ステップと、
前記基地局により、前記M個のCSI−RSリソースに従ってプリコーディングを実施するステップと
を備える、方法。
【請求項２４】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項23に記載の方法。
【請求項２５】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記基地局により、ユーザ機器UEによってフィードバックされたM個のCSI−RSリソースのCSIおよび前記M個のCSI−RSリソースの指示情報を受信する前記ステップが、
前記基地局により、フィードバックモードおよびフィードバックタイプに従って、前記UEによってフィードバックされた前記M個のCSI−RSリソースの前記CSIおよび前記M個のCSI−RSリソースの前記指示情報を受信するステップであって、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、ステップ
を備える、
請求項23または24に記載の方法。
【請求項２６】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項25に記載の方法。
【請求項２７】
前記第1のフィードバック期間＞前記第2のフィードバック期間＞前記第3のフィードバック期間である、請求項26に記載の方法。
【請求項２８】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、ならびに、前記M個のCSI−RSリソースに従って測定によって取得されたRIおよびPMI1を備え、前記第5のフィードバックタイプのフィードバックパラメータが、前記M個のCSI−RSリソースに従って測定によって取得されたPMI2およびCQIを備える、
請求項25に記載の方法。
【請求項２９】
前記第4のフィードバック期間＞前記第5のフィードバック期間である、請求項28に記載の方法。
【請求項３０】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項25に記載の方法。
【請求項３１】
前記第6のフィードバック期間＞前記第7のフィードバック期間＞前記第8のフィードバック期間である、請求項30に記載の方法。
【請求項３２】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項25に記載の方法。
【請求項３３】
前記第9のフィードバック期間＞前記第10のフィードバック期間である、請求項32に記載の方法。
【請求項３４】
前記M個のCSI−RSリソースの前記RIが、前記M個のCSI−RSリソースに従って測定によって取得される、請求項25から33のいずれか一項に記載の方法。
【請求項３５】
前記第1のフィードバックモードにおいてMが1である、請求項26から33のいずれか一項に記載の方法。
【請求項３６】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記PMI2がM個のPMI2である、
請求項25に記載の方法。
【請求項３７】
前記第11の期間＞前記第12の期間＞前記第13の期間である、請求項36に記載の方法。
【請求項３８】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバックタイプのフィードバックパラメータが、前記M個のCSI−RSリソースのうちの残りのリソースに従って測定によって取得されたPMI2を備え、前記第18のフィードバックタイプのフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項25に記載の方法。
【請求項３９】
前記第14のフィードバック期間＞前記第15のフィードバック期間＞前記第16のフィードバック期間＞前記第17のフィードバック期間＞前記第18のフィードバック期間である、請求項38に記載の方法。
【請求項４０】
Mが前記UEによって前記基地局に通知されるか、または前記基地局によって決定される、
請求項23から39のいずれか一項に記載の方法。
【請求項４１】
前記基地局により、UEによってフィードバックされた前記M個のCSI−RSリソースの指示情報を受信する前記ステップが、
前記基地局により、様々なフィードバックタイプにおいて前記UEによってフィードバックされた前記第1の指示情報および前記第2の指示情報を受信するステップ
を備える、請求項25に記載の方法。
【請求項４２】
前記基地局により、UEによってフィードバックされた前記M個のCSI−RSリソースの指示情報を受信する前記ステップが、
前記基地局により、前記基地局によるトリガリングに従って前記UEによって非周期的にフィードバックされた前記M個のCSI−RSリソースの前記指示情報を受信するステップ
を備える、請求項23に記載の方法。
【請求項４３】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つであり：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
前記基地局が、前記UEによって非周期的にフィードバックされた前記M個のCSI−RSリソースの前記指示情報を受信する、
請求項25に記載の方法。
【請求項４４】
チャネル状態情報フィードバック方法であって、
ユーザ機器UEにより、X個のアンテナポートを備える基準信号リソースに従ってチャネル測定を実施して、チャネル状態情報CSIを取得するステップと、
前記ユーザ機器により、基地局に前記チャネル状態情報CSIをフィードバックするステップであって、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、ステップと
を備える、方法。
【請求項４５】
前記X個のアンテナポート用のプリコーディングマトリクスがW＝W1×W2であり、
前記第1のコードワードW1が
【数１】
2018530274.tif 000375
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数２】
2018530274.tif 000376
であり、
【数３】
2018530274.tif 000377
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数４】
2018530274.tif 000378
であり、
【数５】
2018530274.tif 000379
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数６】
2018530274.tif 000380
である、
請求項44に記載の方法。
【請求項４６】
前記UEにより、基地局に前記チャネル状態情報をフィードバックする前記ステップの前に、
前記UEにより、Ma×Na×2個のポートに対応する前記アンテナアレイのランクを決定するステップと、
前記UEにより、前記アンテナアレイの前記水平次元内の固定ビームグループ
【数７】
2018530274.tif 000381
のグループ番号kを決定するステップと、
前記UEにより、前記アンテナアレイの前記垂直次元内の固定ビームグループ
【数８】
2018530274.tif 000382
のグループ番号lを決定するステップと、
前記UEにより、k、l、および前記第2のコードワードW2に従ってプリコーディングマトリクスを生成し、前記プリコーディングマトリクスに従ってチャネル品質インジケータCQIを決定するステップと
をさらに備え、
前記チャネル状態情報が、前記ランク、k、l、前記CQI、および前記第2のコードワードW2に対応するプリコーディングマトリクスインジケータPMI2を備え、
前記ユーザ機器により、基地局に前記CSIをフィードバックする前記ステップが、
前記UEにより、フィードバックタイプに従って、前記基地局に前記ランク、k、l、および前記CQIをフィードバックするステップであって、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、ステップ
を備える、請求項45に記載の方法。
【請求項４７】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項46に記載の方法。
【請求項４８】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項47に記載の方法。
【請求項４９】
W＝W1×W3であり、
前記第1のコードワードW1が
【数９】
2018530274.tif 000383
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数１０】
2018530274.tif 000384
であり、
【数１１】
2018530274.tif 000385
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数１２】
2018530274.tif 000386
であり、
【数１３】
2018530274.tif 000387
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数１４】
2018530274.tif 000388
が前記水平次元内の第2のプリコーディングマトリクスであり、
【数１５】
2018530274.tif 000389
に対する列選択を実施するために使用され、
【数１６】
2018530274.tif 000390
が前記垂直次元内の第2のプリコーディングマトリクスであり、
【数１７】
2018530274.tif 000391
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータがランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項44に記載の方法。
【請求項５０】
チャネル状態情報フィードバック方法であって、
基地局により、ユーザ機器UEによってフィードバックされたチャネル状態情報CSIを受信するステップであって、前記CSIが、X個のアンテナポートを備える基準信号リソースに従ってチャネル測定により前記ユーザ機器によって取得され、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、ステップと、
前記基地局により、前記チャネル状態情報に従ってプリコーディングを実施するステップと
を備える、方法。
【請求項５１】
前記X個のアンテナポート用のプリコーディングマトリクスがW＝W1×W2であり、
前記第1のコードワードW1が
【数１８】
2018530274.tif 000392
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数１９】
2018530274.tif 000393
であり、
【数２０】
2018530274.tif 000394
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数２１】
2018530274.tif 000395
であり、
【数２２】
2018530274.tif 000396
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数２３】
2018530274.tif 000397
である、
請求項50に記載の方法。
【請求項５２】
前記チャネル状態情報が、前記UEによって決定されたMa×Na×2個のポートに対応する前記アンテナアレイのランクと、前記UEによって決定された前記アンテナアレイの前記水平次元内の固定ビームグループ
【数２４】
2018530274.tif 000398
のグループ番号kと、前記UEによって決定された前記アンテナアレイの前記垂直次元内の固定ビームグループ
【数２５】
2018530274.tif 000399
のグループ番号lと、前記UEによって決定されたチャネル品質インジケータCQIとを備え、
基地局により、ユーザ機器UEによってフィードバックされたチャネル状態情報CSIを受信する前記ステップが、
前記基地局により、フィードバックタイプに従って、前記UEによってフィードバックされた前記ランク、k、l、前記CQI、および前記第2のコードワードW2に対応するプリコーディングマトリクスインジケータPMI2を受信するステップであって、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、ステップ
を備える、請求項51に記載の方法。
【請求項５３】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項52に記載の方法。
【請求項５４】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項53に記載の方法。
【請求項５５】
W＝W1×W3であり、
前記第1のコードワードW1が
【数２６】
2018530274.tif 000400
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数２７】
2018530274.tif 000401
であり、
【数２８】
2018530274.tif 000402
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数２９】
2018530274.tif 000403
であり、
【数３０】
2018530274.tif 000404
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数３１】
2018530274.tif 000405
が前記水平次元内の第2のプリコーディングマトリクスであり、
【数３２】
2018530274.tif 000406
に対する列選択を実施するために使用され、
【数３３】
2018530274.tif 000407
が前記垂直次元内の第2のプリコーディングマトリクスであり、
【数３４】
2018530274.tif 000408
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項50に記載の方法。
【請求項５６】
ユーザ機器であって、
N個の構成されたチャネル状態情報基準信号CSI−RSリソースを受信するように構成された受信モジュールであって、前記CSI−RSリソースが少なくとも1つのポートを備え、N≧2であり、Nが整数である、受信モジュールと、
前記N個のCSI−RSリソースに対してチャネル測定を実施して、前記N個のCSI−RSリソースのチャネル状態情報CSIを取得するように構成されたチャネル測定モジュールと、
前記N個のCSI−RSリソースからM個のCSI−RSリソースを選択するように構成された選択モジュールであって、前記M個のCSI−RSリソースが様々なCSIプロセスに属するか、または前記M個のCSI−RSリソースが1つのCSIプロセスの様々な構成に属する、選択モジュールと、
前記M個のCSI−RSリソースに応じて、前記N個のCSI−RSリソースの前記チャネル状態情報CSIから前記M個のCSI−RSリソースのCSIを決定するように構成された決定モジュールと、
前記M個のCSI−RSリソースの前記CSIおよび前記M個のCSI−RSリソースの指示情報を基地局にフィードバックするように構成されたフィードバックモジュールと
を備える、ユーザ機器。
【請求項５７】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項56に記載のユーザ機器。
【請求項５８】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記フィードバックモジュールが、具体的に、フィードバックモードおよびフィードバックタイプに従って、前記M個のCSI−RSリソースの前記CSIおよび前記M個のCSI−RSリソースの前記指示情報を前記基地局にフィードバックするように構成され、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、
請求項56または57に記載のユーザ機器。
【請求項５９】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項58に記載のユーザ機器。
【請求項６０】
前記第1のフィードバック期間＞前記第2のフィードバック期間＞前記第3のフィードバック期間である、請求項59に記載のユーザ機器。
【請求項６１】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、前記M個のCSI−RSリソースのRI、および前記M個のCSI−RSリソースのPMI1を備え、前記第5のフィードバックタイプのフィードバックパラメータが、前記M個のCSI−RSリソースに従って測定によって取得されたPMI2およびCQIを備える、
請求項58に記載のユーザ機器。
【請求項６２】
前記第4のフィードバック期間＞前記第5のフィードバック期間である、請求項61に記載のユーザ機器。
【請求項６３】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項58に記載のユーザ機器。
【請求項６４】
前記第6のフィードバック期間＞前記第7のフィードバック期間＞前記第8のフィードバック期間である、請求項63に記載のユーザ機器。
【請求項６５】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、
請求項58に記載のユーザ機器。
【請求項６６】
前記第9のフィードバック期間＞前記第10のフィードバック期間である、請求項65に記載のユーザ機器。
【請求項６７】
前記M個のCSI−RSリソースの前記RIが、前記M個のCSI−RSリソースに従って測定によって取得される、請求項58から66のいずれか一項に記載のユーザ機器。
【請求項６８】
前記第1のフィードバックモードにおいてMが1である、請求項59から66のいずれか一項に記載のユーザ機器。
【請求項６９】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記PMI2がM個のPMI2である、
請求項58に記載のユーザ機器。
【請求項７０】
前記第11の期間＞前記第12の期間＞前記第13の期間である、請求項69に記載のユーザ機器。
【請求項７１】
M≧2であり、前記CSI−RSリソースのPMI1が同じであるかまたは異なり、前記CSI−RSリソースのPMI2が異なり、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバックタイプのフィードバックパラメータが、前記M個のCSI−RSリソースのうちの残りのリソースに従って測定によって取得されたPMI2を備え、前記第18のフィードバックタイプのフィードバックパラメータが、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項58に記載のユーザ機器。
【請求項７２】
前記第14のフィードバック期間＞前記第15のフィードバック期間＞前記第16のフィードバック期間＞前記第17のフィードバック期間＞前記第18のフィードバック期間である、請求項71に記載のユーザ機器。
【請求項７３】
Mが前記基地局によって前記UEに通知されるか、または前記UEによって決定される、請求項56から72のいずれか一項に記載のユーザ機器。
【請求項７４】
前記決定モジュールが、Mに応じて前記フィードバックモードを決定するようにさらに構成される、請求項58から72のいずれか一項に記載のユーザ機器。
【請求項７５】
前記フィードバックモジュールが、様々なフィードバックタイプにおいて前記第1の指示情報および前記第2の指示情報をフィードバックするように構成される、請求項58に記載のユーザ機器。
【請求項７６】
前記フィードバックモジュールが、具体的に、前記M個のCSI−RSリソースの前記指示情報を前記基地局に非周期的にフィードバックするように構成される、請求項56に記載のユーザ機器。
【請求項７７】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つである：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
請求項58に記載のユーザ機器。
【請求項７８】
基地局であって、
ユーザ機器UEによってフィードバックされたM個のCSI−RSリソースのCSIおよび前記M個のCSI−RSリソースの指示情報を受信するように構成された受信モジュールであって、前記M個のCSI−RSリソースがN個のCSI−RSリソースから前記UEによって選択され、前記N個のCSI−RSリソースが前記基地局によって構成され、前記UEによって受信され、前記CSI−RSリソースが少なくとも1つのポートを備え、N≧2であり、Nが整数である、受信モジュールと、
前記M個のCSI−RSリソースに従ってプリコーディングを実施するように構成されたプリコーディングモジュールと
を備える、基地局。
【請求項７９】
前記M個のCSI−RSリソースの前記指示情報が、第1の指示情報および／または第2の指示情報を備え、前記第1の指示情報がMの値であり、前記第2の指示情報が前記M個のCSI−RSリソースのインデックスである、請求項78に記載の基地局。
【請求項８０】
前記M個のCSI−RSリソースの各々のCSIが、ランク指示RI、コードワードW1に対応するプリコーディングマトリクスインジケータPMI1、コードワードW2に対応するプリコーディングマトリクスインジケータPMI2、およびチャネル品質インジケータCQIを備え、前記W1および前記W2がそれぞれ二重コードブック構造W内のW1およびW2に対応し、W＝W1＊W2であり、
前記受信モジュールが、具体的に、フィードバックモードおよびフィードバックタイプに従って、前記UEによってフィードバックされた前記M個のCSI−RSリソースの前記CSIおよび前記M個のCSI−RSリソースの前記指示情報を受信するように構成され、前記フィードバックタイプが、フィードバック時に一度に前記UEによってフィードバックされるフィードバックパラメータを指し、前記フィードバックパラメータが、前記RI、前記PMI1、前記PMI2、前記CQI、または前記指示情報のうちの少なくとも1つを備える、
請求項77または78に記載の基地局。
【請求項８１】
前記フィードバックモードが第1のフィードバックモードであり、前記フィードバックタイプが、第1のフィードバックタイプ、第2のフィードバックタイプ、および第3のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第1のフィードバックタイプのフィードバックパラメータが、前記M個のCSI−RSリソースの前記指示情報を備え、前記第2のフィードバックタイプのフィードバックパラメータが、前記M個のCSI−RSリソースに従って測定によって取得されたRIおよびPMI1を備え、前記第3のフィードバックタイプのフィードバックパラメータが、前記M個のCSI−RSリソースに従って測定によって取得されたPMI2およびCQIを備える、
請求項80に記載の基地局。
【請求項８２】
前記第1のフィードバック期間＞前記第2のフィードバック期間＞前記第3のフィードバック期間である、請求項81に記載の基地局。
【請求項８３】
前記フィードバックモードが第1のフィードバックモードであり、前記フィードバックタイプが、第4のフィードバックタイプおよび第5のフィードバックタイプを備え、前記第4のフィードバックタイプが第4のフィードバック期間に対応し、前記第5のフィードバックタイプが第5のフィードバック期間に対応し、前記第4のフィードバックタイプのフィードバックパラメータが、前記M個のCSI−RSリソースの前記指示情報、前記M個のCSI−RSリソースのRI、および前記M個のCSI−RSリソースに従って測定によって取得されたPMI1を備え、前記第5のフィードバックタイプのフィードバックパラメータが、前記M個のCSI−RSリソースに従って測定によって取得されたPMI2およびCQIを備える、
請求項80に記載の基地局。
【請求項８４】
前記第4のフィードバック期間＞前記第5のフィードバック期間である、請求項83に記載の基地局。
【請求項８５】
前記フィードバックモードが第1のフィードバックモードであり、前記フィードバックタイプが、第6のフィードバックタイプ、第7のフィードバックタイプ、および第8のフィードバックタイプを備え、前記第6のフィードバックタイプが第6のフィードバック期間に対応し、前記第7のフィードバックタイプが第7のフィードバック期間に対応し、前記第8のフィードバックタイプが第8のフィードバック期間に対応し、前記第6のフィードバックタイプのフィードバックパラメータが、前記M個のCSI−RSリソースの前記指示情報を備え、前記第7のフィードバックタイプのフィードバックパラメータが、前記M個のCSI−RSリソースに従って測定によって取得されたRIを備え、前記第8のフィードバックタイプのフィードバックパラメータが、前記M個のCSI−RSリソースに従って測定によって取得されたPMI1、PMI2、およびCQIを備える、
請求項80に記載の基地局。
【請求項８６】
前記第6のフィードバック期間＞前記第7のフィードバック期間＞前記第8のフィードバック期間である、請求項85に記載の基地局。
【請求項８７】
前記フィードバックモードが第1のフィードバックモードであり、前記フィードバックタイプが、第9のフィードバックタイプおよび第10のフィードバックタイプを備え、前記第9のフィードバックタイプが第9のフィードバック期間に対応し、前記第10のフィードバックタイプが第10のフィードバック期間に対応し、前記第9のフィードバックタイプのフィードバックパラメータが、前記M個のCSI−RSリソースの前記指示情報およびRIを備え、前記第10のフィードバックタイプのフィードバックパラメータが、前記M個のCSI−RSリソースに従って測定によって取得されたPMI1、PMI2、およびCQIを備える、請求項80に記載の基地局。
【請求項８８】
前記第9のフィードバック期間＞前記第10のフィードバック期間である、請求項87に記載の基地局。
【請求項８９】
前記M個のCSI−RSリソースの前記RIが、前記M個のCSI−RSリソースに従って測定によって取得される、請求項80から88のいずれか一項に記載の基地局。
【請求項９０】
前記第1のフィードバックモードにおいてMが1である、請求項81から88のいずれか一項に記載の基地局。
【請求項９１】
M≧2であり、前記M個のCSI−RSリソースに従って測定によって取得されたPMI1が同じであり、前記CSI−RSリソースに従って測定によって取得されたPMI2が同じであるかまたは異なることが想定され、前記PMI1および前記PMI2に対応するプリコーディングマトリクスが各CSI−RSリソースに従って測定によって取得され、前記プリコーディングマトリクスに対応するアンテナの数が各CSI−RSリソースに備えられるアンテナポートの数であり、
前記フィードバックモードが第2のフィードバックモードであり、前記フィードバックタイプが、第11のフィードバックタイプ、第12のフィードバックタイプ、および第13のフィードバックタイプを備え、前記第11のフィードバックタイプが第11のフィードバック期間に対応し、前記第12のフィードバックタイプが第12のフィードバック期間に対応し、前記第13のフィードバックタイプが第13のフィードバック期間に対応し、前記第11のフィードバックタイプのフィードバックパラメータが、前記M個のCSI−RSリソースに従って測定によって取得されたRIを備え、前記第12のフィードバックタイプのフィードバックパラメータが、前記M個のCSI−RSリソースの前記指示情報および前記PMI1を備え、前記第13のフィードバックタイプのフィードバックパラメータが、前記M個のCSI−RSリソースに従って測定によって取得された前記PMI2およびCQIを備え、前記PMI1の数が1であり、前記CSI−RSリソースに従って測定によって取得された前記PMI2が同じである場合、前記PMI2の数が1であり、または前記CSI−RSリソースに従って測定によって取得された前記PMI2が異なる場合、前記PMI2がM個のPMI2である、
請求項80に記載の基地局。
【請求項９２】
前記第11の期間＞前記第12の期間＞前記第13の期間である、請求項91に記載の基地局。
【請求項９３】
M≧2であり、前記M個のCSI−RSリソースに従って測定によって取得されたPMI1が同じであるかまたは異なり、前記CSI−RSリソースに従って測定によって取得されたPMI2が異なることが想定され、
前記フィードバックモードが第2のフィードバックモードであり、前記フィードバックタイプが、第14のフィードバックタイプ、第15のフィードバックタイプ、第16のフィードバックタイプ、第17のフィードバックタイプ、および第18のフィードバックタイプを備え、前記第14のフィードバックタイプが第14のフィードバック期間に対応し、前記第15のフィードバックタイプが第15のフィードバック期間に対応し、前記第16のフィードバックタイプが第16のフィードバック期間に対応し、前記第17のフィードバックタイプが第17のフィードバック期間に対応し、前記第18のフィードバックタイプが第18のフィードバック期間に対応し、前記第14のフィードバックタイプのフィードバックパラメータが、前記M個のCSI−RSリソースに従って測定によって取得されたRIを備え、前記第15のフィードバックタイプのフィードバックパラメータが、前記M個のCSI−RSリソースの前記指示情報および前記M個のCSI−RSリソースに従って測定によって取得された前記PMI1を備え、前記第16のフィードバックタイプのフィードバックパラメータが、前記M個のCSI−RSリソースのうちのいくつかに従って測定によって取得されたPMI2を備え、前記第17のフィードバックタイプのフィードバックパラメータが、前記M個のCSI−RSリソースのうちの残りのリソースに従って測定によって取得されたPMI2を備え、前記第18のフィードバックタイプのフィードバックパラメータが、前記PMI1および前記PMI2を使用することにより、前記M個のCSI−RSリソースに従って測定によって取得されたCQIを備え、前記CSI−RSリソースに従って測定によって取得された前記PMI1が同じである場合、前記PMI1の数が1であり、または前記CSI−RSリソースに従って測定によって取得された前記PMI1が異なる場合、前記PMI1がM個のPMI1である、
請求項80に記載の基地局。
【請求項９４】
前記第14のフィードバック期間＞前記第15のフィードバック期間＞前記第16のフィードバック期間＞前記第17のフィードバック期間＞前記第18のフィードバック期間である、請求項93に記載の基地局。
【請求項９５】
Mが前記UEによって前記基地局に通知されるか、または前記基地局によって決定される、
請求項78から94のいずれか一項に記載の基地局。
【請求項９６】
前記基地局により、UEによってフィードバックされた前記M個のCSI−RSリソースの指示情報を前記受信することが、
前記基地局により、様々なフィードバックタイプにおいて前記UEによってフィードバックされた前記第1の指示情報および前記第2の指示情報を受信すること
を備える、請求項80に記載の基地局。
【請求項９７】
前記基地局により、UEによってフィードバックされた前記M個のCSI−RSリソースの指示情報を前記受信することが、
前記基地局により、前記基地局によるトリガリングに従って前記UEによって非周期的にフィードバックされた前記M個のCSI−RSリソースの前記指示情報を受信すること
を備える、請求項78に記載の基地局。
【請求項９８】
前記CSIが、プリコーディングタイプインデックスPTI、サブバンドコードワードW2に対応するプリコーディングマトリクスインジケータPMI2、およびサブバンドチャネル品質インジケータCQIをさらに備え、前記PTI＝0であるとき、前記フィードバックタイプに備えられる前記フィードバックパラメータが、広帯域コードワードW2に対応するプリコーディングマトリクスインジケータPMI2、および広帯域チャネル品質インジケータCQIであり、または前記PTI＝1であるとき、前記フィードバックタイプに備えられる前記フィードバックパラメータが、前記サブバンドコードワードW2に対応する前記プリコーディングマトリクスインジケータPMI2、および前記サブバンドチャネル品質インジケータCQIであり、
PMI＝0であるとき、前記指示情報が更新され、またはPMI＝1であるとき、前記指示情報が更新されず、
前記PTIおよび前記指示情報をフィードバックする順番は、以下の順番のうちの1つであり：
前記PTIおよび前記指示情報が同時にフィードバックされる、前記PTIが最初にフィードバックされ、次いで前記指示情報がフィードバックされる、または前記指示情報が最初にフィードバックされ、次いで前記PTIがフィードバックされる、
前記基地局が、前記UEによって非周期的にフィードバックされた前記M個のCSI−RSリソースの前記指示情報を受信する、
請求項80に記載の基地局。
【請求項９９】
ユーザ機器であって、
X個のアンテナポートを備える基準信号リソースに従ってチャネル測定を実施して、チャネル状態情報CSIを取得するように構成された決定モジュールと、
基地局に前記チャネル状態情報CSIをフィードバックするように構成されたフィードバックモジュールであって、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、フィードバックモジュールと
を備える、ユーザ機器。
【請求項１００】
前記X個のアンテナポート用のプリコーディングマトリクスがW＝W1×W2であり、
前記第1のコードワードW1が
【数３５】
2018530274.tif 000409
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数３６】
2018530274.tif 000410
であり、
【数３７】
2018530274.tif 000411
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数３８】
2018530274.tif 000412
であり、
【数３９】
2018530274.tif 000413
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数４０】
2018530274.tif 000414
である、
請求項99に記載のユーザ機器。
【請求項１０１】
前記決定モジュールが、Ma×Na×2個のポートに対応する前記アンテナアレイのランク、前記アンテナアレイの前記水平次元内の固定ビームグループ
【数４１】
2018530274.tif 000415
のグループ番号k、および前記アンテナアレイの前記垂直次元内の固定ビームグループ
【数４２】
2018530274.tif 000416
のグループ番号lを決定するようにさらに構成され、その結果、前記UEが、k、l、および前記第2のコードワードW2に従ってプリコーディングマトリクスを生成し、前記プリコーディングマトリクスに従ってチャネル品質インジケータCQIを決定し、前記チャネル状態情報が、前記ランク、k、l、前記CQI、および前記第2のコードワードW2に対応するプリコーディングマトリクスインジケータPMI2を備え、
前記フィードバックモジュールが、具体的に、フィードバックタイプに従って、前記基地局に前記ランク、k、l、および前記CQIをフィードバックするように構成され、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、
請求項100に記載のユーザ機器。
【請求項１０２】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項101に記載のユーザ機器。
【請求項１０３】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項102に記載のユーザ機器。
【請求項１０４】
W＝W1×W3であり、
前記第1のコードワードW1が
【数４３】
2018530274.tif 000417
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数４４】
2018530274.tif 000418
であり、
【数４５】
2018530274.tif 000419
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数４６】
2018530274.tif 000420
であり、
【数４７】
2018530274.tif 000421
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数４８】
2018530274.tif 000422
が前記水平次元内の第2のプリコーディングマトリクスであり、
【数４９】
2018530274.tif 000423
に対する列選択を実施するために使用され、
【数５０】
2018530274.tif 000424
が前記垂直次元内の第2のプリコーディングマトリクスであり、
【数５１】
2018530274.tif 000425
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項99に記載のユーザ機器。
【請求項１０５】
基地局であって、
ユーザ機器UEによってフィードバックされたチャネル状態情報CSIを受信するように構成された受信モジュールであって、前記CSIが、X個のアンテナポートを備える基準信号リソースに従ってチャネル測定により前記ユーザ機器によって取得され、前記X個のアンテナポートに対応するアンテナアレイが少なくとも2つの行および2つの列を備え、前記CSIが少なくとも前記アンテナアレイ内のMa個の水平ポートのCSIおよび前記アンテナアレイ内のNa個の垂直ポートのCSIを備える、受信モジュールと、
前記チャネル状態情報に従ってプリコーディングを実施するように構成されたプリコーディングモジュールと
を備える、基地局。
【請求項１０６】
前記X個のアンテナポート用のプリコーディングマトリクスがW＝W1×W2であり、
前記第1のコードワードW1が
【数５２】
2018530274.tif 000426
であり、k＝0、．．．、MaQH−1、l＝0、．．．、NaQv−1であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数５３】
2018530274.tif 000427
であり、
【数５４】
2018530274.tif 000428
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数５５】
2018530274.tif 000429
であり、
【数５６】
2018530274.tif 000430
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数５７】
2018530274.tif 000431
である、
請求項105に記載の基地局。
【請求項１０７】
前記チャネル状態情報が、前記UEによって決定されたMa×Na×2個のポートに対応する前記アンテナアレイのランクと、前記UEによって決定された前記アンテナアレイの前記水平次元内の固定ビームグループ
【数５８】
2018530274.tif 000432
のグループ番号kと、前記UEによって決定された前記アンテナアレイの前記垂直次元内の固定ビームグループ
【数５９】
2018530274.tif 000433
のグループ番号lと、前記UEによって決定されたチャネル品質インジケータCQIとを備え、
前記受信モジュールが、具体的に、前記二重コードブック構造およびフィードバックタイプに従って、前記UEによってフィードバックされた前記ランク、k、l、前記CQI、および前記第2のコードワードW2に対応するプリコーディングマトリクスインジケータPMI2を受信するように構成され、前記フィードバックタイプが、フィードバック時に一度に前記UEによってフィードバックされるフィードバックパラメータを指し、前記フィードバックパラメータが、前記ランク、k、l、前記PMI2、または前記CQIのうちの少なくとも1つを備える、
請求項106に記載の基地局。
【請求項１０８】
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータがkを備え、前記第3のフィードバックタイプのフィードバックパラメータがlを備え、前記第4のフィードバックタイプのフィードバックパラメータが前記第2のコードワードW2に対応する前記PMI2を備え、前記第5のフィードバックタイプのフィードバックパラメータが前記CQIを備える、請求項107に記載の基地局。
【請求項１０９】
前記第1のフィードバック期間＞前記第2のフィードバック期間＞前記第4のフィードバック期間＞前記第5のフィードバック期間であるか、または前記第1のフィードバック期間＞前記第3のフィードバック期間＞前記第4のフィードバック期間＞前記第5のフィードバック期間である、請求項108に記載の基地局。
【請求項１１０】
W＝W1×W3であり、
前記第1のコードワードW1が
【数６０】
2018530274.tif 000434
であり、Maは前記アンテナアレイの水平次元内の共偏波アンテナの数であり、Naは前記アンテナアレイの垂直次元内の共偏波アンテナの数であり、QHは前記アンテナアレイの前記水平次元内のオーバーサンプリングファクタであり、QVは前記アンテナアレイの前記垂直次元内のオーバーサンプリングファクタであり、
【数６１】
2018530274.tif 000435
であり、
【数６２】
2018530274.tif 000436
は前記アンテナアレイの前記垂直次元に対応する第1のプリコーディングマトリクスであり、lは前記垂直次元に対応する前記第1のプリコーディングマトリクスのインデックスPMI＿V1であり、Lは前記垂直次元に対応する第1のプリコーディングマトリクスの総数であり、
【数６３】
2018530274.tif 000437
であり、
【数６４】
2018530274.tif 000438
は前記アンテナアレイの前記水平次元に対応する第1のプリコーディングマトリクスであり、kは前記水平次元に対応する前記第1のプリコーディングマトリクスのインデックスPMI＿H1であり、Kは前記水平次元に対応する第1のプリコーディングマトリクスの総数であり、
【数６５】
2018530274.tif 000439
が前記水平次元内の第2のプリコーディングマトリクスであり、
【数６６】
2018530274.tif 000440
に対する列選択を実施するために使用され、
【数６７】
2018530274.tif 000441
が前記垂直次元内の第2のプリコーディングマトリクスであり、
【数６８】
2018530274.tif 000442
に対する列選択を実施するために使用され、W3がW1のアンテナの前記2つのグループの位相を調整するために使用され、
前記フィードバックタイプが、第1のフィードバックタイプ、第2のフィードバックタイプ、第3のフィードバックタイプ、第4のフィードバックタイプ、および第5のフィードバックタイプを備え、前記第1のフィードバックタイプが第1のフィードバック期間に対応し、前記第2のフィードバックタイプが第2のフィードバック期間に対応し、前記第3のフィードバックタイプが第3のフィードバック期間に対応し、前記第4のフィードバックタイプが第4のフィードバック期間に対応し、前記第5のフィードバックタイプが第5のフィードバック期間に対応し、前記第1のフィードバックタイプのフィードバックパラメータが前記ランクを備え、前記第2のフィードバックタイプのフィードバックパラメータが、前記アンテナアレイの前記水平次元に対応する前記第1のプリコーディングマトリクスを備え、前記第3のフィードバックタイプのフィードバックパラメータが、前記垂直次元に対応する前記第1のプリコーディングマトリクスを備え、前記第4のフィードバックタイプのフィードバックパラメータが、前記水平次元に対応する前記第2のプリコーディングマトリクスを備え、前記第5のフィードバックタイプのフィードバックパラメータが、前記垂直次元に対応する前記第2のプリコーディングマトリクスを備え、第6のフィードバックタイプのフィードバックパラメータがCQIを備え、前記第1のフィードバック期間＞前記第2のフィードバック期間＞前記第3のフィードバック期間＞前記第6のフィードバック期間であるか、または前記第1のフィードバック期間＞前記第3のフィードバック期間＞前記第4のフィードバック期間＞前記第6のフィードバック期間である、
請求項105に記載の基地局。
【請求項１１１】
ユーザ機器であって、プロセッサおよびメモリを備え、前記メモリが実行命令を記憶し、前記ユーザ機器が動作するときに前記プロセッサが前記メモリと通信し、前記プロセッサが前記実行命令を実行して、前記ユーザ機器が請求項1から22のいずれか一項に記載の方法を実施することを可能にする、ユーザ機器。
【請求項１１２】
基地局であって、プロセッサおよびメモリを備え、前記メモリが実行命令を記憶し、前記基地局が動作するときに前記プロセッサが前記メモリと通信し、前記プロセッサが前記実行命令を実行して、前記基地局が請求項23から43のいずれか一項に記載の方法を実施することを可能にする、基地局。
【請求項１１３】
ユーザ機器であって、プロセッサおよびメモリを備え、前記メモリが実行命令を記憶し、前記ユーザ機器が動作するときに前記プロセッサが前記メモリと通信し、前記プロセッサが前記実行命令を実行して、前記ユーザ機器が請求項44から49のいずれか一項に記載の方法を実施することを可能にする、ユーザ機器。
【請求項１１４】
基地局であって、プロセッサおよびメモリを備え、前記メモリが実行命令を記憶し、前記基地局が動作するときに前記プロセッサが前記メモリと通信し、前記プロセッサが前記実行命令を実行して、前記基地局が請求項50から55のいずれか一項に記載の方法を実施することを可能にする、基地局。
【請求項１１５】
請求項1から55のいずれか一項に記載の方法をコンピュータに実行させるためのコンピュータプログラム。
【国際調査報告】
2018530274.tif 000443
2018530274.tif 000444
2018530274.tif 000445
2018530274.tif 000446
2018530274.tif 000447
2018530274.tif 000448
2018530274.tif 000449
2018530274.tif 000450
2018530274.tif 000451